(57)【要約】      （修正有）【課題】デバイスが、マクロセル基地局からフェムトノード（以下フェムト）へのアクティブなハンドインをするための方法及び装置を提供する。【解決手段】フェムトは、ビーコンを報知することができ、ビーコンは、デバイスによってターゲットフェムトの曖昧さを解消するための１つ又は複数のパラメータと共に受信され、ソース基地局へ報告される。ソース基地局は、ハンドオーバーメッセージを１つ又は複数のパラメータと共にフェムト又はフェムトゲートウェイに通知する。フェムト又はフェムトゲートウェイは、１つ又は複数のパラメータに一部基づいて、ターゲットフェムトの曖昧さを解消する。これは１つ又は複数のフィルタを適用することを含む。さらにフェムトは、複数のビーコンを報知して、ターゲットフェムトの曖昧さの解消を支援する。また、完全な曖昧さの解消が不可能な場合、フェムトゲートウェイは、ハンドインのために複数のフェムトを準備する。【選択図】図１３
2015208034.tif 000002
【特許請求の範囲】
【請求項１】
ワイヤレス通信のための方法であって、
ターゲットフェムトノードに関連するプライマリスクランブリングコード（ＰＳＣ）を含む１つまたは複数のパラメータを備える、デバイスのためのハンドオーバーメッセージを受信することと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定することと、
前記デバイスのハンドインを受け入れるために、前記少なくとも１つのフェムトノードを準備することとを備える、方法。
【請求項２】
前記１つまたは複数のフィルタを前記適用することが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定することを備える、請求項１に記載の方法。
【請求項３】
前記１つまたは複数のフィルタを前記適用することが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定することを備える、請求項１に記載の方法。
【請求項４】
前記１つまたは複数のフィルタを前記適用することが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定することを備える、請求項１に記載の方法。
【請求項５】
様々なＰＳＣを用いて複数のビーコンを送信することをさらに備え、前記ＰＳＣフィルタを前記適用することが、複数の報告されたＰＳＣが前記複数のビーコンを送信するのに使われる前記様々なＰＳＣの少なくとも一部と同一かどうかを判定することを備える、請求項４に記載の方法。
【請求項６】
ビーコンを送信するために前記１つまたは複数のフェムトノードの少なくとも１つにより使われる複数のＰＳＣを判定することをさらに備え、前記ＰＳＣフィルタを前記適用することが、複数の報告されたＰＳＣが前記複数のＰＳＣの少なくとも一部と同一かどうかを判定することを備える、請求項４に記載の方法。
【請求項７】
前記１つまたは複数のパラメータにおいて示される前記デバイスのソース基地局を決定することに一部基づいて、前記報告された周波数を決定することをさらに備える、請求項４に記載の方法。
【請求項８】
前記１つまたは複数のフィルタを前記適用することが、アクセス制御フィルタを前記１つまたは複数のフェムトノードに適用して、前記デバイスが前記１つまたは複数のフェムトノードにアクセスできるかどうかを判定することを備える、請求項１に記載の方法。
【請求項９】
前記１つまたは複数のフィルタを前記適用することが、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ
ＲＳＳＩの上昇を引き起こすかどうかを判定することを備える、請求項１に記載の方法。
【請求項１０】
前記１つまたは複数のフィルタを前記適用することが、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定することを備える、請求項１に記載の方法。
【請求項１１】
前記１つまたは複数のフィルタを前記適用することが、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを、判定することを備える、請求項１に記載の方法。
【請求項１２】
前記１つまたは複数のフィルタを前記適用した結果、前記１つまたは複数のフェムトノードの少なくとも２つのフェムトノードが前記ターゲットフェムトノードに相当すると判定され、前記準備することが、前記デバイスのハンドインのために前記少なくとも２つのフェムトノードを準備することを備える、請求項１に記載の方法。
【請求項１３】
前記準備することが、前記少なくとも２つのフェムトノードの一方への前記デバイスのハンドインが失敗した後に、前記デバイスのハンドインのために、前記少なくとも２つのフェムトノードのもう一方を準備することを備える、請求項１２に記載の方法。
【請求項１４】
ハンドインのために前記デバイスを割り当てるための、共通のリソースのセットからの選択についての指示を、前記少なくとも２つのフェムトノードの少なくとも１つから受信することと、
共通のリソースの前記セットからの前記選択を前記デバイスに示すこととをさらに備える、請求項１２に記載の方法。
【請求項１５】
前記少なくとも２つのフェムトノードが前記ターゲットフェムトノードに相当すると判定されたことに基づいて、前記少なくとも２つのフェムトノードの１つに、ビーコンの送信に関する１つまたは複数の特性を再構成させることをさらに備える、請求項１２に記載の方法。
【請求項１６】
フェムトゲートウェイから複数のフェムトノードの準備の指示を受信することと、
前記デバイスのハンドインのために、共通のリソースのセットの選択を確立することとをさらに備える、請求項１に記載の方法。
【請求項１７】
共通のリソースの前記セットの前記選択を前記フェムトゲートウェイに示すことをさらに備える、請求項１６に記載の方法。
【請求項１８】
前記少なくとも１つのフェムトノードを前記準備することが、前記１つまたは複数のパラメータを備える再配置要求メッセージを、前記少なくとも１つのフェムトノードに送信することを備える、請求項１に記載の方法。
【請求項１９】
前記デバイスのハンドインのためのリソースの指示を備える再配置応答メッセージを、コアネットワークの１つまたは複数のコンポーネントに送信することをさらに備え、前記少なくとも１つのフェムトノードを前記準備することが、前記デバイスのハンドインのために前記リソースを確立することを備える、請求項１に記載の方法。
【請求項２０】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信し、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定し、
前記デバイスのハンドインを受け入れるために、前記少なくとも１つのフェムトノードを準備するように構成される、少なくとも１つのプロセッサと、
前記少なくとも１つのプロセッサに結合されたメモリとを備える、装置。
【請求項２１】
前記少なくとも１つのプロセッサが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項２０に記載の装置。
【請求項２２】
前記少なくとも１つのプロセッサが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項２０に記載の装置。
【請求項２３】
前記少なくとも１つのプロセッサが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項２０に記載の装置。
【請求項２４】
前記少なくとも１つのプロセッサがさらに、前記１つまたは複数のフィルタを適用する時に、前記１つまたは複数のフェムトノードの少なくとも２つのフェムトノードが前記ターゲットフェムトノードに相当すると判定するように構成され、前記少なくとも１つのプロセッサが、前記デバイスのハンドインのために前記少なくとも２つのフェムトノードを準備する、請求項２０に記載の装置。
【請求項２５】
前記少なくとも１つのプロセッサがさらに、前記少なくとも２つのフェムトノードが前記ターゲットフェムトノードに相当すると前記少なくとも１つのプロセッサが判定したことに基づいて、前記少なくとも２つのフェムトノードの１つに、ビーコンの送信に関する１つまたは複数の特性を再構成させるように構成される、請求項２４に記載の装置。
【請求項２６】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための手段と、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための手段と、
前記デバイスのハンドインを受け入れるために、前記少なくとも１つのフェムトノードを準備するための手段とを備える、装置。
【請求項２７】
前記適用するための手段が、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項２６に記載の装置。
【請求項２８】
前記適用するための手段が、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項２６に記載の装置。
【請求項２９】
前記適用するための手段が、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項２６に記載の装置。
【請求項３０】
前記適用するための手段が、前記１つまたは複数のフィルタを適用したことに一部基づいて、前記１つまたは複数のフェムトノードの少なくとも２つのフェムトノードが前記ターゲットフェムトノードに相当すると判定し、前記準備するための手段が、前記デバイスのハンドインのために前記少なくとも２つのフェムトノードを準備する、請求項２６に記載の装置。
【請求項３１】
前記適用するための手段が、前記少なくとも２つのフェムトノードが前記ターゲットフェムトノードに相当すると判定したことに基づいて、前記少なくとも２つのフェムトノードの１つに、ビーコンの送信に関する１つまたは複数の特性を再構成させる、請求項３０に記載の装置。
【請求項３２】
ターゲットフェムトノードの曖昧さを解消するためのコンピュータプログラム製品であって、
ターゲットフェムトノードに関連するプライマリスクランブリングコード（ＰＳＣ）を含む１つまたは複数のパラメータを備える、デバイスのためのハンドオーバーメッセージを、少なくとも１つのコンピュータに受信させるためのコードと、
前記少なくとも１つのコンピュータに、前記１つまたは複数のパラメータに一部基づいて、前記ＰＳＣを利用する１つまたは複数のフェムトノードへ１つまたは複数のフィルタを適用させ、前記１つまたは複数のフェムトノードの少なくとも１つのフェムトノードが前記ターゲットフェムトノードに相当するかどうかを判定させるためのコードと、
前記少なくとも１つのコンピュータに、前記デバイスのハンドインを受け入れるために前記少なくとも１つのフェムトノードを準備させるためのコードとを備える非一時的コンピュータ可読媒体を備える、コンピュータプログラム製品。
【請求項３３】
前記少なくとも１つのコンピュータに適用させるための前記コードが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項３２に記載のコンピュータプログラム製品。
【請求項３４】
前記少なくとも１つのコンピュータに適用させるための前記コードが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項３２に記載のコンピュータプログラム製品。
【請求項３５】
前記少なくとも１つのコンピュータに適用させるための前記コードが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項３２に記載のコンピュータプログラム製品。
【請求項３６】
前記コンピュータ可読媒体がさらに、前記少なくとも１つのコンピュータに、前記１つまたは複数のフィルタを適用する時に、前記１つまたは複数のフェムトノードの少なくとも２つのフェムトノードが前記ターゲットフェムトノードに相当すると判定させるためのコードを備え、前記少なくとも１つのコンピュータに準備させるための前記コードが、前記デバイスのハンドインのために前記少なくとも２つのフェムトノードを準備する、請求項３２に記載のコンピュータプログラム製品。
【請求項３７】
前記コンピュータ可読媒体がさらに、前記少なくとも２つのフェムトノードが前記ターゲットフェムトノードに相当すると前記少なくとも１つのコンピュータに判定させるためのコードに基づいて、前記少なくとも２つのフェムトノードの１つに、ビーコンの送信に関する１つまたは複数の特性を再構成させるように、前記少なくとも１つのコンピュータを動作させるためのコードを備える、請求項３６記載のコンピュータプログラム製品。
【請求項３８】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための、通信コンポーネントと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための、フェムトノード曖昧性解消コンポーネントと、
前記デバイスのハンドインを受け入れるために、前記少なくとも１つのフェムトノードを準備するためのコンポーネントとを備える、装置。
【請求項３９】
前記フェムトノード曖昧性解消コンポーネントが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項３８に記載の装置。
【請求項４０】
前記フェムトノード曖昧性解消コンポーネントが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項３８に記載の装置。
【請求項４１】
前記フェムトノード曖昧性解消コンポーネントが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項３８に記載の装置。
【請求項４２】
前記通信コンポーネントが、様々なＰＳＣを用いて複数のビーコンを送信し、前記フェムトノード曖昧性解消コンポーネントが、複数の報告されたＰＳＣが前記複数のビーコンを送信するのに使われる前記様々なＰＳＣの少なくとも一部と同一かどうかを判定する、請求項４１に記載の装置。
【請求項４３】
ビーコンを送信するために前記１つまたは複数のフェムトノードの少なくとも１つにより使われる複数のＰＳＣを判定するためのＰＳＣコンポーネントをさらに備え、前記フェムトノード曖昧性解消コンポーネントが、複数の報告されたＰＳＣが前記複数のＰＳＣと同一かどうかを判定する、請求項４１に記載の装置。
【請求項４４】
前記フェムトノード曖昧性解消コンポーネントが、前記１つまたは複数のパラメータにおいて示される前記デバイスのソース基地局を決定することに一部基づいて、前記報告された周波数を決定する、請求項４１に記載の装置。
【請求項４５】
前記フェムトノード曖昧性解消コンポーネントが、アクセス制御フィルタを前記１つまたは複数のフェムトノードに適用して、前記デバイスが前記１つまたは複数のフェムトノードにアクセスできるかどうかを判定する、請求項３８に記載の装置。
【請求項４６】
前記フェムトノード曖昧性解消コンポーネントが、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、請求項３８に記載の装置。
【請求項４７】
前記フェムトノード曖昧性解消コンポーネントが、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定する、請求項３８に記載の装置。
【請求項４８】
前記フェムトノード曖昧性解消コンポーネントが、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを判定する、請求項３８に記載の装置。
【請求項４９】
前記フェムトノード曖昧性解消コンポーネントが、前記１つまたは複数のフィルタを適用したことに一部基づいて、前記１つまたは複数のフェムトノードの少なくとも２つのフェムトノードが前記ターゲットフェムトノードに相当すると判定し、前記準備するためのコンポーネントが、前記デバイスのハンドインのために前記少なくとも２つのフェムトノードを準備する、請求項３８に記載の装置。
【請求項５０】
前記準備するためのコンポーネントが、前記少なくとも２つのフェムトノードの一方への前記デバイスのハンドインが失敗した後に前記デバイスのハンドインのために前記少なくとも２つのフェムトノードのもう一方を準備するハンドインコンポーネントを備える、請求項４９に記載の装置。
【請求項５１】
前記準備するためのコンポーネントが、ハンドインのために前記デバイスを割り当てるための、共通のリソースのセットからの選択についての指示を、前記少なくとも２つのフェムトノードの少なくとも１つから受信し、共通のリソースの前記セットからの前記選択を前記デバイスに示す、ハンドインコンポーネントである、請求項４９に記載の装置。
【請求項５２】
前記フェムトノード曖昧性解消コンポーネントが、前記少なくとも２つのフェムトノードが前記ターゲットフェムトノードに相当すると前記準備するためのコンポーネントが判定したことに基づいて、前記少なくとも２つのフェムトノードの１つに、ビーコンの送信に関する１つまたは複数の特性を再構成させる、請求項４９に記載の装置。
【請求項５３】
前記準備するためのコンポーネントが、フェムトゲートウェイから複数のフェムトノードの準備の指示を受信し前記デバイスのハンドインのために共通のリソースのセットの選択を確立するハンドオーバー管理コンポーネントを備える、請求項３８に記載の装置。
【請求項５４】
前記ハンドオーバー管理コンポーネントがさらに、共通のリソースの前記セットの前記選択を前記フェムトゲートウェイに示す、請求項５３に記載の装置。
【請求項５５】
前記準備するためのコンポーネントが、前記１つまたは複数のパラメータを備える再配置要求メッセージを前記少なくとも１つのフェムトノードに送信するハンドインコンポーネントを備える、請求項３８に記載の装置。
【請求項５６】
前記準備するためのコンポーネントが、前記デバイスのハンドインのためのリソースの指示を備える再配置応答メッセージをコアネットワークの１つまたは複数のコンポーネントに送信する、ハンドオーバー管理コンポーネントを備え、前記ハンドオーバー管理コンポーネントが、前記デバイスのハンドインのために前記リソースをさらに確立する、請求項３８に記載の装置。
【発明の詳細な説明】
【技術分野】
【０００１】
米国特許法第１１９条に基づく優先権の主張
本特許出願は、２０１０年１２月１日に出願された「ＡＰＰＡＲＡＴＵＳ  ＡＮＤ  ＭＥＴＨＯＤＳ  Ｆｏｒ  ＨＡＮＤ−ＩＮ  ＴＯ  Ａ  ＦＥＭＴＯ  ＮＯＤＥ」という表題の仮出願第６１／４１８，５８９号および２０１０年１２月１０日に出願された「ＡＰＰＡＲＡＴＵＳ  ＡＮＤ  ＭＥＴＨＯＤ  Ｆｏｒ  Ｐｅｒｆｏｒｍｉｎｇ  ＨＡＮＤ−ＩＮ  ＴＯ  Ａ  ＦＥＭＴＯｃｅｌｌ」という表題の仮出願第６１／４２２，１１９号の優先権を主張し、また、２０１０年９月１６日に出願された「ＡＰＰＡＲＡＴＵＳ  ＡＮＤ  ＭＥＴＨＯＤＳ  Ｏｆ  ＨＡＮＤ−ＩＮ  ＴＯ  Ａ  ＦＥＭＴＯ  ＮＯＤＥ」という表題の仮出願第６１／３８３，７１５号および２０１０年９月１７日に出願された「ＡＰＰＡＲＡＴＵＳ  ＡＮＤ  ＭＥＴＨＯＤＳ  Ｏｆ  ＨＡＮＤ−ＩＮ  ＴＯ  Ａ  ＦＥＭＴＯ  ＮＯＤＥ」という表題の仮出願第６１／３８４，１８９号の優先権を主張する２０１１年９月１５日に出願された「ＡＰＰＡＲＡＴＵＳ  ＡＮＤ  ＭＥＴＨＯＤＳ  Ｏｆ  ＨＡＮＤ−ＩＮ  ＴＯ  Ａ  ＦＥＭＴＯ  ＮＯＤＥ」という表題の出願第１３／２３３，８１０号の一部継続出願であり、上記のすべてが、本出願の譲受人に譲渡され、参照によって本明細書に組み込まれる。
【０００２】
以下の説明は、全般にワイヤレスネットワーク通信に関し、より詳細には、基地局の間でのデバイス通信のハンドインに関する。
【背景技術】
【０００３】
ワイヤレス通信システムは、たとえば音声、データなど、様々なタイプの通信コンテンツを提供するために広く展開されている。典型的なワイヤレス通信システムは、使用可能なシステムリソース（たとえば、帯域幅、送信出力、．．．）を共有することによって複数のユーザとの通信をサポートすることが可能な多元接続システムであってよい。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、システムは、第３世代パートナーシッププロジェクト（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠し得る。
【０００４】
一般に、ワイヤレス多元接続通信システムは、複数のモバイルデバイスのための通信を同時にサポートすることができる。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、追加の制限された基地局を展開して、より安定したワイヤレスカバレッジをモバイルデバイスに与えることができる。たとえば、さらなる容量の増大、より上等なユーザ体験、屋内または他の特定の地理的カバレッジなどのために、（たとえば、集合的にＨ（ｅ）ＮＢと呼ばれるＨｏｍｅ  ＮｏｄｅＢまたはＨｏｍｅ  ｅＮＢ、フェムトノード、ピコノードなどと一般に呼ばれ得る）ワイヤレス中継局および低出力基地局が展開され得る。いくつかの構成では、モバイル事業者のネットワークへのバックホールリンクを提供することができる、ブロードバンド接続（たとえば、デジタル加入者回線（ＤＳＬ）ルータ、ケーブルまたは他のモデムなど）を介して、そのような低出力基地局をインターネットに接続することができる。したがって、たとえば、ユーザの自宅内に低出力基地局を展開して、ブロードバンド接続を介して１つまたは複数のデバイスにモバイルネットワークアクセスを提供することができる。
【０００６】
たとえば、そのような低出力基地局は、従来の基地局（たとえばマクロセル基地局）への／からの、デバイスのハンドインをサポートすることができる。一例では、このハンドインは、アクティブな呼を行っているデバイスのアクティブモードのハンドインを含み得る。そのようなハンドインには、いくつかの課題があり得る。たとえば、アクティブなハンドイン、特に異周波数のハンドインをトリガする際、低出力基地局へのデバイスのハンドインを開始するための、信頼できるトリガが存在しないことがある。別の例では、ある特定のセルの中の基地局に対して利用可能な識別子の数が、そのセルの中の基地局の数よりも少ないことがあるので、低出力基地局の曖昧さが問題になり得る。したがって、ハンドインの試行の対象である低出力基地局を一意に特定するには、識別子だけでは十分ではないことがある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびそれらの対応する開示に従って、様々な基地局によって送信されるビーコン信号の曖昧さを解消することに関連して、様々な態様が説明される。ビーコンを受信するデバイスは、プライマリスクランブリングコード（ＰＳＣ）のようなビーコンの１つまたは複数の特性を報告することができ、サービング基地局、ターゲット基地局、１つまたは複数のゲートウェイノードなどが、ＰＳＣに基づいて、ビーコンに関連するターゲット基地局を決定することができる。一例では、このことは、サービング基地局、ゲートウェイノード、またはターゲット基地局において１つまたは複数のフィルタを適用して、ターゲット基地局を決定することを含み得る。別の例では、ターゲット基地局は、追加のＰＳＣを送信して、デバイスにより識別されるターゲット基地局の曖昧さを解消するのを支援することができる。
【０００９】
ある例によれば、ワイヤレス通信のための方法が提供される。この方法は、ターゲットフェムトノードに関連するＰＳＣを含む１つまたは複数のパラメータを備えるデバイスのためのハンドオーバーメッセージを受信することと、１つまたは複数のパラメータに一部基づき、ＰＳＣを利用する１つまたは複数のフェムトノードに１つまたは複数のフィルタを適用して、１つまたは複数のフェムトノードの少なくとも１つのフェムトノードがターゲットフェムトノードに相当するかどうかを判定することとを含む。この方法はまた、デバイスのハンドインを受け入れるために、少なくとも１つのフェムトノードを準備することを含む。
【００１０】
別の態様では、ターゲットフェムトノードの曖昧さを解消するための装置が提供される。この装置は、ターゲットフェムトノードに関連するＰＳＣを含む１つまたは複数のパラメータを備えるデバイスのためのハンドオーバーメッセージを受信し、１つまたは複数のパラメータに一部基づき、ＰＳＣを利用する１つまたは複数のフェムトノードに１つまたは複数のフィルタを適用して、１つまたは複数のフェムトノードの少なくとも１つのフェムトノードがターゲットフェムトノードに相当するかどうかを判定するように構成される、少なくとも１つのプロセッサを含む。少なくとも１つのプロセッサはさらに、デバイスのハンドインを受け入れるために、少なくとも１つのフェムトノードを準備するように構成される。この装置はまた、少なくとも１つのプロセッサに結合されたメモリを含む。
【００１１】
さらに別の態様では、ターゲットフェムトノードに関連するＰＳＣを含む１つまたは複数のパラメータを備えるデバイスのためのハンドオーバーメッセージを受信するための手段と、１つまたは複数のパラメータに一部基づき、ＰＳＣを利用する１つまたは複数のフェムトノードに１つまたは複数のフィルタを適用して、１つまたは複数のフェムトノードの少なくとも１つのフェムトノードがターゲットフェムトノードに相当するかどうかを判定するための手段とを含む、ターゲットフェムトノードの曖昧さを解消するための装置が提供される。この装置はさらに、デバイスのハンドインを受け入れるために、少なくとも１つのフェムトノードを準備するための手段を含む。
【００１２】
さらに、別の態様では、ターゲットフェムトノードに関連するＰＳＣを含む１つまたは複数のパラメータを備えるデバイスのためのハンドオーバーメッセージを、少なくとも１つのコンピュータに受信させるためのコードを有するコンピュータ可読媒体を含む、ターゲットフェムトノードの曖昧さを解消するためのコンピュータプログラム製品が提供される。コンピュータ可読媒体はさらに、少なくとも１つのコンピュータに、１つまたは複数のパラメータに一部基づき、１つまたは複数のフィルタを、ＰＳＣを利用する１つまたは複数のフェムトノードへ適用させて、１つまたは複数のフェムトノードの少なくとも１つのフェムトノードがターゲットフェムトノードに相当するかどうか判定させるためのコードと、少なくとも１つのコンピュータに、デバイスのハンドインを受け入れるために少なくとも１つのフェムトノードを準備させるためのコードとを含む。
【００１３】
さらに、ある態様では、ターゲットフェムトノードに関連するＰＳＣを含む１つまたは複数のパラメータを備えるデバイスのためのハンドオーバーメッセージを受信するための通信コンポーネントと、１つまたは複数のパラメータに一部基づき、ＰＳＣを利用する１つまたは複数のフェムトノードに１つまたは複数のフィルタを適用して、１つまたは複数のフェムトノードの少なくとも１つのフェムトノードがターゲットフェムトノードに相当するかどうかを判定するためのフェムトノード曖昧性解消コンポーネントとを含む、ターゲットフェムトノードの曖昧さを解消するための装置が提供される。この装置はさらに、デバイスのハンドインを受け入れるために、少なくとも１つのフェムトノードを準備するためのコンポーネントを含む。
【００１４】
上記および関連する目的を達成するために、１つまたは複数の態様は、以下で十分に説明され特に特許請求の範囲で指摘される特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００１５】
添付の図面とともに以下に説明される開示される態様は、開示される態様を限定するためではなく、開示される態様を例示するために与えられ、同様の符号表示は同様の要素を示す。
【図面の簡単な説明】
【００１６】
【図１】ビーコンを通信してデバイスのための異周波数のアクティブなハンドインを引き起こすための、ある例示的なシステムのブロック図。
【図２】ビーコンを生成してマクロセル周波数を通じて送信するための、ある例示的なシステムのブロック図。
【図３】フェムトノードへのハンドインのためのある例示的なシステムのブロック図。
【図４】ハンドオーバー要求メッセージを送信すべきフェムトノードを決定するための、ある例示的なシステムのブロック図。
【図５】ハンドオーバー要求メッセージを受信するフェムトノードの曖昧さを解消するための、ある例示的なシステムのブロック図。
【図６】デバイスが意図するターゲットフェムトノードとしてフェムトノードの曖昧さを解消するための、ある例示的なシステムのブロック図。
【図７】測定されるビーコンの報告の対象であるフェムトノードへの、デバイスのアクティブなハンドインを支援するための、ある例示的なシステムのブロック図。
【図８】マクロセル動作周波数を通じてフェムトノードのために送信するためのビーコンを生成するための、ある例示的な方法のある態様のフローチャート。
【図９】ビーコンのブロードキャストを修正すべきかどうかを判定するための、ある例示的な方法のある態様のフローチャート。
【図１０】ハンドオーバー要求メッセージを１つまたは複数のフェムトノードに伝える、ある例示的な方法のある態様のフローチャート。
【図１１】フェムトノードへの近接を示す、ある例示的な方法のある態様のフローチャート。
【図１２】フェムトノードへの近接に基づいて、デバイスのための測定設定パラメータを設定する、ある例示的な方法のある態様のフローチャート。
【図１３】デバイスのハンドインのために少なくとも１つのフェムトノードを準備するための、ある例示的な方法のある態様のフローチャート。
【図１４】フェムトノードがターゲットフェムトノードかどうかを判定するための、ある例示的な方法のある態様のフローチャート。
【図１５】ターゲットフェムトノードとして判定された複数のフェムトノードを管理するための、ある例示的な方法のある態様のフローチャート。
【図１６】フェムトノードの１つまたは複数のパラメータを含むハンドオーバーメッセージを送信するための、ある例示的な方法のある態様のフローチャート。
【図１７】マクロセル動作周波数を通じてフェムトノードのために送信するためのビーコンを生成する、ある例示的なシステムのブロック図。
【図１８】ハンドオーバー要求メッセージを１つまたは複数のフェムトノードに伝える、ある例示的なシステムのブロック図。
【図１９】フェムトノードへの近接を示す、ある例示的なシステムのブロック図。
【図２０】フェムトノードへの近接に基づいて、デバイスのための測定設定パラメータを設定する、ある例示的なシステムのブロック図。
【図２１】デバイスのハンドインのための少なくとも１つのフェムトノードを準備する、ある例示的なシステムのブロック図。
【図２２】本明細書に記載の様々な態様による例示的なワイヤレス通信システムのブロック図。
【図２３】本明細書で説明される様々なシステムおよび方法とともに採用され得る例示的なワイヤレスネットワーク環境の図。
【図２４】本明細書の態様が実装され得る、いくつかのデバイスをサポートするように構成された例示的なワイヤレス通信システムを示す図。
【図２５】ネットワーク環境内でフェムトセルの展開を可能にするための例示的な通信システムの図。
【図２６】いくつかの定義されたトラッキングエリアを有するカバレッジマップの例を示す図。
【発明を実施するための形態】
【００１７】
ここで、様々な態様が図面を参照して説明される。以下の記述では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１８】
本明細書でさらに説明されるように、マクロセル基地局からのデバイスのハンドインを開始するように動作可能なビーコンを、フェムトノードにおいて生成することに関連する、様々な態様が提示される。フェムトノードに関連して説明されるが、本明細書の概念は、Ｈ（ｅ）ＮＢ、ピコセルまたはマイクロセルノード、中継ノードなどのような、実質的に任意の低出力基地局とともに利用され得ることを、理解されたい。加えて、アクティブモードのハンドインが考慮されるが、ハンドオーバーのようなさらなる用語が本明細書で利用されることがあり、これらの用語の両方が、ワイヤレス通信における実質的に任意のハンドインまたはハンドオーバー機構を全般に含むことが意図される。一例では、フェムトノードは、マクロセル基地局のネットワークと関連付けられる所与の周波数でビーコンをブロードキャストし、デバイスのハンドインを支援または開始する。さらに、ある態様では、ネットワークは、デバイスがビーコンを検出した時に報告メッセージを生成するようにデバイスを構成することができ、マクロセル基地局または対応するネットワークは、報告メッセージの中の、または、その後ネットワークによって要求された報告メッセージの中の情報を使って、フェムトノードへのデバイスのハンドインをトリガすることができる。したがって、説明される装置および方法のビーコンは、デバイスが、フェムトノードのパイロット信号を取得し、デバイスまたは関連する通信（たとえば、デバイスのアクティブな呼など）をフェムトノードにハンドインすることを可能にする。
【００１９】
たとえば、いくつかの態様では、ビーコンは、異周波数のフェムトノードへのデバイスのハンドインを実行するように、デバイス（および、たとえばマクロセル基地局または対応するネットワーク）をトリガすることができる。他の態様では、たとえば、ビーコンは、ビーコンと関連するフェムトノードを決定するのを支援するために、近接表示を報告するようにデバイスをトリガすることができる。別の態様では、たとえば、ビーコンは、１つまたは複数のデバイスへの干渉を引き起こすことができ、これによって、ネットワークに、測定結果の報告を実行するようにデバイスを構成させることができる。この場合、ネットワークは、対応するプライマリスクランブリングコード（ＰＳＣ）の範囲のような、フェムトセルアクセスポイントまたは関連するビーコンをデバイスが認識するのを助けるための情報をデバイスに提供できるので、ビーコンの測定結果についての報告をネットワークに返すことができる。そのような測定結果の報告は、ハンドオーバー処理を助けるための追加の情報を含み得る。
【００２０】
加えて、さらなる態様では、説明された装置および方法は、フェムトノードの曖昧さの解消を可能にし得る。たとえば、ある態様では、ネットワークは、ターゲットセル識別子、ＰＳＣなどのような、（たとえばビーコンから取得される）デバイスからの報告メッセージ中の情報を使って、ターゲットフェムトノードを一意に特定することができる。加えて、または代替的に、ネットワークは、１つまたは複数のＰＳＣ、デバイスの識別情報、デバイスから受信された測定結果報告、または、測定結果報告の１つまたは複数のパラメータのような情報を、フェムトノードまたは関連するゲートウェイへ提供し、フェムトノードの特定を支援することができる。ある例では、ターゲットフェムトノードおよび／または関連するゲートウェイは、１つまたは複数のフィルタを適用して、１つまたは複数のＰＳＣまたは他の受信されたパラメータに基づいてターゲットフェムトノードを決定することができる。
【００２１】
加えて、ビーコンを送信するための初期出力、最大出力、または現在の出力、ビーコンを送信する期間などのような、ビーコンの多くの特性を本明細書で説明するように設定し、ビーコンと通信する１つまたは複数の基地局またはデバイスに対して引き起こされる、ビーコンの起こり得る干渉を管理することができる。さらに、デバイスがフェムトノードの動作周波数に切り替えてその動作周波数で測定を実行し報告できる、圧縮モードの期間のような、ビーコンを送信するフェムトノードを測定するデバイスの特性を管理することができる。たとえば、デバイスは、フェムトノードに近接していることを示すことができ、サービング基地局は、それに従って、デバイスが近傍にある間は圧縮モードをスケジューリングし、デバイスにおける無線リソースを節減することができる。
【００２２】
本出願で使用される「コンポーネント」、「モジュール」、「システム」などの用語は、限定はされないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、プロセッサ上で実行されるプロセス、プロセッサ、オブジェクト、実行可能ファイル、実行スレッド、プログラム、および／またはコンピュータであってよいが、これらに限定されない。例として、コンピューティングデバイス上で実行されるアプリケーションと、そのコンピューティングデバイスの両方がコンポーネントであってよい。１つまたは複数のコンポーネントがプロセスおよび／または実行スレッド内に存在してよく、コンポーネントは、１つのコンピュータ上に局在してよく、かつ／または２つ以上のコンピュータに分散してよい。さらに、これらのコンポーネントは、様々なデータ構造を記憶している様々なコンピュータ可読媒体から実行することができる。これらのコンポーネントは、信号を介して、ローカルシステム、分散システム内の別のコンポーネントと相互作用し、かつ／または、インターネットなどのネットワーク上で他のシステムと相互作用する、１つのコンポーネントからのデータのような、１つまたは複数のデータパケットを有する信号に従うことなどによって、ローカルプロセスおよび／またはリモートプロセスを介して通信することができる。
【００２３】
さらに、本明細書では、有線端末またはワイヤレス端末であってよい端末に関する様々な態様が説明される。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様が説明される。基地局は、（１つまたは複数の）ワイヤレス端末と通信するために利用することができ、アクセスポイント、Ｎｏｄｅ  Ｂ、ｅｖｏｌｖｅｄ  Ｎｏｄｅ  Ｂ（ｅＮＢ）、Ｈ（ｅ）ＮＢ、または何らかの他の用語で呼ばれることもある。
【００２４】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、語句「ＸはＡまたはＢを使用する」は、ＸがＡを使用する場合、ＸがＢを使用する場合、またはＸがＡとＢの両方を使用する場合のうちのいずれかによって満たされる。その上、本出願と添付の特許請求の範囲とで使用されるとき、冠詞「ａ」と「ａｎ」とは、別段指定されない限り、または単数形を対象とすべきであると文脈から明らかでない限り、通常、「１つまたは複数」を意味すると解釈されるべきである。
【００２５】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用するＵＭＴＳのリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する組織からの文書に記載されている。さらに、ｃｄｍａ２０００およびＵＭＢは、「第３世代パートナーシッププロジェクト２」（３ＧＰＰ２）と称する組織からの文書に記載されている。さらに、そのようなワイヤレス通信システムは、不対無認可帯域、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２６】
様々な態様または特徴が、いくつかのデバイス、コンポーネント、モジュールなどを含み得るシステムに関して提示される。様々なシステムは、追加のデバイス、コンポーネント、モジュールなどを含んでもよく、かつ／または、各図に関連して論じられるデバイス、コンポーネント、モジュールなどのすべてを含まなくてもよいことを理解および諒解されたい。これらの手法の組合せを使用することもできる。
【００２７】
図１を参照すると、ビーコンによって引き起こされるアクティブなハンドインのためのワイヤレス通信システム１００が示される。システム１００は、マクロネットワーク周波数ＦBでビーコン１０４を送信する、フェムトノード１０２を含む。システム１００はまた、マクロセル基地局１１０を介して無線ネットワークコントローラ（ＲＮＣ）１２０とのアクティブな呼１０８に関与できビーコン１０４を検出できる、デバイス１０６を含む。ある例では、したがってデバイス１０６は、デバイス１０６の通信（たとえばアクティブな呼１０８を含む）のフェムトノード１０２へのハンドイン１１２を開始することができる。具体的には、ビーコン１０４を検出すると、デバイス１０６は、１つまたは複数のネットワークノード、たとえば、ＲＮＣ  １２０、コアネットワーク（ＣＮ）１２２（たとえば、ゲートウェイ、モビリティ管理エンティティ、サポーティングノードなどのような、コアワイヤレスネットワークの１つまたは複数のノードを表し得る）、およびフェムトゲートウェイ１２４を通り、通信リンク１２６、１２８、１３０、および１３２を介する、フェムトノード１０２へのハンドオーバー要求メッセージ１１６および１１８の通信をトリガする、報告メッセージ１１４を生成することができる。それに応答して、たとえば、フェムトノード１０２は、ネットワークを通じて通信し戻されデバイス１０６によって受信され得る、ハンドオーバー命令メッセージ１３４を生成する。
【００２８】
ハンドオーバー命令メッセージ１３４は、デバイス１０６が、通信（たとえばアクティブな呼１０８を含む）をフェムトノード１０２へハンドインできるようにする。たとえば、アクティブな呼１０８を含む通信は、フェムトノードのパイロット周波数ＦH  １３６で搬送され得る。たとえば、フェムトノード１０２の動作周波数であり得る、フェムトノードのパイロット周波数ＦHは、ビーコン１０４の送信に使われるマクロネットワーク周波数ＦBとは異なる周波数であり得る。したがって、フェムトノード１０２がマクロセル基地局１１０とは異なる周波数で動作する場合でも、フェムトノード１０２によって送信されるビーコン１０４は、マクロセル基地局１１０からの通信のフェムトノード１０２への通信のハンドイン１１２を引き起こす。
【００２９】
一例では、フェムトノード１０２は、マクロセル基地局１１０またはＣＮ  １２２に関連する他の基地局によって送信されるビーコンと同様のものになるように、ビーコン１０４を生成することができる。したがって、たとえば、ビーコン１０４は、ＣＮ  １２２に参加する基地局のビーコンによって利用される、様々なチャネルを含み得る。別の例では、フェムトノード１０２は、ビーコン１０４の出力を制御して、マクロセル基地局１１０および／または他のフェムトセル基地局もしくはマクロセル基地局への、１つまたは複数の他のデバイスの通信に干渉するのを避けることができる。たとえば、フェムトノード１０２は、ビーコン１０４によって引き起こされるそのような干渉を検出しようとすることができ、かつ／または、干渉を軽減するために利用すべき出力を決定するために、そのような干渉を示すものを受信することができる。
【００３０】
いくつかの態様では、デバイス１０６からのメッセージ１１４の受信の後で、ＲＮＣ  １２０は、デバイス１０６が、１つまたは複数のメッセージ１３８をＲＮＣ  １２０に伝えることによって、フェムトノード１０２または対応するビーコン１０４に関する追加のパラメータを報告することを要求できることに留意されたい。デバイス１０６は次いで、１つまたは複数の追加の報告メッセージ１４０を生成して、要求された情報を報告することができる。一例では、デバイス１０６は、ビーコン１０４から、および／または、フェムトノード１０２の動作周波数を通じて他の信号を受信することによって、追加のパラメータを取得することができる。したがって、一例では、ＲＮＣ  １２０は、デバイス１０６の圧縮モードをスケジューリングして、フェムトノード１０２からの信号を測定することができる。一例では、デバイス１０６は、フェムトノード１０２へ近接していることをＲＮＣ  １２０に示すことができ、これによって、ＲＮＣ  １２０に、圧縮モードをスケジューリングさせることができる。たとえば、デバイス１０６は、近接メッセージを介して近接していることを明確に示すこと、ＲＮＣ  １２０が近接として解釈する測定結果報告メッセージを介して暗に示すことなどができる。
【００３１】
システム１００では、ハンドインを継続するために、メッセージ１１４および／または（１つまたは複数の）メッセージ１４０からの情報を使って、デバイス１０６によって検出される適切なフェムトノード１０２の識別を可能にできる。たとえば、フェムトノード１０２、ＲＮＣ  １２０、ＣＮ  １２２、フェムトゲートウェイ１２４、および／または他のコンポーネントによって、曖昧さの解消を実行することができる。本明細書でさらに論じられるように、そのような曖昧さの解消によって、フェムトノードまたはビーコンの識別子の再使用が行われる場合に、ビーコン１０４に対応するフェムトノード１０２を、エリアまたはセルの中で特定できるようになる。
【００３２】
ある例では、フェムトノード１０２、ＲＮＣ  １２０、ＣＮ  １２２、フェムトゲートウェイ１２４、および／または他のコンポーネントは、本明細書でさらに説明されるように、１つまたは複数のフィルタを適用することによって、ビーコンの曖昧さを解消することができる。たとえば、フェムトゲートウェイ１２４は、ソースフィルタを適用して、マクロセル基地局１１０、関連するセル、ＲＮＣ  １２０などを識別することができる。これによって、たとえば、フェムトノード１０２および／またはフェムトゲートウェイ１２４が、ターゲットフェムトノードを、閾値の距離以内にある１つまたは複数のフェムトノードへと絞り込めるようになる。他のフィルタは、フェムトノードとソースマクロセル基地局とのタイミング差をデバイス１０６によって報告されるタイミング差と比較する、観測時間差（ＯＴＤ）フィルタと、報告メッセージ１１４において得ることができる規定されたＰＳＣと動作周波数とを有するフェムトノードを決定する、ＰＳＣフィルタと、デバイス１０６がアクセスを有する（たとえば、制限された接続の実装形態において）フェムトノードを識別する、アクセス制御フィルタと、デバイス１０６の存在に対応するアップリンク（ＵＬ）受信信号強度インジケータ（ＲＳＳＩ）の上昇を有するフェムトノードを決定する、ＵＬ  ＲＳＳＩフィルタと、デバイス１０６のハンドインを受け入れることができるフェムトノードを決定する、アクティブハンドイン適格性フィルタと、デバイス１０６によって報告される送信／受信タイミングに従ってフェムトノードを決定する、タイミングフィルタなどを含み得る。
【００３３】
さらに、ある例では、フェムトノード１０２、ＲＮＣ  １２０、ＣＮ  １２２、フェムトゲートウェイ１２４、および／または他のコンポーネントは、フェムトノード１０２が複数のＰＳＣを送信できるようにすることによってビーコンの曖昧さを解消することができ、複数のＰＳＣの各々は、ターゲットフェムトノードを決定するために受信され使用され得る。加えて、ビーコンの曖昧さを解消できない場合は、複数のフェムトノード１０２は、デバイス１０６のハンドオーバーのために準備され得る。さらに、マクロセル基地局１１０は、曖昧さの解消が成功しない場合、ハンドオーバーによってデバイス１０６がマクロセル基地局１１０へと戻れるようになることが確認されるまで、デバイス１０６により使用されるリソースを保持することができる。
【００３４】
図２を参照すると、フェムトノードへのアクティブなハンドインをデバイスに実行させるための、ワイヤレス通信システム２００が示される。システム２００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム２００はまた、フェムトノード１０２および１つまたは複数の他のフェムトノード（図示せず）の１つまたは複数のパラメータを管理する、フェムトゲートウェイ１２４を任意選択で含み得る。フェムトノード１０２は、本明細書で説明されるコンポーネントまたは機能のうちの１つまたは複数に関連する処理を実行するための、プロセッサ２０２を含み得る。プロセッサ２０２は、プロセッサまたはマルチコアプロセッサの単一または複数のセットを含み得る。さらに、プロセッサ２０２は、統合処理システムおよび／または分散処理システムとして実装され得る。
【００３５】
フェムトノード１０２はさらに、プロセッサ２０２によって実行されているローカルのアプリケーション、そのアプリケーションの命令、本明細書で説明される１つまたは複数の機能を実行するための命令などを記憶するためのメモリのような、メモリ２０４を含み得る。メモリ２０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せのような、コンピュータが使用できる任意のタイプのメモリを含み得る。
【００３６】
さらに、フェムトノード１０２は、たとえば、本明細書で説明されるようなハードウェア、ソフトウェア、およびサービスを利用して、フェムトゲートウェイ１２４、ＣＮ  １２２（たとえばフェムトゲートウェイ１２４を介した）などのような、システム２００の１つまたは複数の他のコンポーネントとの通信の確立と維持とを実現する、通信コンポーネント２０６を含み得る。通信コンポーネント２０６は、フェムトノード１０２上のコンポーネント間の通信、さらに、フェムトノード１０２と、外部デバイス、たとえば、通信ネットワークにわたって位置するデバイス（たとえば、ＣＮ  １２２の１つまたは複数のコンポーネント、デバイス１０６など）および／またはフェムトノード１０２と連続的にまたはローカルに接続されるデバイスとの通信を、搬送することができる。たとえば、通信コンポーネント２０６は、１つまたは複数のバスを含んでよく、デバイス１０６のような外部デバイスと対話するために動作可能な、１つもしくは複数の送信機および受信機、または送受信機をそれぞれ含む、送信チェーンコンポーネントと受信チェーンコンポーネントとをさらに含み得る。
【００３７】
加えて、フェムトノード１０２は、データストア２０８をさらに含んでよく、データストア２０８は、本明細書で説明する態様に関連して利用される情報、データベース、およびプログラムの大容量記憶を実現する、ハードウェアおよび／またはソフトウェアの任意の適切な組合せであり得る。たとえば、データストア２０８は、プロセッサ２０２によって現在実行されていないアプリケーションのためのデータリポジトリであり得る。
【００３８】
フェムトノード１０２は、フェムトノード１０２のユーザから入力を受信するように動作可能であり、ユーザへの提示のための出力を生成するようにさらに動作可能な、ユーザインターフェースコンポーネント２１０を任意選択で含み得る。ユーザインターフェースコンポーネント２１０は、限定はされないが、キーボード、テンキー、マウス、タッチ感知式ディスプレイ、ナビゲーションキー、ファンクションキー、マイクロフォン、音声認識コンポーネント、ユーザからの入力を受け取ることが可能な任意の他の機構、またはそれらの任意の組合せを含む、１つまたは複数の入力デバイスを含み得る。さらに、ユーザインターフェースコンポーネント２１０は、限定はされないが、ディスプレイ、スピーカ、触覚フィードバック機構、プリンタ、出力をユーザに提示することが可能な任意の他の機構、またはそれらの任意の組合せを含む、１つまたは複数の出力デバイスを含み得る。
【００３９】
加えて、フェムトノード１０２は、１つまたは複数のビーコン１０４を生成するための、ビーコン生成コンポーネント２１２と、フェムトノード１０２へのデバイスのアクティブなハンドインを実行するための、ハンドオーバー管理コンポーネント２１４とを含み得る。フェムトノード１０２は任意選択で、１つまたは複数のビーコン１０４の送信のための出力を決定および／または調整するための、ビーコン出力決定コンポーネント２１６、および／または、フェムトノード１０２がデバイス１０６の意図されたターゲットフェムトノードかどうかを判定するための、フェムトノード曖昧性解消コンポーネント２１８も含み得る。
【００４０】
ある例によれば、ビーコン生成コンポーネント２１２はビーコン１０４を生成することができ、ビーコン１０４は、ＣＮ  １２２の基地局によるダウンリンク送信（たとえば、フェムトノード１０２の動作周波数のような、別のキャリアを通じたフェムトノード１０２の送信）を模倣することができ、通信コンポーネント２０６は、デバイス１０６または他のデバイスによるアクティブなハンドインを引き起こすために、ＣＮ  １２２の中のマクロセル基地局によって利用される周波数を通じて、ビーコン１０４を送信することができる。たとえば、ビーコン生成コンポーネント２１２は、パイロットチャネル（たとえば、広帯域ＣＤＭＡ（Ｗ-ＣＤＭＡ）におけるｃｏｍｍｏｎ  ｐｉｌｏｔ  ｉｎｄｉｃａｔｏｒ  ｃｈａｎｎｅｌ  （ＣＰＩＣＨ））、同期チャネル（たとえば、Ｗ-ＣＤＭＡ）におけるｐｒｉｍａｒｙ  ｓｙｎｃｈｒｏｎｉｚａｔｉｏｎ  ｃｈａｎｎｅｌ  （ＰＳＣＨ）、ｓｅｃｏｎｄａｒｙ  ｓｙｎｃｈｒｏｎｉｚａｔｉｏｎ  ｃｈａｎｎｅｌ  （ＳＳＣＨ）など）、制御チャネル（たとえば、Ｗ-ＣＤＭＡにおけるｐｒｉｍａｒｙ  ｃｏｍｍｏｎ  ｃｏｎｔｒｏｌ  ｐｈｙｓｉｃａｌ  ｃｈａｎｎｅｌ  （Ｐ−ＣＣＰＣＨ））などをビーコン１０４内に含めて、マクロセル基地局１１０または同様のビーコンを模倣することができる。加えて、マクロセル基地局１１０の動作周波数は、フェムトノード１０２の動作周波数とは異なっていてよいので、マクロセル基地局１１０の動作周波数で送信されるビーコン１０４は、マクロセル基地局１１０によってサービスされるデバイス１０６の異周波数のハンドインを引き起こし得る。
【００４１】
デバイス１０６は、マクロセル基地局の周波数を通じてビーコン１０４を受信することができ（たとえば、マクロセル基地局１１０と通信している間に）、測定結果報告において、ビーコンに関する１つまたは複数のパラメータをＲＮＣ  １２０に報告することができる。ＲＮＣ  １２０、フェムトゲートウェイ１２４、および／または、ＣＮ  １２２の１つもしくは複数のコンポーネントは、本明細書でさらに説明されるように、フェムトノード１０２を特定して、測定結果報告に基づいてデバイス１０６にフェムトノード１０２へハンドインさせることができる。たとえば、ハンドオーバー管理コンポーネント２１４は、ハンドインを行うデバイス１０６に関連する情報を提供するハンドオーバーメッセージを、ＲＮＣ  １２０から（たとえば、ＣＮ  １２２および／またはフェムトゲートウェイ１２４を介して）取得することができる。このメッセージは、ｒａｄｉｏ  ａｃｃｅｓｓ  ｎｅｔｗｏｒｋ  ａｐｐｌｉｃａｔｉｏｎ  ｐａｒｔ（ＲＡＮＡＰ）移転要求メッセージまたは同様のメッセージであってよい。ハンドオーバー管理コンポーネント２１４は、それに従って、無線リソース制御（ＲＲＣ）ハンドオーバー命令を構築して、フェムトノード１０２と通信するようにデバイス１０６を構成することができる。たとえば、このことは、フェムトノード１０２から信号を受信するための対応するＰＳＣによって、フェムトノード１０２の動作周波数でデバイス１０６を構成することと、この命令をデバイス１０６へ伝える（たとえば、フェムトゲートウェイ１２４、ＣＮ  １２２、および／またはＲＮＣ  １２０を介して）こととを含み得る。ＲＮＣ  １２０は、それに従って、マクロセル基地局１１０を介した、フェムトノード１０２へのハンドオーバーのためにデバイスを構成することができる。
【００４２】
具体的な例として、ビーコン生成コンポーネント２１２は、ＣＰＩＣＨによってビーコン１０４をブロードキャストすることができ、ＣＰＩＣＨは、マクロセル基地局１１０の周波数上の１つまたは複数の限定加入者グループ（ＣＳＧ）リストからの別のＰＳＣを含み得る。たとえば、フェムトノード１０２は、本明細書でさらに説明されるように、あるデバイスへのアクセス、および／またはあるデバイスへの変化するレベルのアクセスを許可するために、制限された接続を実施することができる。ビーコン生成コンポーネント２１２は、ビーコン１０４のＣＰＩＣＨの中のパイロットをスクランブリングするのに利用される別のＰＳＣに基づいて、ＣＳＧの識別子を通知することができる。ビーコン１０４のＰＳＣは、フェムトノード１０２の動作周波数で通信するためにフェムトノード１０２によって使われるＰＳＣ（たとえば、動作周波数を通じたパイロット信号において示されるような）と、異なっていても同一であってもよい。この例では、デバイス１０６は、ビーコン１０４に使われるＰＳＣ（および／または、デバイス１０６が動作周波数上のパイロット信号を測定できる場合、動作周波数上で使われるＰＳＣ）に基づいて、ＣＳＧを特定することができ、かつ／または、マクロセル基地局１１０への測定結果報告に、そのような識別情報または（１つまたは複数の）ＰＳＣを含めることができる。
【００４３】
たとえば、フェムトノード１０２およびその動作周波数を通じてフェムトノード１０２によって使われるＰＳＣによって、ビーコン１０４の中で生成されるＰＳＣは、同じＰＳＣまたは異なるＰＳＣであり得る。ある例では、セル識別子への（１つまたは複数の）ＰＳＣの対応付けが、ＲＮＣ  １２０、ＣＮ  １２２、フェムトゲートウェイ１２４などに記憶され、ＰＳＣの１つまたは複数に基づいて、フェムトノード１０２を少なくとも部分的に特定するのを支援することができる。一例では、ビーコン１０４のＰＳＣの、動作周波数を通じたフェムトノード１０２のＰＳＣに対する、１対１の対応付け、多数対１の対応付け、１対多数の対応付けなどが存在してよく、これらの対応付けの各々は、フェムトノード１０２のセルの識別情報と関連付けられ得る。したがって、一例では、ビーコン１０４のためのＰＳＣは、ビーコン１０４のＰＳＣとフェムトノード動作周波数のＰＳＣとの一意な組合せを上記の対応付けに含めるために生成し、その後、報告されたＰＳＣに基づいてフェムトゲートウェイ１２４を特定するように、（たとえばフェムトゲートウェイ１２４またはＣＮ  １２２によって）割り当てられ得る。
【００４４】
別の具体的な例では、ビーコン生成コンポーネント２１２は、１つまたは複数のシステム情報ブロック（ＳＩＢ）、マスター情報ブロック（ＭＩＢ）を提供できるＰ−ＣＣＰＣＨをビーコン１０４に含めることができ、ＳＩＢ、ＭＩＢは、デバイス１０６が測定結果報告においてフェムトノード１０２に関連する識別情報を報告するのに利用できる、ＣＳＧの識別子、セルの識別子などを含み得る。たとえば、報告された識別子は、ＣＳＧの識別子、セルの識別子などであってよく、かつ／または、ＣＳＧの識別子、セルの識別子などに一部基づいて決定された識別子であってよい。
【００４５】
別の例では、ビーコン生成コンポーネント２１２は、ビーコン１０４内の個々のチャネル（たとえば、ＣＰＩＣＨ、ＰＳＣＨ／ＳＳＣＨ、Ｐ−ＣＣＰＣＨなど）の相対的な出力レベルを制御することができる。たとえば、ビーコン生成コンポーネント２１２は、Ｐ−ＣＣＰＣＨの出力を増大させて、デバイス１０６がシステム情報を受信するのに必要な時間を最小にすることができる。いずれの場合でも、たとえば、デバイス１０６から（たとえばマクロセル基地局１１０を介して）測定結果報告を受信すると、ＲＮＣ  １２０は、デバイス１０６をフェムトノード１０２へハンドインさせること、フェムトノード１０２の動作周波数でフェムトノード１０２を測定するように、デバイス１０６の測定設定パラメータ（たとえば圧縮モードのパラメータ）を設定させることなどのうちの少なくとも１つを行うことができる。したがって、ＲＮＣ  １２０が、デバイス１０６をハンドインすると決定すると、ＲＮＣ  １２０は、１つまたは複数のメッセージをフェムトノード１０２へ伝えて、ハンドインに備えることができる。本明細書でさらに説明されるように、ハンドオーバー管理コンポーネント２１４は、（たとえば、ＣＮ  １２２の１つまたは複数のコンポーネント、フェムトゲートウェイ１２４などを介して）ＲＮＣ  １２０からそのようなメッセージを受信することができ、デバイス１０６のハンドインに備えることができる。加えて、ある例では、ＲＮＣ  １２０がフェムトノード１０２の動作周波数またはフェムトノード１０２の１つもしくは複数のパラメータを知らない場合、ハンドオーバー管理コンポーネント２１４は、フェムトノード１０２の動作周波数（たとえば、および／または動作周波数を通じて使われるＰＳＣ）をＲＮＣ  １２０へ伝えて、デバイスがフェムトノード１０２へハンドインすることに対してＲＮＣ  １２０が準備できるようにし得る。
【００４６】
さらに、ある例では、ビーコン生成コンポーネント２１２は、デバイス１０６への干渉としてビーコンを生成することができる。この例では、ＲＮＣ  １２０は、（たとえば、Ｗ−ＣＤＭＡにおけるイベント１ｆ、２ｂ、２ｄなどと同様に）マクロセル基地局１１０の信号品質が閾値レベルを下回った時に、測定結果報告を生成するようにデバイス１０６を構成することができる。測定結果報告の生成がトリガされると、デバイス１０６は、ＲＮＣ  １２０によるそのような測定の設定に基づいて、説明されたような、フェムトノード１０２のＰＳＣまたは関連するビーコン１０４のＰＳＣ、さらに、チップレベルのタイミング情報、システムフレーム番号（ＳＦＮ）−セルフレーム番号（ＣＦＮ）のようなレイヤ２（たとえばメディアアクセス制御（ＭＡＣ）層）情報、セルの識別情報、ＣＳＧの識別情報、他の制限された接続のメンバーシップ情報などのような、追加の情報を報告する。たとえば、そのような情報は、他のフェムトノードのビーコンに対するビーコン１０４の曖昧さを解消するのを、かつ／またはフェムトノード１０２へのデバイス１０６のアクセス権を決定するのを、支援することができる。
【００４７】
さらに、ビーコン出力決定コンポーネント２１６は、通信コンポーネント２０６が、１つまたは複数のデバイスに対する干渉を軽減するためにビーコン１０４を送信する際に使える、送信出力を選択することができる。たとえば、ビーコン出力決定コンポーネント２１６は、ビーコン１０４の送信の前および／またはその間にアップリンクキャリアで検出される受信信号強度インジケータ（ＲＳＳＩ）に基づいて、出力を決定することができる。たとえば、ビーコン出力決定コンポーネント２１６は、通信コンポーネント２０６によって受信されたアップリンク信号に基づいて、ＲＳＳＩを取得することができる。加えて、ビーコン出力決定コンポーネント２１６は、１つまたは複数のＲＳＳＩの測定結果を利用して、デバイス１０６のようなデバイスの存在を検出することができる。たとえば、ＲＳＳＩが閾値レベルを超える場合、および／またはある期間にわたるＲＳＳＩの変化が少なくとも閾値である場合、ビーコン出力決定コンポーネント２１６は、デバイス１０６が存在すると判定することができる。ビーコン出力決定コンポーネント２１６は、デバイス１０６の検出された存在および／またはＲＳＳＩのレベルを使って、ビーコンをオンまたはオフし、かつ／または、ビーコン１０４を送信するための出力を調整することができる。
【００４８】
加えて、ビーコン出力決定コンポーネント２１６は、マクロセル基地局１１０（および／または他の基地局）に関連する１つまたは複数のパラメータに少なくとも一部基づいて、閾値のＲＳＳＩおよび／またはＲＳＳＩの変化の閾値を決定して、マクロセル基地局１１０に対する干渉を軽減することができる。たとえば、ビーコン出力決定コンポーネント２１６は、マクロセル基地局１１０への経路損失、マクロセル基地局１１０における雑音の上昇、マクロセル基地局１１０において許容されるダウンリンクパイロットチャネルの最大出力、マクロセル基地局１１０におけるデバイス１０６に対するアップリンクの信号対雑音比（ＳＩＲ）の目標などのうちの、少なくとも１つを取得することができる。前述のうちの少なくとも１つに基づいて、この例では、ビーコン出力決定コンポーネント２１６は、ビーコン１０４によって引き起こされ得るマクロセル基地局１１０に対する干渉を軽減するために、ビーコン１０４を調整すること、または、ビーコン１０４をオンもしくはオフすることに関連する、ＲＳＳＩの閾値および／またはある期間にわたるＲＳＳＩの変化の閾値を、設定することができる。
【００４９】
加えて、ビーコン出力決定コンポーネント２１６は、１つまたは複数の他のパラメータに基づいて、ビーコン１０４の送信出力を設定することができる。たとえば、ビーコン決定コンポーネント２１６は、マクロセル基地局１１０において設定される閾値または他のイベント、たとえば、特定のＷ−ＣＤＭＡ構成における、異周波数の測定に対するイベント１ａ、ヒステリシス、およびイベント２ｄに基づいて、送信出力を設定することができる。別の例では、ビーコン出力決定コンポーネント２１６は、ビーコン１０４に対応するセル個別オフセット（ＣＩＯ：cell individual offset）に少なくとも一部基づいて、送信出力を決定することができる。たとえば、ビーコン出力決定コンポーネント２１６は、ＲＡＮＡＰハンドインメッセージングもしくは他のメッセージングに含まれるＲＮＣ  １２０における測定設定、ＣＮ  １２２の１つもしくは複数のコンポーネント（たとえば、ｏｐｅｒａｔｉｏｎｓ  ａｄｍｉｎｉｓｔｒａｔｉｏｎ  ａｎｄ  ｍａｉｎｔｅｎａｎｃｅ（ＯＡＭ）サーバなど）によって受信される設定、マクロセル基地局１１０へのバックホールリンク、１つもしくは複数のデバイスとの通信、または他のｏｖｅｒ−ｔｈｅ−ａｉｒ（ＯＴＡ）接続などのうちの少なくとも１つから、そのようなパラメータを取得することができる。さらに、ビーコン出力決定コンポーネント２１６は、デバイス１０６または１つもしくは複数の他のデバイスから検出される信号の種類に基づいて、送信出力を設定することができる。
【００５０】
別の例では、ビーコン出力決定コンポーネント２１６は、通信コンポーネント２０６を利用して、複数のキャリア上のＲＳＳＩを測定することができる。この例では、ビーコン出力決定コンポーネント２１６は、デバイス１０６の異周波数のハンドインを示し得る、一方のキャリアでのＲＳＳＩの低下と、もう一方のキャリアでのＲＳＳＩの対応する上昇とを検出することによって少なくとも一部、デバイス１０６の存在を感知することができる。ビーコン１０４に関連するキャリアへのハンドオーバーが検出されると（たとえば、キャリアのＲＳＳＩが閾値レベルを超えて上昇すると）、ビーコン出力決定コンポーネント２１６は、それに従って、そのキャリア上のビーコン１０４をオフにし、かつ／またはその出力を下げることができる。
【００５１】
さらに別の例では、ビーコン出力決定コンポーネント２１６は、デバイス１０６の存在の検出に基づいて、ビーコン１０４をオンにし、かつ／または、対応する送信出力を選択することができる。したがって、（たとえば、上で説明されたような、または他の）１つまたは複数の感知機構を使って、ビーコン出力決定コンポーネント２１６は、デバイスの存在を検出することができ、それに従って、ＲＳＳＩ、ある期間にわたるＲＳＳＩの測定された変化などの関数として、ビーコン１０４の送信出力を設定することができる。一例では、ハンドオーバー管理コンポーネント２１４は、デバイス１０６がフェムトノード１０２に関連するＣＳＧのメンバーであるかどうかを判定することができ、メンバーではない場合、ビーコン出力決定コンポーネント２１６は、ビーコン１０４をオフにし、またはその出力を下げることができる。一例では、ハンドオーバー管理コンポーネント２１４は、ＲＮＣ  １２０からの受信されたハンドオーバー要求に基づいて、デバイス１０６の認証を試みることによって、上記のような判定を行うことができる。別の例では、ハンドオーバー管理コンポーネント２１４は、ＲＳＳＩまたはＲＳＳＩの変化が閾値にあることを検出してからある期間が経っても、ＲＮＣ  １２０からのハンドオーバー要求メッセージを受信しないことに基づいて、上記のような判定を行うことができる。たとえば、このことは、感知されたデバイス１０６がフェムトノード１０２の範囲にありビーコン１０４を受信しているが、フェムトノード１０２へのハンドインを試みていない（たとえば、デバイス１０６がＣＳＧの中にないとデバイス１０６が判定したために）ことを、示し得る。
【００５２】
一例では、音声の呼のデバイス１０６におけるアップリンク送信出力は、パケット交換（ＰＳ）の呼またはｈｉｇｈ  ｓｐｅｅｄ  ｕｐｌｉｎｋ  ｐａｃｋｅｔ  ａｃｃｅｓｓ（ＨＳＵＰＡ）の呼の出力よりも低くてよいので、ＲＳＳＩの上昇がより低くなり得る。したがって、ビーコン出力決定コンポーネント２１６によって検出される、ＲＳＳＩの所与の上昇は、フェムトノード１０２の近くにある、音声の呼の最中のデバイスによって引き起こされ、または、フェムトノード１０２からより離れたデバイスからのＰＳ／ＨＳＵＰＡの呼によって引き起こされ得る。この例では、接近しているデバイス１０６が、フェムトノード１０２から閾値の距離にある時にアクティブなハンドインをトリガできるように、ビーコン出力決定コンポーネント２１６は、ビーコン１０４の出力を、比較的少量だけ低減することができる。一例では、これによって、別の非フェムトキャリアへの、デバイスによる異周波数のハンドインが試行され得るが、代替として、フェムトノード１０２への、デバイス１０６によるアクティブなハンドインが試行されてもよい。
【００５３】
ビーコン出力決定コンポーネント２１６は、ビーコン１０４によって引き起こされる干渉の軽減、ビーコン１０４の品質の維持、Ｗ−ＣＤＭＡにおけるイベント１ａまたは他のハンドインイベントのようなイベントをデバイス１０６においてトリガするための状態の生成のうちの少なくとも１つを試みる中で、ビーコン１０４の出力を設定することができる。加えて、ビーコン出力決定コンポーネント２１６は、ビーコン１０４の最大出力を設定することができ、このことは、ビーコン１０４の所望の信号強度を、所望の距離においてあるレベルに維持すること、または所望の経路損失に維持することのうちの少なくとも１つに基づき得る。たとえば、ビーコン出力決定コンポーネント２１６は、近くの基地局のパラメータに従って、たとえば、マクロセル基地局１１０のような近くの基地局の信号強度を、ネットワーク聴取モジュール（ＮＬＭ：network listening module）を使って測定すること、基地局からＳＩＢパラメータを受信することなどによって、上記のような決定を行うことができる。この点に関して、フェムトノード１０２が、マクロセル基地局１１０に対して異なる場所（たとえば、セル端またはセルサイトのような）に位置する場合、ビーコン出力決定コンポーネント２１６は、ビーコン１０４の異なる送信出力を決定することができる。
【００５４】
アップリンク出力の測定に基づいてデバイス１０６を感知することに関して説明されたが、ビーコン出力決定コンポーネント２１６は、デバイス１０６のＲＡＮＡＰ再配置要求メッセージを受信したことに基づいて、デバイス１０６の存在を検出することもできることを理解されたい。加えて、マクロセル基地局１１０の動作周波数を通じて送信されるビーコン１０４に関して上で説明されたが、通信コンポーネント２０６は、ＣＮ  １２２に関連する他の基地局の動作周波数に相当し得る追加の周波数を通じて、ビーコン１０４および／または他のビーコンを送信できることを理解されたい。通信コンポーネント２０６は、ビーコン１０４の周波数ホッピングを実行して、異なる期間において異なる周波数にわたってビーコン１０４をホッピングさせることができる。上で説明された態様によれば、この例では、ビーコン出力決定コンポーネント２１６はまた、複数の動作周波数にわたるアップリンクでのデバイスの感知を実行することができる。一例では、ビーコン生成コンポーネント２１２は、所与の期間で複数の周波数を循環するように、ビーコンを生成することができる。たとえば、この循環は、ビーコン出力決定コンポーネント２１６によって実行されるアップリンクの感知に少なくとも一部基づき得るので、低いＲＳＳＩまたは他の測定結果を有する周波数キャリアが、ビーコンに対して選択されて、他のデバイスに対して引き起こされる干渉を軽減することができる。別の例では、そのキャリアのＲＳＳＩの上昇を引き起こすデバイスのハンドインをトリガするために、ビーコン生成コンポーネント２１２は、そのＲＳＳＩの上昇がビーコンについて観測される周波数キャリアを選択することができる。加えて、ビーコン１０４の送信は、１つまたは複数の構成などに従って、定期的にまたは非定期的に実行され得る。
【００５５】
加えて、一例では、デバイス１０６のハンドインに関連して、フェムトゲートウェイ１２４またはＲＮＣ  １２０から（たとえばＣＮ  １２２を介して）ハンドオーバーメッセージを受信すると、フェムトノード曖昧性解消コンポーネント２１８は、フェムトノード１０２がデバイス１０６のハンドインの候補であるかどうかを判定することができる。たとえば、この判定は、マクロセル基地局１１０および／またはデバイス１０６までの経路損失、（たとえば、フェムトノード１０２の位置と比較された）デバイス１０６の受信された位置、１つまたは複数の報告されたＰＳＣ、１つまたは複数のデバイスの存在を判定するためにＲＳＳＩ（たとえば前のＲＳＳＩまたは他のものと比較された）を測定することなどに、一部基づき得る。別の例では、本明細書でさらに説明されるように、フェムトノード１０２が候補であるかどうかを判定することは、１つまたは複数の信号の測定結果、タイミングの測定結果、または、フェムトノード１０２の情報を知るためにデバイス１０６によって測定され報告される、サービングマクロセル基地局のタイミングの測定結果の差、タイミングオフセットなどを比較することに、少なくとも一部基づき得る。
【００５６】
一例では、ハンドオーバーメッセージは、ターゲットフェムトノードに関連する情報を含んでよく、この情報は、そのターゲットフェムトノードが本当にデバイス１０６により検出されたターゲットフェムトノード１０２かどうかを判定する際に、フェムトノード１０２を支援することができる。説明されたように、複数のフェムトノードが同一のＰＳＣを使用することがあり（たとえば、限られた名前空間、計画的な構成の欠落などのために）、したがってフェムトノード曖昧性解消コンポーネント２１８は、フェムトノード１０２が、デバイス１０６によって再選択を意図されるターゲットフェムトノードである可能性があるかどうかを識別するために、１つまたは複数の機能を実行することができる。一例では、ＣＮ  １２２、フェムトゲートウェイ１２４などから受信されたハンドオーバーメッセージは、デバイス１０６によって報告されたＰＳＣおよび／または他のパラメータを含み得る。別の例では、フェムトゲートウェイ１２４は、デバイス１０６から受信されたようなパラメータ、または場合によってはデバイス１０６からのパラメータに基づいて決定されたようなパラメータを、ハンドオーバーメッセージに追加することができる。いずれの場合でも、フェムトノード曖昧性解消コンポーネント２１８は、１つまたは複数のフィルタを適用して、ＰＳＣおよび／または他のパラメータに一部基づき、フェムトノード１０２がデバイス１０６により意図されるターゲットフェムトノードかどうかを判定することができる。
【００５７】
上で説明され本明細書でさらに説明されるように、たとえば、フェムトノード曖昧性解消コンポーネント２１８は、ソースフィルタを適用して、マクロセル基地局１１０、関連するセル、ＲＮＣ  １２０などを識別することができる。これによって、たとえば、フェムトノード曖昧性解消コンポーネント２１８が、ターゲットフェムトノードを、ＲＮＣ  １２０から閾値の距離以内にある１つまたは複数のフェムトノードへと絞り込めるようになる。他のフィルタは、フェムトノード１０２に関連するタイミング差をデバイス１０６によって報告されるタイミング差と比較する、ＯＴＤフィルタと、フェムトノード１０２のＰＳＣおよび動作周波数とデバイス１０６によって報告される（たとえば、測定結果報告または他の報告メッセージの中の）ＰＳＣおよび動作周波数を比較する、ＰＳＣフィルタと、デバイス１０６がフェムトノード１０２にアクセスできるかどうかを識別する（たとえば、フェムトノード１０２が、限定加入者グループ（ＣＳＧ）のような制限された接続と相互に関連がある場合に）、アクセス制御フィルタと、フェムトノード１０２の被る雑音の増加が（もしあれば）デバイスの存在に対応するかどうかを判定する、ＵＬ  ＲＳＳＩフィルタと、フェムトノード１０２がデバイス１０６のハンドインを受け入れることができるかどうかを決定する、アクティブハンドイン適格性フィルタと、フェムトノード１０２のタイミングとデバイス１０６によって報告されるタイミングとを比較する、タイミングフィルタなどを含み得る。
【００５８】
フェムトノード１０２はターゲットフェムトノードであると、フェムトノード曖昧性解消コンポーネント２１８が判定した場合、ハンドオーバー管理コンポーネント２１４は、デバイス１０６のハンドインを受け入れることができる。一例では、このことは、ＲＮＣ
１２０および／またはデバイス１０６へと通信してハンドインを支援するために、ハンドオーバーメッセージ（たとえば、ＲＡＮＡＰ再配置応答メッセージ）をフェムトゲートウェイ１２４、ＣＮ  １２２などへ通信することを含み得る。フェムトノード１０２がデバイス１０６の意図するフェムトノードではないと、フェムトノード曖昧性解消コンポーネント２１８が判定した場合、ハンドオーバー管理コンポーネント２１４は、ハンドインを拒絶することができ、または場合によっては拒否することができ、このことは、拒絶メッセージ（たとえば、ＲＡＮＡＰ再配置失敗メッセージ）をフェムトゲートウェイ１２４および／またはＣＮ  １２２に送信することを含み得る。加えて、ある例では、フェムトノード曖昧性解消コンポーネント２１８は、フェムトゲートウェイ１２４がハンドインのためにフェムトノード１０２を準備しようとしているにも関わらずフェムトノード１０２がターゲットフェムトノードではないと頻繁に判定されることを、検出することができる。たとえば、このことは、所与の期間内に閾値の回数よりも多くそのように判定することに基づき得る。この例では、ビーコン生成コンポーネント２１２は、ビーコン１０４の１つまたは複数の特性（たとえば、ビーコン１０４のために使われる、ＰＳＣ、サブフレームオフセットまたは他のタイミングオフセットなど）を再構成して、フェムトノード１０２と同一のＰＳＣを用いる他のフェムトノードとの間の曖昧さを解消しようとすることができる。本明細書で説明されるように、フェムトゲートウェイ１２４は、フェムトノード１０２に関して同様の判定を行うことができ、フェムトノード１０２に知らせることができ、このことが、ビーコン生成コンポーネント２１２に、ビーコン１０４の１つまたは複数の特性を再構成させ得ることを、理解されたい。一例では、フェムトゲートウェイ１２４は、再構成のための選択肢のセット（たとえば、１つまたは複数の選択可能なＰＳＣ、タイミングオフセットなど）を決定して、フェムトノード１０２に示すことができる。
【００５９】
他の例では、デバイス１０６により示されるターゲットフェムトノードの曖昧さの解消を容易にするために、ビーコン生成コンポーネント２１２は、デバイス１０６が報告するためのビーコン送信の機会において、複数のビーコン１０４を作成して送信することができる。一例では、ビーコン生成コンポーネント２１２は、様々なＰＳＣを用いて複数のビーコン１０４を送信することができ、複数のビーコンは、（たとえば、異なるサブフレームオフセットおよび／またはチップオフセットを用いて）時間的にオフセットされていることもある。たとえば、ビーコン１０４はこうして、符号分割多重化（ＣＤＭ）され得る。この例では、デバイス１０６は、複数のビーコン１０４（たとえば２つのビーコン）を受信することができる。測定結果報告は、ＰＳＣ、タイミング情報などを含む、フェムトノード１０２により送信された両方のビーコン１０４に関する情報を含み得る。ＲＮＣ  １２０は、説明されたように、ＰＳＣに関連するフェムトノードの報告された信号品質に基づいて、ハンドインを続行すると決定することができ、測定結果報告メッセージまたはそのメッセージからの情報をＣＮ  １２２に与えることができ、これによって、そうした情報がフェムトゲートウェイ１２４および／またはフェムトノード１０２に与えられ得る。この例では、フェムトノード曖昧性解消コンポーネント２１８は、報告されたＰＳＣおよび／またはタイミング情報を得ることができ、ビーコン生成コンポーネント２１２により使用されるＰＳＣおよび／またはタイミング情報（たとえばタイミングの差）と比較することができる。ＰＳＣおよび／またはタイミング情報（または、タイミング情報に基づくビーコンの順序）が同一または同様である場合、フェムトノード曖昧性解消コンポーネント２１８は、フェムトノード１０２はデバイス１０６により測定されたターゲットフェムトノードであると、判定することができる。一例では、様々なＰＳＣの少なくとも一部は、ビーコン生成コンポーネント２１２が異なる周波数を通じてビーコンを送信する場合に、同一であり得る。
【００６０】
しかし、一例では、デバイス１０６は、近隣のフェムトノードからのビーコンのＰＳＣも報告することができる。この例では、フェムトノード曖昧性解消コンポーネント２１８は、他のパラメータを用いて、フェムトノード１０２がターゲットフェムトノードかどうかを判定しようとすることができ、たとえば、報告されたＰＳＣの出力レベルを用いて、同一の源に由来し得る（たとえば、同様の出力レベルを有する）ビーコンを判定することができる。別の例では、フェムトノード曖昧性解消コンポーネント２１８は、報告された複数のＰＳＣのタイミング差を計算して、タイミング差に基づいて、同一の源から来た可能性のあるビーコンを決定することができる。一例では、タイミング差の範囲は、使用可能または使用不可能なものとして規定され、タイミング差が同一の源と関連付けられ得るかどうかを判定するのを支援することができる。ＰＳＣが同一の源に対応すると判定されると、フェムトノード曖昧性解消コンポーネント２１８は、ＰＳＣがフェムトノード１０２のビーコンに相当するかどうかを判定することができる。
【００６１】
一例では、このことは、ビーコンのＯＴＤの差を求めることと、ビーコン１０４を送信する際にビーコン生成コンポーネント２１２により使用されるタイミングと比較することとを含み得る。ＯＴＤおよびタイミングが少なくとも閾値の差以内にある場合、たとえば、このことは、フェムトノード１０２がターゲットフェムトノードであることを示し得る。一例では、本明細書で説明されるように、フェムトノード１０２は、マクロセル基地局１１０に対して維持すべきタイミング差をフェムトゲートウェイ１２４から得ることができ、通信コンポーネント２０６は、フェムトノード１０２のタイミングがマクロセル基地局１１０と比較してそのタイミング差にあることを確実にすることができる。たとえば、このことは、ＮＬＭまたは他のコンポーネントを用いてマクロセル基地局１１０のタイミングを定期的に測定すること、１つまたは複数のデバイスからタイミング報告を分析することなどに基づき得る。
【００６２】
加えて、干渉を最小にするために、一例では、ビーコン出力決定コンポーネント２１６は、本明細書で説明されたように、符号分割多重化されたものの１つまたは複数の出力を決定することができ、または場合によっては制御することができ、このことは、１つまたは複数のビーコンをオンまたはオフすることを含み得る。たとえば、このことは、他の基地局、たとえばマクロセル基地局１１０または別のフェムトノードと通信する、１つまたは複数の他のデバイスからの、フェムトノード１０２の報告された干渉に基づき得る。
【００６３】
別の例では、ビーコン生成コンポーネント２１２は、複数のビーコン送信の機会を通じて、代替のＰＳＣを用いてビーコンを送信することができる。この例では、デバイス１０６は、フェムトノード１０２から各々のビーコンを受信し、別個の測定結果報告において報告することができる。この例では、第１の測定結果報告を受信すると、フェムトゲートウェイ１２４および／またはフェムトノード曖昧性解消コンポーネント２１８が、ターゲットフェムトノードとしてフェムトノード１０２を判定できない場合には、ハンドインは拒絶され得るが、報告されたＰＳＣは記憶され得る。そして、第２の測定結果報告を受信すると、フェムトゲートウェイ１２４および／またはフェムトノード曖昧性解消コンポーネント２１８は、第２の報告されたＰＳＣを記憶されたＰＳＣと比較して、（たとえば、ＰＳＣがビーコン生成コンポーネント２１２により利用されるＰＳＣと一致する場合）フェムトノード１０２がターゲットフェムトノードであるかどうかを判定するのを支援することができる。さらにある例では、ＰＳＣの１つは、ＲＮＣ  １２０において近隣セルリスト（ＮＣＬ）から除外され得る。フェムトノード１０２により用いられるＰＳＣを示す測定結果報告をデバイス１０６から受信すると、他のＰＳＣがＲＮＣ  １２０に与えられてよく、ＲＮＣは、他のＰＳＣを特定するデバイス１０６からの別の測定結果報告を受信したことに基づいて、ターゲットフェムトノード１０２の曖昧さを解消することができる。
【００６４】
いずれの場合でも、ある例では、ビーコン生成コンポーネント２１２は、ＰＳＣが１つまたは複数の他のフェムトノードまたは基地局により利用されないと判定されたことに一部基づいて、ＰＳＣの１つまたは複数を選択することができる。たとえば、このことは、１つまたは複数の近隣の基地局によりブロードキャストされる、または構成可能である、ＣＥＬＬ＿ＩＮＦＯ＿ＬＩＳＴの中にないＰＳＣを選択することを含んでよい。一例では、ビーコン生成コンポーネント２１２は、近隣の基地局からそのようなリストを受信し、そのリストの中にない１つまたは複数のＰＳＣを選択することができる。この例では、ビーコン生成コンポーネント２１２がＰＳＣを選択すると、ビーコン生成コンポーネント２１２は、ビーコンを生成するために、かつ／または関連する計算を実行するために、ＣＩＯが０であると仮定することができる。別の例では、ビーコン生成コンポーネント２１２は、フェムトゲートウェイ１２４または他のＣＮコンポーネントにより供給される設定された範囲のＰＳＣからのＰＳＣ、フェムトノード１０２の近傍内で見出されないある範囲のＰＳＣ（たとえば、ＮＬＭを介して他のフェムトノードから信号を受信することによって決定される）などを選択することができる。
【００６５】
たとえば、フェムトノード曖昧性解消コンポーネント２１８および／またはフェムトゲートウェイ１２４が、フェムトノード１０２が他の可能性のあるフェムトノードに基づくターゲットフェムトノードであるかどうかを判定できない場合、ハンドオーバー管理コンポーネント２１４は、他のフェムトノードに対して同時にまたは連続してハンドインするために、ハンドインを受け入れフェムトノード１０２を準備することができる。一例では、このことは、フェムトゲートウェイ１２４を介してＲＮＣ  １２０に報告される、デバイス１０６のための共通リソースを確立することを含み得る。一例では、ハンドオーバー管理コンポーネント２１４は、デバイス１０６がフェムトノード１０２にハンドインされるかどうかを、ある期間の後に判定することができる。ハンドインされない場合、ハンドオーバー管理コンポーネント２１４は、確立されたリソースを取り消すことができる。さらに、フェムトノード１０２は、デバイス１０６がフェムトノード１０２にアクセスするのを許可されていない場合（たとえば、デバイス１０６を除外する制限された接続をフェムトノード１０２が実施する場合）、リソースの確立に参加できるが、ハイブリッドなアクセスをデバイス１０６に提供できることを理解されたい。したがって、フェムトノード１０２がターゲットである場合、ハンドインはデバイス１０６に関しては失敗しない。
【００６６】
加えて、以下でさらに説明されるように、フェムトノード１０２は、その動作周波数でパイロット信号も送信することができ、デバイス１０６は、フェムトノード１０２の動作周波数に合わせて、１つまたは複数の期間にパイロット信号をさらに受信することができる。一例では、通信コンポーネント２０６は、ビーコン１０４に対するＰＳＣとは異なるＰＳＣ、異なる送信出力などを使って、パイロット信号を送信することができる。一例では、ビーコン１０４のＰＳＣとパイロットに対して使われるＰＳＣとの組合せを使って、フェムトノード１０２の、他のフェムトノードに対する曖昧さを解消することができる。したがって、一例では、ビーコン１０４のＰＳＣは、フェムトゲートウェイ１２４またはＣＮ  １２２の１つまたは複数のコンポーネントによって割り当てられ、曖昧さの解消を支援することができる。
【００６７】
さらに、ある例では、フェムトノード１０２は、非メンバーデバイスが何らかの容量でフェムトノード１０２と通信できるように、ハイブリッドアクセスを提供するように構成され得る。これによって、そのようなデバイスは、ビーコン１０４の送信からの干渉を回避できるようになり得る。たとえば、その構成は位置に基づき得る（たとえば、企業のさらに内部にあるノードは企業の外部の非メンバーデバイスに対してビーコンの干渉をそれほど引き起こし得ないので、企業の入口の近くにあるフェムトノードは上記のように構成され得る）。加えて、ある例では、フェムトノード１０２はそのような場合、ＭＩＢ中でＣＳＧを送信するのを控えることによって、オープンアクセスモードで動作することができる。さらに、ある例では、フェムトノード１０２は、フェムトノード１０２を発見するようにアイドルモードのデバイスを指示するのに使われる、セル再選択ビーコンと共存するものとして、ビーコン１０４を送信することができる。
【００６８】
さらに、ビーコン生成コンポーネント２１２は、ビーコン１０４の長さを、ミリ秒（ｍｓ）の単位で、かつ／または１つもしくは複数のイベントに基づいて設定することができる。たとえば、ビーコン生成コンポーネント２１２は、ＰＳＣを特定するための時間（たとえば８００ｍｓ）と、システム取得を実行するための時間（たとえば７９０ｍｓ）と、着信するハンドインを検出するための時間（たとえば５００ｍｓ）と、ハンドインを完了するための任意選択の時間ＴＯHOaccとを足したものとして、最小の長さを設定することができる。一例では、最小の長さは、２０９０ｍｓ＋ＴＯHOaccに設定され得る。
【００６９】
図３を見ると、フェムトノードへのアクティブなハンドインをデバイスに実行させるための、ワイヤレス通信システム３００が示される。システム３００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム３００はまた、フェムトノード１０２および１つまたは複数の他のフェムトノード（図示せず）の１つまたは複数のパラメータを管理する、フェムトゲートウェイ１２４を任意選択で含み得る。デバイス１０６は、プロセッサ２０２と同様であり得るプロセッサ３０２、メモリ２０４と同様であり得るメモリ３０４、フェムトノード１０２、マクロセル基地局１１０などのようなシステム３００の１つもしくは複数の他のコンポーネントとの通信を確立し維持するために設けられる、通信コンポーネント２０６と同様であり得る通信コンポーネント３０６、データストア２０８と同様であり得るデータストア３０８、および／または、ユーザインターフェースコンポーネント２１０と同様であり得る任意選択のユーザインターフェースコンポーネント３１０を含み得る。
【００７０】
加えて、デバイス１０６は、１つまたは複数の基地局からの１つまたは複数のパイロット信号の測定を実行するための、パイロット測定コンポーネント３１２と、測定結果の報告、および／または１つもしくは複数の基地局への通信のハンドインに関連する１つもしくは複数の機能の実行のための、ハンドインコンポーネント３１４とを含み得る。デバイス１０６はまた、追加のパラメータに対する要求を受け取り、かつ／または、追加のパラメータを１つもしくは複数の基地局もしくは他のネットワークコンポーネントに伝えるための、パラメータ通信コンポーネント３１６、および／または、デバイス１０６が１つまたは複数のフェムトノードの近傍にあると判定するための近接判定コンポーネント３１８を、任意選択で含み得る。
【００７１】
ある例によれば、通信コンポーネント３０６は、マクロセル基地局１１０および／またはＣＮ  １２２の中の他の基地局からの信号を受信するのに使われる周波数を通じて、フェムトノード１０２からビーコン１０４を受信することができる。たとえば、このことは、ハンドインコンポーネント３１４が、（たとえばＲＲＣ測定制御メッセージに基づいて）信号測定を実行するためのマクロセル基地局１１０によって予定された期間、またはそうでなければ、示された期間に、ハンドインのための周波数上の信号を測定すると決定したことに、応じたものであってよい。パイロット測定コンポーネント３１２は、マクロセル基地局１１０またはＣＮ  １２２の中の同様の基地局のダウンリンク送信を模倣できる、ビーコン１０４の測定を含む測定を実行でき、ハンドインコンポーネント３１４は、マクロセル基地局１１０を介して、（たとえばハンドインに関連する測定結果報告において）測定結果をＲＮＣ  １２０に報告することができる。この例では、ＲＮＣ  １２０および／またはフェムトゲートウェイ１２４は、測定結果レポートにおいて提供される情報、および／または、デバイス１０６から要求される１つもしくは複数の他のパラメータ（たとえば、ＲＲＣ測定結果報告メッセージの中の）に基づいて、フェムトノード１０２および／または他のフェムトノードを特定することができる。この例では、ＲＮＣ  １２０は、ハンドオーバーメッセージをフェムトノード１０２に伝えることができ（たとえば、フェムトゲートウェイ１２４または他のものを通じて）、フェムトノード１０２の動作周波数を求めたことに基づいて、フェムトノード１０２への異周波数のハンドインを実行するようにデバイス１０６に命令することができる。この例では、ハンドインコンポーネント３１４は、その命令を受け取ることができ、フェムトノード１０２の動作周波数を通じてフェムトノード１０２と通信するように、通信コンポーネント３０６を調整することができる。
【００７２】
デバイス１０６が異周波数のハンドインをサポートする別の例では、パイロット測定コンポーネント３１２は、近接検出とともに使うためのビーコン１０４を測定することができる。この例では、近接判定コンポーネント３１８は、フェムトノード１０２への近接を判定することができ、パラメータ通信コンポーネント３１６は、ＲＮＣ  １２０への近接をシグナリングすることができる。たとえば、近接判定コンポーネント３１８は、ビーコン１０４の認識、フェムトノード１０２がデバイス１０６によってアクセス可能であるかどうかを、ビーコン１０４の中の識別子に基づいて判定すること（たとえば、ビーコン１０４において通知されるＣＳＧの識別子が、デバイス１０６のホワイトリストの中にあるかどうか、フェムトノード１０２がハイブリッドアクセスモードを提供するかどうか）、デバイスの位置とフェムトノード１０２の既知の位置（たとえば、ネットワーク構成において受け取られた、またはその他の）を判定することなどのうちの少なくとも１つに基づいて、近接を判定することができる。たとえば、近接判定コンポーネント３１８は、全地球測位システム（ＧＰＳ）、他の基地局の位置と他の基地局から受信された信号とに基づくｏｂｓｅｒｖｅｄ  ｔｉｍｅ  ｄｉｆｆｅｒｅｎｃｅ  ｏｆ  ａｒｒｉｖａｌ  （ＯＴＤＯＡ）などを使って、デバイス１０６の位置を決定することができる。別の例では、近接判定コンポーネント３１８は、デバイス１０６において設定される１つまたは複数の対応付けに従ってフェムトノード１０２への近接を示し得る、マクロセル基地局１１０との通信が起きると、マクロセル基地局１１０のセル識別情報を認識することができる。たとえば、この対応付けは、マクロセル基地局を近くのフェムトノードと関連付けることができ、ＲＮＣ  １２０、ＣＮ  １２２の１つまたは複数のコンポーネントなどから受け取られ得る。この対応付けは、ハードコーディングまたはデバイス１０６に記憶される他の設定などに基づいて、ＲＮＣ  １２０、ＣＮ  １２２の１つまたは複数のコンポーネントによって、デバイスに提供され得る。
【００７３】
近傍にある時、パラメータ通信コンポーネント３１６は、近傍にあることをＲＮＣ  １２０に通知することができ、ＲＮＣ  １２０は、１つまたは複数の測定設定パラメータによってデバイス１０６を設定することができる（たとえば、かつ／または、他の場合には、フェムトノード１０２と通信するために測定期間をデバイス１０６に与えることができる）。パイロット測定コンポーネント３１２が、ある期間内にフェムトノード１０２からのパイロット信号または他の信号を検出できない場合、パラメータ通信コンポーネント３１６は、デバイス１０６がもはやフェムトノード１０２の近傍にはないことをＲＮＣ  １２０に示すことができ、ＲＮＣ  １２０は、１つまたは複数の測定設定パラメータの設定を解除することができる。たとえば、このことは、デバイス１０６が測定期間をもはや与えられていないことを示すことを含み得る。この点において、ＲＮＣ  １２０は、フェムトノードの近傍にある時にデバイス１０６へ測定期間を与えて、帯域幅を節減することができる。
【００７４】
別の例では、説明されるように、ＲＮＣ  １２０は、ソース基地局の品質が閾値のレベルを下回った時に測定結果の報告を実行するように、デバイス１０６を構成することができ、品質が閾値のレベルを下回ることは、１つまたは複数のイベント（たとえば、Ｗ−ＣＤＭＡにおけるイベント１ｆ、２ｂ、２ｄなど）に基づき得る。ハンドインコンポーネント３１４は、そのような設定を受け取ることができ、それに従って、マクロセル基地局１１０からのパイロットの品質が閾値のレベルを下回ったことをパイロット測定コンポーネント３１２が検出した場合に、測定結果の報告をトリガすることができる。このことは、通信コンポーネント３０６などによって受信されたマクロセル基地局１１０からのパイロット信号または他の信号の、信号対雑音比（ＳＮＲ）または同様の測定を実行することに基づき得る。
【００７５】
加えて、たとえば、マクロセル基地局１１０は、ＰＳＣ、チップレベルのタイミング情報、レイヤ２情報（たとえば、ＳＦＮ／ＣＦＮ）、セルまたはＣＳＧの識別情報、メンバーシップ情報、マクロセル基地局１１０に対するタイミングの差などのような、１つまたは複数の他のパラメータを、測定結果の報告を伝える時に報告するように、デバイス１０６を構成することができる。この例では、パラメータ通信コンポーネント３１６は、そのような構成の要求を受け取ることができ、それに従って、ハンドインコンポーネント３１４が測定結果報告の生成を決定すると、１つまたは複数の要求されたパラメータを決定または測定することができる。たとえば、パラメータ通信コンポーネント３１６は、ビーコン１０４、フェムトノード１０２のシステム情報（たとえばＳＩＢ）などから、１つまたは複数のパラメータを決定することができる。ある例では、パラメータ通信コンポーネント３１６は、測定期間を必要とすることなく、マクロセル基地局１１０の周波数で、ビーコン１０４からフェムトノード１０２のＳＩＢまたは他の信号を読み取ることができる。しかし、他の例では、デバイス１０６が、フェムトノード１０２の動作周波数でフェムトノード１０２と通信するために、マクロセル基地局１１０の周波数とは離れた周波数に調整し得る場合に、パラメータ通信コンポーネント３１６は、１つまたは複数の圧縮モードの間、または他の期間に、フェムトノード１０２からＳＩＢまたは他の信号を読み取ることができることを理解されたい。したがって、一例では、デバイス１０６は、ビーコン１０４のＰＳＣと、動作周波数でパイロット信号を送信するためにフェムトノード１０２によって使われるＰＳＣとを、決定することができる。
【００７６】
本明細書でさらに説明されるように、パラメータ通信コンポーネント３１６は、測定結果報告とともに、またはそれに続いて、（たとえば、ＲＲＣ測定結果報告メッセージまたは同様のメッセージにおいて）追加のパラメータを伝えることができることを理解されたい。本明細書において上で説明されたように、またさらに説明されるように、そのようなパラメータを使って、ビーコン１０４の他のビーコンに対する曖昧さを解消することができる。たとえば、パラメータ通信コンポーネント３１６は、マクロセル基地局１１０とフェムトノード１０２との間のＯＴＤを決定するための１つまたは複数のパラメータ、フェムトノード１０２の１つまたは複数の決定されたＰＳＣまたは周波数、ＣＳＧ加入情報、フェムトノード１０２へのアクセスが許可されているかどうか、フェムトノード１０２の測定されたサブフレームもしくはフレームタイミングもしくはタイミングオフセット、またはアクティブセット中の他の基地局などを特定することができる。たとえば、マクロセル基地局１１０とフェムトノード１０２との間のＯＴＤを決定するための１つまたは複数のパラメータは、タイミングオフセット、マクロセル基地局１１０とフェムトノード１０２の各々から信号が受信される時間などを含み得る。
【００７７】
たとえば、ＲＮＣ  １２０は、フェムトノード１０２を検出すると、フェムトノード１０２によって使われるＰＳＣを報告するように、デバイス１０６を構成することができる。たとえば、このことは、ＲＮＣ  １２０が、マクロセル基地局１１０の動作周波数で通信しているＣＳＧに対応するＰＳＣのリストを含み得る（かつ一例では、説明されたように、ビーコン１０４を伝えるのに利用されるＰＳＣを含み得る）ＲＲＣ測定制御メッセージまたは同様のメッセージを、デバイス１０６へ送信することを含み得る。この例では、パラメータ通信コンポーネント３１６は、ＰＳＣの構成または要求を受け取ることができる。パイロット測定コンポーネント３１２は、マクロセル基地局１１０の動作周波数を通じて受信されたビーコン１０４を測定することができ、ビーコン１０４に関連するＰＳＣがＲＲＣ測定制御メッセージにおいて受信されたリスト中にあると、判定することができる。説明されたように、パイロット測定コンポーネント３１２は、ビーコン１０４をスクランブリングするのに利用されるＰＳＣ、または、ビーコン１０４に関連するシステム情報からの他の情報などとして、ＰＳＣを決定することができる。
【００７８】
この例では、ハンドインコンポーネント３１４は、ビーコン１０４の測定結果（たとえば測定されたＳＮＲ）を含むＲＲＣ測定結果報告メッセージを生成することができ、一例では、パラメータ通信コンポーネント３１６は、測定結果報告の中にＰＳＣまたは他の測定されたパラメータも含めることができる。ハンドインコンポーネント３１４は、ＲＲＣ測定結果報告メッセージをＲＮＣ  １２０へ伝えることができる。別の例では、パラメータ通信コンポーネント３１６は、ＲＲＣ測定結果報告メッセージにおいて、ＰＳＣをＲＮＣ  １２０に送信することができる。ＲＮＣ  １２０、フェムトゲートウェイ１２４、および／または、ＣＮ  １２２の１つもしくは複数のコンポーネントは、少なくともＰＳＣを利用して、フェムトノード１０２と関連付けるビーコン１０４の曖昧さを解消することができる。たとえば、フェムトノード１０２の、セル識別子、観測されたタイミングの差などが、ビーコン１０４に対応するフェムトノード１０２の曖昧さを解消するために、追加で、または代替的に使われてよい。
【００７９】
一例では、フェムトノード１０２は、マクロセル基地局１１０と周波数内で動作することができる。この例では、パラメータ通信コンポーネント３１６は、フェムトノード１０２からＳＩＢを読み取り、ＲＮＣ  １２０によってトリガされる前に、または近接に基づいて、フェムトノード１０２の１つまたは複数のパラメータを求めることができる。この例では、パラメータ通信コンポーネント３１６は、フェムトノード１０２のＣＳＧの識別子を取得することができ、近接判定コンポーネント３１８はこのＣＳＧの識別子をさらに利用して、デバイス１０６がフェムトノード１０２の近傍にあるかどうかを判定することができる。たとえば、フェムトノード１０２が、デバイス１０６のホワイトリスト中にないＣＳＧの識別子を通知する場合、パラメータ通信コンポーネント３１６は、フェムトノード１０２への近接を通知する必要はない。そうである場合、パラメータ通信コンポーネント３１６は、近接を示すことができ、ＲＮＣ  １２０は、フェムトノード１０２への周波数内のハンドインをトリガすることができる。たとえば、パラメータ通信コンポーネント３１６は、セルの個々のオフセットおよび／またはフェムトノードの出力レベルに少なくとも一部基づいて、複数のフェムトノードのＳＩＢの読取りを優先させることができる。
【００８０】
フェムトノード１０２がハンドインのために検出されると、ハンドインコンポーネント３１４は、一例では、ＳＩＢ３が検出されるまでのＰ−ＣＣＰＣＨ送信時間間隔（ＴＴＩ）の復号、ＳＦＮ、ＭＩＢ、次いでＳＩＢ３の復号（たとえば、場合によっては複数の試みによって）、ならびに／または、ＭＩＢおよび／もしくはＳＩＢ１および／もしくはＳＩＢ２が、そしてそれらに続いてＳＩＢ３が、スケジューリング間隔において検出されるまでの、Ｐ−ＣＣＰＣＨ  ＴＴＩの連続的な復号のうちの少なくとも１つによって少なくとも一部、Ｗ−ＣＤＭＡのシステム情報の取得を実行することができる。ハンドインコンポーネント３１４は、フェムトノード１０２（および／またはフェムトゲートウェイ１２４）へ提供してハンドイン命令を構築するために、説明されたような少なくともＳＩＢ３情報の１つまたは複数のパラメータを、（たとえば、測定結果報告または他のメッセージ中で）ＲＮＣ  １２０に報告することができる。この例では、ハンドインコンポーネント３１４は、フェムトノード１０２から、ＲＮＣ  １２０および／または他のコンポーネントを介して、ハンドイン命令を受信することができる。
【００８１】
図４を参照すると、フェムトノードへのアクティブなハンドインをデバイスに実行させるための、ワイヤレス通信システム４００が示される。システム４００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム４００はまた、フェムトノード１０２および１つまたは複数の他のフェムトノード（図示せず）の１つまたは複数のパラメータを管理する、フェムトゲートウェイ１２４を任意選択で含み得る。ＲＮＣ  １２０は、プロセッサ２０２と同様であり得るプロセッサ４０２、メモリ２０４と同様であり得るメモリ４０４、マクロセル基地局１１０、ＣＮ  １２２などのようなシステム４００の１つもしくは複数の他のコンポーネントとの通信を確立し維持するために設けられる、通信コンポーネント２０６と同様であり得る通信コンポーネント４０６、データストア２０８と同様であり得るデータストア４０８、および／または、ユーザインターフェースコンポーネント２１０と同様であり得る任意選択のユーザインターフェースコンポーネント４１０を含み得る。
【００８２】
加えて、ＲＮＣ  １２０は、ハンドインに関連するデバイスから測定結果報告を取得するための、測定結果報告受信コンポーネント４１２と、測定結果報告においてフェムトノードを特定するための、または少なくとも特定を支援するための、任意選択のフェムトノード曖昧性解消コンポーネント４１４と、１つまたは複数のフェムトノードまたは他の基地局へのデバイスのハンドインを実行するための、ハンドインコンポーネント４１６とを含み得る。ＲＮＣ  １２０は、任意選択で、フェムトノードを特定するためのデバイスからの追加のパラメータを受信するための、パラメータ通信コンポーネント４１８、および／または、デバイスが１つもしくは複数のフェムトノードの近傍にあることを示すものを取得するための、近接受信コンポーネント４２０を含み得る。
【００８３】
ある例によれば、ハンドインコンポーネント４１６は、デバイス１０６が、（たとえば、対応するＲＲＣ測定制御メッセージを基地局またはフェムトノードに伝えることによって）１つまたは複数のビーコンに対応する基地局またはフェムトノードの閾値の近傍内にあることを検出すると、１つまたは複数のビーコンのパイロット測定結果を報告するように、デバイス１０６を構成することができる。したがって、たとえば、説明されたように、デバイス１０６がフェムトノード１０２に対する閾値の近傍内にあると判定されたことに基づいて、デバイス１０６は、マクロセル基地局１１０の動作周波数を通じて、フェムトノード１０２からビーコン１０４を受信し、ビーコン１０４の中のパイロット信号を測定し、測定結果および／または１つもしくは複数の他のパラメータを有する測定結果報告を（たとえば、ＲＲＣ測定結果報告メッセージにおいて）ＲＮＣ  １２０に送信することができる。たとえば、このことは、ビーコン１０４の品質（たとえばＳＮＲ）に基づき得る。この例では、測定結果報告受信コンポーネント４１２は、デバイス１０６から測定結果報告を取得することができ、ハンドインコンポーネント４１６は、デバイス１０６が、フェムトノード１０２と通信するための（たとえば、フェムトノード１０２のシステム情報の読取りを実行するための）１つまたは複数の期間に周波数を切り替えるのを可能にするように、デバイス１０６の１つまたは複数の測定設定パラメータを設定することができる。たとえば、そのようなパラメータは、デバイス１０６が他の基地局またはフェムトノードを測定できる少なくとも１つまたは複数の時間間隔を規定する、１つまたは複数の圧縮モードのパラメータを含み得る。同様の例において、ハンドインコンポーネント４１６は、測定結果報告の代わりに、近接表示を報告するようにデバイス１０６を構成することができ、同様に、近接表示の受信に基づいて、圧縮モードを構成することができる。
【００８４】
別の例では、パラメータ通信コンポーネント４１８は、ＰＳＣ（たとえば、ビーコン１０４または１つもしくは複数の測定されたパイロット信号に使われる）、ＳＦＮ／ＣＦＮのようなレイヤ２情報、セルまたはＣＳＧの識別情報、メンバーシップ情報、マクロセル基地局１１０に対する観測されたタイミングの差などのような、測定される基地局に関連する他のパラメータを報告するように、デバイス１０６を構成することができる。この例では、説明されるように、デバイス１０６は、構成を受け取ることができ、それに従って、測定結果報告とともに、またはその後に、１つまたは複数のパラメータを報告することができる。一例では、パラメータは、フェムトノード１０２のシステム情報の読取りに基づいて、デバイス１０６によって測定され得ることを理解されたい。いずれの場合でも、パラメータ通信コンポーネント４１８は、１つまたは複数のパラメータを取得することができ、フェムトノード曖昧性解消コンポーネント４１４は、ビーコン１０４からデバイス１０６によって収集され報告される情報に基づいて、フェムトノード１０２を特定する際に、および／または、フェムトゲートウェイ１２４がフェムトノード１０２を特定できるようにする際に、１つまたは複数のパラメータを利用することができる。別の例では、本明細書で説明されるように、パラメータは、フェムトノード１０２を特定するために、フェムトゲートウェイ１２４に提供され得る。
【００８５】
一例では、デバイス１０６は、フェムトノード１０２のセルの識別情報（たとえばビーコン１０４で通知されるような情報、または他の情報）を、（たとえばＲＲＣ測定結果報告メッセージ中の）フェムトノード１０２の信号の測定結果を含む測定結果報告とともに、ＲＮＣ  １２０に伝えることができる。この例では、測定結果報告受信コンポーネント４１２は、測定結果報告を受信することができ、パラメータ通信コンポーネント４１８は、デバイス１０６によって伝えられたセルの識別情報を、受信することができ、またはそうでなければ判定することができる。ハンドインコンポーネント４１６は、測定結果報告におけるフェムトノード１０２の測定結果に基づいて、フェムトノード１０２へデバイス１０６をハンドインすると決定することができ、ＣＮ  １２２および／またはフェムトゲートウェイ１２４への１つまたは複数のハンドオーバーメッセージ（たとえば、ＲＡＮＡＰ再配置必要メッセージ）に、セルの識別情報を含めることができる。この点において、ＣＮ  １２２の１つもしくは複数のコンポーネントおよび／またはフェムトゲートウェイ１２４は、フェムトノード１０２の曖昧さを解消することができ、ハンドオーバーメッセージをフェムトノード１０２に伝えて、フェムトノード１０２へのデバイス１０６のハンドインを支援することができる。別の例では、パラメータ通信コンポーネント４１８は、以下でより詳細に説明されるように、フェムトノードの曖昧さの解消を容易にするために、ＲＡＮＡＰ再配置必要メッセージにおいて、デバイス１０６のソース基地局（たとえばマクロセル基地局１１０）の識別子、タイミング差などのような他のパラメータを規定することができる。
【００８６】
別の例では、ビーコン１０４のＰＳＣは、フェムトノード１０２のセルの識別情報と対応付けられてよく、そのような対応付けは、フェムトノード曖昧性解消コンポーネント４１４によって、受信および／または記憶され得る。たとえば、フェムトノード曖昧性解消コンポーネント４１４は、ＣＮ  １２２の１つもしくは複数のコンポーネント、ＰＳＣを割り当てることができるフェムトノードゲートウェイ１２４、フェムトノード１０２、および／または他のコンポーネントから、１つまたは複数の対応付けを取得することができる。したがって、デバイス１０６は、説明されるように、ビーコン１０４のＰＳＣを決定して伝えることができ、パラメータ通信コンポーネント４１８は、デバイス１０６からＰＳＣを取得することができ、フェムトノード曖昧性解消コンポーネント４１４は、取得されたＰＳＣを使って（たとえば対応付けに基づいて）フェムトノード１０２を特定することができる。別の例では、パラメータ通信コンポーネント４１８は、デバイス１０６から、フェムトノード１０２のパイロット信号のＰＳＣを取得することができる。この例では、パイロット信号のＰＳＣと組み合わされたビーコン１０４のＰＳＣが、セルの識別情報を判定するために、対応付けにおいて使われ得る。たとえば、この組合せは、ＰＳＣのデカルト積などであってよい。別の例では、ハンドインコンポーネント４１６は、対応付けに基づいてセル識別子を決定するために、１つまたは複数のＰＳＣ、デバイス１０６から受信された他のパラメータ（たとえば、フェムトノード１０２のタイミングまたはタイミング差の測定結果など）を、フェムトゲートウェイ１２４またはＣＮ  １２２コンポーネントへ伝えることができる。
【００８７】
さらに、ある例では、フェムトノード１０２は、フェムトノード１０２を他のフェムトノードから区別するために使われ得る複数のＰＳＣを用いて、複数のビーコンを送信することができる。一例では、フェムトノード１０２は、ビーコン送信の複数の機会を通じて、順に変わるＰＳＣを用いて複数のビーコンを送信することができる。この例では、フェムトノード曖昧性解消コンポーネント４１４は、近隣の基地局、フェムトノードなどのＮＣＬ、または関連するセルを記憶することができ、こうしたＮＣＬまたは関連するセルは、それらのビーコンのＰＳＣを含み得る。フェムトノード１０２のようなフェムトノードのＰＳＣを含む測定結果報告をデバイス１０６から受信すると、フェムトノード曖昧性解消コンポーネント４１４は、フェムトノード１０２が使用する第２のＰＳＣを含むように、ＮＣＬを更新することができる。デバイス１０６から後続の測定結果報告を受信すると、フェムトノード曖昧性解消コンポーネント４１４は、ＰＳＣが第２のＰＳＣに一致するかどうかを判定することができ、デバイス１０６のフェムトノード１０２へのハンドインを開始すると決定することができる。
【００８８】
さらに別の例では、パラメータ通信コンポーネント４１８は、ＣＮ  １２２またはフェムトゲートウェイ１２４へのハンドオーバーメッセージの中の、フェムトノード１０２に対応するデバイス１０６からの測定結果報告メッセージを取得することができる。ＣＮ  １２２またはフェムトゲートウェイ１２４は、測定結果報告メッセージを使って、それぞれのビーコン１０４に関する情報に基づいてフェムトノード１０２の特定を同様に試みることができる。いずれの場合でも、ハンドインコンポーネント４１６は、フェムトノード１０２の動作周波数（たとえば、および／または動作周波数上でフェムトノード１０２によって利用されるＰＳＣ）を受信することができ、それにしたがって、（たとえば、デバイス１０６に、ＰＳＣを使う信号の動作周波数へと自身の受信機を調整させることによって）デバイス１０６がフェムトノード１０２へハンドインするのを準備することができる。
【００８９】
一例では、ハンドインコンポーネント４１６は、ある期間デバイス１０６に割り当てられるリソースを保ち、ハンドインが失敗した場合にデバイス１０６がＲＮＣ  １２０との通信に戻れるようにすることができる。一例では、デバイス１０６のハンドインを受信するためのフェムトノード１０２の準備は失敗することがあり、または場合によっては適切に完了しないことがあり、これは、デバイス１０６のハンドインの失敗を引き起こし得る。したがって、デバイス１０６がフェムトノード１０２へ適切にハンドインされたとＲＮＣ  １２０が判定するまで、かつ／または、別のイベントもしくは規定された期間まで、ハンドインコンポーネント４１６は、ＲＮＣ  １２０と通信するためにデバイス１０６に割り当てられるリソースを保持することができる。このことは、デバイス１０６のための無線リソースを保持すること、デバイス１０６の通信と関連するＣＮ  １２２上のリソースを保持することなどを含み得る。
【００９０】
ある例では、デバイス１０６は、フェムトノード１０２への近接を、ＲＮＣ  １２０に示すことができる。この例では、近接受信コンポーネント４２０は、その表示を取得することができ、ハンドインコンポーネント４１６は、デバイス１０６がある期間に（たとえば圧縮モードで）フェムトノード１０２を測定できるようにするように、デバイス１０６のための１つまたは複数の測定設定パラメータを設定することができる。同様の例では、デバイス１０６は、フェムトノード１０２の近傍から去ったことをＲＮＣ  １２０に示すことができ、その場合、ハンドインコンポーネント４１６は、（たとえば圧縮モードを使うのを止めるために）１つまたは複数の測定設定パラメータの設定を解除することができ、これによって無線リソースが節減され得る。
【００９１】
図５を見ると、フェムトノードへのアクティブなハンドインをデバイスに実行させるための、ワイヤレス通信システム５００が示される。システム５００は、デバイス１０６のような１つまたは複数のデバイスに、フェムトノード１０２へ通信をハンドインさせるための、１つまたは複数のビーコン１０４を通信できる、フェムトノード１０２を含む。デバイス１０６は、ＣＮ  １２２へのアクセス（たとえばＲＮＣ  １２０を介した）を提供する、マクロセル基地局１１０と通信することができる。システム５００はまた、フェムトノード１０２および１つまたは複数の他のフェムトノード（図示せず）の１つまたは複数のパラメータを管理する、フェムトゲートウェイ１２４を含む。フェムトゲートウェイ１２４は、プロセッサ２０２と同様であり得るプロセッサ５０２、メモリ２０４と同様であり得るメモリ５０４、フェムトノード１０２、ＣＮ  １２２などのようなシステム５００の１つまたは複数の他のコンポーネントとの通信を確立し維持するために設けられる、通信コンポーネント２０６と同様であり得る通信コンポーネント５０６、データストア２０８と同様であり得るデータストア５０８、および／または、ユーザインターフェースコンポーネント２１０と同様であり得る任意選択のユーザインターフェースコンポーネント５１０を含み得る。
【００９２】
加えて、フェムトゲートウェイ１２４は、１つまたは複数のＰＳＣおよび／または１つまたは複数のフェムトノードの他のパラメータ（たとえば、上で説明されたような、チップレベルのタイミング、フレームのタイミング、送信／受信のタイミング、セルの識別情報など）を管理するためのＰＳＣコンポーネント５１２と、特定されたフェムトノードへのデバイスのハンドインを支援するためのハンドインコンポーネント５１４と、１つまたは複数のＰＳＣまたは他の識別子に基づいてフェムトノードを特定するための、フェムトノード曖昧性解消コンポーネント５１６とを含み得る。
【００９３】
ある例によれば、ハンドインコンポーネント５１４は、デバイス１０６がハンドインされるべきフェムトノード１０２の１つまたは複数のパラメータを特定するハンドオーバーメッセージを、ＲＮＣ  １２０からＣＮ  １２２を介して取得することができる。たとえば、ハンドオーバーメッセージは、説明されたような、セルの識別子、送信されたビーコン１０４のＰＳＣ、フェムトノード１０２によって送信されるパイロット信号のＰＳＣ、ＣＳＧの識別子などであり得る、フェムトノード１０２の識別子を含み得る。さらに、ハンドオーバーメッセージは、レイヤ２情報、タイミング情報などのような、フェムトノード１０２に関する他のパラメータを含み得る。ハンドオーバーメッセージは、ＲＡＮＡＰ再配置要求または同様のメッセージを含み得る。フェムトノード曖昧性解消コンポーネント５１６は、説明されたように、識別子または他のパラメータに基づいてフェムトノード１０２を特定することができ、ハンドインコンポーネント５１４は、上記のハンドオーバーメッセージまたは異なるハンドオーバーメッセージ（たとえばＲＡＮＡＰ再配置応答メッセージ）をフェムトノード１０２へ転送して、デバイス１０６のハンドインを支援することができる。この例では、説明されるように、フェムトノード１０２は、フェムトノード１０２の動作周波数へデバイス１０６を切り替えるための命令を準備することができ、その命令を、ＲＮＣ  １２０へ伝えるためにフェムトゲートウェイ１２４に与えることができる。
【００９４】
一例では、ＰＳＣコンポーネント５１２は、ビーコン１０４を送信するためにフェムトノード１０２によって利用される少なくとも１つのＰＳＣを示すものを、割り当てまたはそうでなければ受け取ることができる。したがって、ＰＳＣコンポーネント５１２は、セルの識別子へのＰＳＣの対応付けを記憶できるので、フェムトノード曖昧性解消コンポーネント５１６はその後、ビーコン１０４について報告されたＰＳＣに基づいて、フェムトノード１０２を特定することができる。別の例では、ＰＳＣコンポーネント５１２は、フェムトノード１０２の動作周波数でパイロット信号を送信するためにフェムトノード１０２によって使用されるＰＳＣを示すものを、割り当てまたはそうでなければ受け取ることができる。したがって、ＰＳＣコンポーネント５１２は、報告されたＰＳＣに基づいてフェムトノード１０２をその後に特定するためのＰＳＣの組合せ（たとえば、ＰＳＣのデカルト積）に対応する、セルの識別情報を記憶することができる。さらに、ＰＳＣコンポーネント５１２は、チップレベルのタイミング、フレームのタイミング、送信／受信のタイミング、サブフレームオフセット、セルの識別子などのような、フェムトノード１０２および／または他のフェムトノードに関する、他の観測された情報または受信された情報を記憶することができる。一例では、ＰＳＣコンポーネント５１２は、報告されたＰＳＣまたは他のパラメータに対するフェムトノードの曖昧さを解消するために、ＲＮＣ  １２０のような１つまたは複数の他のノードへのそのような対応付けを伝えることができる。
【００９５】
ハンドオーバーメッセージにおいて受信される識別子（たとえば、デバイス１０６によって報告される識別子および／または他の情報）がフェムトノードと一意に一致しない場合、フェムトノード曖昧性解消コンポーネント５１６は、追加の情報を利用して、デバイス１０６がハンドインされるべきフェムトノードを特定することができる。一例では、上で説明され本明細書でさらに説明されるように、フェムトノード曖昧性解消コンポーネント５１６は、１つまたは複数のフィルタを適用して、デバイス１０６により特定されるターゲットフェムトノードの曖昧さを解消することができる。たとえば、フェムトノード曖昧性解消コンポーネント５１６は、ソースフィルタを適用して、マクロセル基地局１１０、関連するセル、ＲＮＣ  １２０などを識別することができる。これによって、たとえば、フェムトノード曖昧性解消コンポーネント５１６が、ターゲットフェムトノードを、ＲＮＣ  １２０から閾値の距離以内にある１つまたは複数のフェムトノードへと絞り込めるようになる。他のフィルタは、１つまたは複数のフェムトノードに関連するタイミング差をデバイス１０６によって報告されるタイミング差と比較する、ＯＴＤフィルタと、１つまたは複数のフェムトノードのＰＳＣおよび動作周波数とデバイス１０６によって報告される（たとえば、測定結果報告または他の報告メッセージの中の）ＰＳＣおよび動作周波数を比較する、ＰＳＣフィルタと、デバイス１０６が１つまたは複数のフェムトノードにアクセスできるかどうかを識別する（たとえば、フェムトノードの１つまたは複数が、限定加入者グループ（ＣＳＧ）のような制限された接続と相互に関連がある場合に）、アクセス制御フィルタと、１つまたは複数のフェムトノードの被る雑音の増加が（もしあれば）デバイスの存在に対応するかどうかを判定する、ＵＬ  ＲＳＳＩフィルタと、１つまたは複数のフェムトノードがデバイス１０６のハンドインを受け入れることができるかどうかを決定する、アクティブハンドイン適格性フィルタと、１つまたは複数のフェムトノードのタイミングとデバイス１０６によって報告されるタイミングとを比較する、タイミングフィルタなどを含み得る。フェムトノード曖昧性解消コンポーネント５１６がフェムトノード１０２のようなターゲットフェムトノードを識別する場合、ハンドインコンポーネント５１４は、デバイス１０６のハンドインを受け入れるために、ターゲットフェムトノードを準備することができる。
【００９６】
さらに、たとえば、フェムトノード曖昧性解消コンポーネント５１６は、上で説明されたフェムトノード曖昧性解消コンポーネント２１８と同様の機能を実行して、ターゲットフェムトノードを決定することができる。たとえば、フェムトノード１０２は、異なるＰＳＣを用いて複数のビーコン１０４を送信することができる。このことは、単一の送信の機会でビーコンを送信すること、または、複数の送信の機会にわたってＰＳＣを変化させることを含み得る。いずれの場合でも、ＰＳＣコンポーネント５１２は、フェムトノード１０２により利用されるＰＳＣを受信でき、または場合によっては提供できるので、フェムトノード曖昧性解消コンポーネント５１６は、ＲＮＣ  １２０から１つまたは複数のハンドオーバーメッセージで受信されたＰＳＣに基づいて、フェムトノード１０２がターゲットフェムトノードかどうかを判定することができる。
【００９７】
フェムトノード曖昧性解消コンポーネント５１６が、単一のフェムトノード１０２を決定できない（またはそうでなければそのように決定しない）場合、ハンドインコンポーネント５１４は、ハンドインを受け入れまたは拒否できる、フェムトノード１０２のような複数のフェムトノードにハンドオーバーメッセージを伝えることができる。複数の受け入れフェムトノードがある例では、ハンドインコンポーネント５１４は、関連するハンドオーバー命令をマクロセル基地局１１０に伝えることができ、マクロセル基地局１１０はさらに、説明されたように、他の利用可能な情報（たとえば、フェムトノードのカバレッジ情報に対して測定されたようなアップリンクのＲＳＳＩ、信号タイミングなど）に基づいて、フェムトノード１０２を選択しようと試みることができる。
【００９８】
ハンドインコンポーネント５１４は、デバイス１０６のハンドインのために、複数のフェムトノードを同時にまたは連続的に準備することができる。ある例では、ハンドインコンポーネント５１４は、（たとえば、事前設定、設計判断、または他のハードコーディング、１つもしくは複数の設定されたパラメータなどに基づいて）フェムトノード１０２の同時の準備を指定または想定することができ、このことは、フェムトノードに、１つまたは複数の無線ベアラを含み得るデバイス１０６のための同一の無線リソースを確立させ得る。したがって、ハンドインコンポーネント５１４は、リソースを指定するＲＮＣ  １２０を介してデバイスへ伝えるために、ＲＡＮＡＰ再配置要求確認応答または同様のメッセージのようなハンドオーバーメッセージを、ＣＮ  １２２に転送することができる。この例では、デバイス１０６は、リソースを通じてフェムトノードの１つに接続することができる。一例では、ハンドインコンポーネント５１４は、フェムトノードに対する共通のリソースを特定することができ、かつ／または、フェムトノードは、共通のリソースを知る（たとえば、かつ、フェムトノードへの接続の後にデバイスを再構成することによって少なくとも一部、リソースを利用可能なままにする）ことができる。別の例では、１つまたは複数のフェムトノードは、そのような目的のために用意された共通のリソースのセットから選択することができ、その選択をフェムトゲートウェイ１２４に示すことができる。ハンドインコンポーネント５１４は次いで、選択されたリソースを他のフェムトノードに示すことができる。
【００９９】
別の例では、ハンドインコンポーネント５１４は、複数のフェムトノードの連続的な準備を実行することができる。たとえば、ハンドインコンポーネント５１４は、第１のフェムトノードを準備することができ、デバイス１０６にハンドインを試行させることができる。ハンドインが失敗した場合、これはＣＮ  １２２を介してＲＮＣ  １２０により示され得るが、ハンドインコンポーネント５１４は、次のフェムトノードを準備し、デバイス１０６に次のフェムトノードへのハンドインを試行させることなどができる。
【０１００】
ある例では、１つまたは複数のフェムトノードがある期間中に閾値の回数よりも多く曖昧さを解消されていないことを、フェムトノード曖昧性解消コンポーネント５１６が検出すると、ＰＳＣコンポーネント５１２は、フェムトノードの１つまたは複数に、ＰＳＣ、タイミングなどのような、送信されるビーコンの１つまたは複数の特性を再構成するように要求することができる。一例では、ＰＳＣコンポーネントは、１つのＰＳＣ、１つのタイミングなど、ＰＳＣのリスト、複数のタイミングなどを特定することができ、フェムトノード１０２はこれらから選択することなどができる。たとえば、ＰＳＣコンポーネント５１２は、デバイス１０６から頻繁には受信されない、１つまたは複数のＰＳＣ、複数のタイミングなどを選択することなどができる。
【０１０１】
図６は、本明細書で説明される１つまたは複数の態様による、ある例示的なフェムトノード曖昧性解消コンポーネント６０２を示す。たとえば、フェムトノード曖昧性解消コンポーネント２１８、４１４、および／または５１６は、上で説明されたように、フェムトノード曖昧性解消コンポーネント６０２のコンポーネントを含み、それと関連して説明された少なくともいくつかの機能を実現するのを支援することができる。フェムトノード曖昧性解消コンポーネント６０２は、フェムトノード曖昧性解消コンポーネント６０２がそこへのアクセスを提供する、かつ／またはその関連する静的なまたは準静的なパラメータを提供する、１つまたは複数のフェムトノード（図示せず）を決定するためのフェムトノード識別コンポーネント６０４と、発見されたフェムトノードに関連する１つまたは複数のパラメータを受信するためのパラメータ取得コンポーネント６０６と、１つまたは複数のパラメータに基づいてフェムトノード識別コンポーネント６０４により識別されたフェムトノードに１つまたは複数のフィルタを適用して、１つまたは複数の可能性のあるターゲットフェムトノードを決定し、かつ／または、フェムトノード曖昧性解消コンポーネント６０２を利用するフェムトノードがターゲットフェムトノードかどうかを判定するための、フィルタ適用コンポーネント６０８とを含み得る。
【０１０２】
たとえば、フェムトノード曖昧性解消コンポーネント６０２がフェムトゲートウェイ内にある場合、フェムトノード識別コンポーネント６０４は、フェムトゲートウェイに関連するフェムトノードのリストとともに、フェムトゲートウェイに関連する静的なまたは準静的なパラメータ、たとえば、ビーコンを送信する際にフェムトノードにより利用される１つまたは複数のＰＳＣ、利用されるタイミング、１つまたは複数の基準タイミングソースとのタイミング差などを生成することができる。フェムトノード曖昧性解消コンポーネント６０２がフェムトノード内に存在する場合、フェムトノード識別コンポーネント６０４は、フェムトノードに関連する１つまたは複数の静的なまたは準静的なパラメータを生成することができる。いずれの場合でも、意図されるフェムトノードに関するパラメータは、パラメータ取得コンポーネント６０６によって受信され得る。パラメータは、フェムトノードにより送信されるビーコンのＰＳＣ、フェムトノードのタイミング、または１つもしくは複数の他のパラメータのような、発見されたパラメータであってよく、これらは、デバイスにより特定されハンドオーバーメッセージにおいてコアネットワークから受信されてもよく、１つまたは複数の他のメッセージにおいてコアネットワークから受信されるなどしてもよい。ＰＳＣがターゲットフェムトノードを識別するのに十分ではない（たとえば、２つ以上のフェムトノードがそのＰＳＣを使用することがある）場合、説明されるように、フェムトノード曖昧性解消コンポーネント６０２は、本明細書で説明されたフィルタまたは他の機構の１つもしくは複数を適用して、ターゲットフェムトノードの曖昧さを解消することができる。
【０１０３】
一例では、パラメータ取得コンポーネント６０６は、デバイスに関連するソース基地局の識別情報を取得することができ（たとえば、ＲＡＮＡＰ再配置要求メッセージまたはＲＡＮＡＰ再配置必要メッセージにおいて）、フィルタ適用コンポーネント６０８は、デバイスのソース基地局に基づいてソースフィルタ６１０を適用して、ソース基地局の閾値の近傍内にある１つまたは複数の可能性のあるターゲットフェムトノードを決定することができる。たとえば、ソースフィルタ６１０は、フェムトノードが閾値の近傍内にあるかどうかを判定する際に、（たとえば、フェムトノード識別コンポーネント６０４により決定される位置パラメータに基づいて）フェムトノード識別コンポーネント６０４により識別されるフェムトノードの既知の位置を、ソース基地局の既知の位置または測定された位置と比較することができる。一例では、ソース基地局の位置は、１つまたは複数のネットワーク構成メッセージ、たとえば、ＮＣＬまたは同様のメッセージ、フェムトノードの位置を認識しているフェムトノード管理システムおよび周囲の基地局からのメッセージなどにおいて、パラメータ取得コンポーネント６０６によって受信されてよい。別の例では、ソース基地局の位置は、（たとえばＮＬＭを用いて）フェムトノードにより測定されフェムトノードから受信される、ソース基地局への経路損失の測定結果に一部基づいて、推測され得る。
【０１０４】
いずれの場合でも、ソース基地局の目標の近傍内にあるフェムトノードは、可能性のあるターゲットフェムトノードであると考えられ得る。別の例では、フェムトノード曖昧性解消コンポーネント６０２がフェムトノードにより利用される場合、フェムトノード曖昧性解消コンポーネント６０２は、フェムトノードがソース基地局の閾値の近傍内にあると判定されることに基づいて、フェムトノードが可能性のあるターゲットフェムトノードであると判定することができる。一例では、パラメータ取得コンポーネント６０６は、ソース基地局の識別情報、または、ソース基地局の識別情報がそれから導き出され得る関数値を、ＲＡＮＡＰ再配置要求メッセージの２８ビットのセル識別情報要素（ＩＥ）において受信することができる。たとえば、ＲＮＣは、デバイスからハンドオーバーメッセージを受信すると、説明されるように、セル識別ＩＥ中の、ソース基地局の識別子および／または他の情報を符号化することができる。したがって、ＲＡＮＡＰ再配置要求メッセージを受信すると、パラメータ取得コンポーネント６０６は、ソースフィルタ６１０による利用のために、セル識別ＩＥから識別子を取得することができる。いずれの場合でも、ソースフィルタ６１０は、ソース基地局の閾値の近傍内でフェムトノードのリストを出力することができ、または、対応するフェムトノードが閾値の近傍内にあるかどうかの指示を出力することができる。
【０１０５】
別の例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してＯＴＤフィルタ６１２を適用して、フェムトノードからの信号の報告されたＯＴＤに基づいて、１つまたは複数のターゲットフェムトノードを決定することができる。ＯＴＤフィルタ６１２は、デバイスにより測定される基準基地局に関連する複数のフェムトノード（またはある特定のフェムトノード）のＯＴＤが、そのフェムトノードと基準基地局との間の実際のタイミング差と相互に関連するかどうかを判定するのを、支援することができる。
【０１０６】
たとえば、フェムトノード曖昧性解消コンポーネント６０２を利用するフェムトノードは、基準基地局に対するＯＴＤを測定することができ（たとえば、ＮＬＭを使って基準基地局のタイミングを測定し、測定されたタイミングとフェムトノードのタイミングとの間の差を求める）、このＯＴＤは、後続のＯＴＤの比較のためにフェムトノード識別コンポーネント６０４に対して指定され得る。別の例では、フェムトノードは、フェムトゲートウェイからタイミング差を受信し、フェムトノードが基準基地局とのタイミング差を維持するのを確実にすることなどができる。いずれの場合でも、ＯＴＤフィルタ６１２は、報告されるＯＴＤと比較するために、フェムトノードにより測定されるＯＴＤまたはフェムトゲートウェイにより特定される（たとえばフェムトノード識別コンポーネント６０４からの）ＯＴＤを取得することができる。
【０１０７】
同様に、この例では、パラメータ取得コンポーネント６０６は、基準基地局の識別情報、報告されたＯＴＤなどを取得することができる。説明されたように、そのようなパラメータは、ＣＮからのＲＡＮＡＰ再配置要求メッセージから取得されてよく、ＣＮは、ＲＮＣ  １２０からのＲＡＮＡＰ再配置必要メッセージからそうしたパラメータを取得していてよく、ＲＮＣ  １２０は、測定結果報告または他のメッセージなどにおいて、デバイスからそうしたパラメータを取得していてよい。１つまたは複数のフェムトノードの報告されたＯＴＤが、ＯＴＤフィルタ６１２により維持されるタイミング差と同一である場合、または少なくとも閾値以内にある場合、ＯＴＤフィルタ６１２は、フェムトノードの識別情報、および／または、報告されたＯＴＤが、ある特定のフェムトノードがターゲットフェムトノードであり得るようなものかどうかの判定を、出力することができる。
【０１０８】
加えて、フェムトノード識別コンポーネント６０４は、１つまたは複数のフェムトノードと、１つまたは複数の周囲の基地局との間の、タイミング差を保持することができる。たとえば、フェムトノード曖昧性解消コンポーネント６０２がフェムトゲートウェイにより利用される場合、１つまたは複数のフェムトノードは、１つまたは複数の周囲の基地局に関するタイミング差を、フェムトゲートウェイに報告することができる。フェムトノード曖昧性解消コンポーネント６０４は、１つまたは複数のフェムトノードに対応するタイミング差を記憶することができる。タイミング差は、フェムトノードにより測定されたもの、フェムトノードと通信する１つまたは複数のデバイスにより与えられたもの（たとえば、フェムトノードと前に通信していたものの一部としての１つまたは複数の基地局から取得された、または他の方法で取得されたタイミングに基づいて）、ＣＮにおいて受信された情報に基づいてタイミング差を求めることができるフェムトノード管理システム（たとえばＨＮＢ管理システム（ＨＭＳ））により与えられたものなどのうちの、少なくとも１つであってよい。フェムトノードと基地局との間のタイミング差は、フレームまたはサブフレームの開始のタイミングのような、通信システムにおける１つまたは複数の基準点のタイミングの差と相互に関連し得る。
【０１０９】
フェムトノード曖昧性解消コンポーネント６０２がフェムトノードにより利用される場合、フェムトノードは、（たとえばＮＬＭを介して）１つまたは複数の基地局から信号を受信することによって、１つまたは複数のデバイスから（たとえば、１つまたは複数の基地局にとどまっているデバイスから、および／またはデバイスとのＲＡＮＡ再配置手順が成功したことに続いて）タイミング差を取得することなどによって、１つまたは複数の基地局とのタイミング差を識別することができ、フェムトノード識別コンポーネント６０４は、ＯＴＤフィルタ６１２により使用するためにそのタイミング差を記憶することができる。加えて、フェムトノード識別コンポーネント６０４は、上で説明されたようなタイミング差、および／または、１つまたは複数の修正もしくは補償（たとえば、線形ドリフトのような以下でさらに詳しく説明されるタイミング差のドリフトに対する）を受信することに一部基づいて、ＧＰＳのような外部のタイミングソースなどに基づいて、タイミング差に対する更新を適用することができる。さらに、この例では、フェムトノード識別コンポーネント６０４は、タイミング差をフェムトゲートウェイおよび／またはフェムトノード管理システムに対してタイミング差を与えることができる。
【０１１０】
さらに別の例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してＰＳＣフィルタ６１４を適用して、フェムトノードからのビーコンもしくは他の信号の報告されたＰＳＣおよび／または周波数に基づいて、１つまたは複数のターゲットフェムトノードを決定することができる。たとえば、パラメータ取得コンポーネント６０６は、デバイスにより報告されるＰＳＣおよび／または動作周波数を取得し、報告された周波数上での報告されたＰＳＣが、ビーコンまたはパイロット信号を送信するために１つまたは複数のフェムトノード（またはある特定のフェムトノード）により利用される周波数上でのＰＳＣと一致するかどうかを、判定することができる。一致が判定される場合、ＰＳＣフィルタ６１４は、１つまたは複数のフェムトノードの識別情報、および／または、関連するフェムトノードがターゲットフェムトノードであり得るという判定を、出力することができる。
【０１１１】
フェムトノード曖昧性解消コンポーネント６０２がフェムトゲートウェイにより利用される場合、フェムトノード識別コンポーネント６０４は、ビーコンまたはパイロット信号を送信するためにフェムトノードにより利用されるＰＳＣおよび／または周波数を記憶することができる。一例では、フェムトゲートウェイは、ＰＳＣおよび／または周波数をフェムトノードに割り当てることができる（かつ／または、説明されたように、フェムトノードに、そのように構成または再構成させることができる）。フェムトノード曖昧性解消コンポーネント６０２がフェムトノードにより利用される場合、フェムトノード識別コンポーネント６０４は、ビーコンまたはパイロット信号を送信するためにフェムトノードにより利用されるＰＳＣおよび／または周波数を記憶することができる。一例では、説明されたように、フェムトノードは、様々なＰＳＣおよび／または周波数を用いて複数のビーコンを送信することができるので、ＰＳＣフィルタ６１４は、複数の報告されたＰＳＣおよび／または周波数を比較して、可能性のあるターゲットフェムトノードを決定することができる。
【０１１２】
一例では、パラメータ取得コンポーネント６０６は、デバイスにより送信される測定結果報告、または、ＲＡＮＡＰ再配置要求メッセージのようなデバイスの情報を備える関連するメッセージから、ＰＳＣおよび／または周波数を受信することができる。たとえば、ＰＳＣおよび／または周波数は、ＲＡＮＡＰ再配置メッセージにおいて、ターゲットセル識別ＩＥにおいて指定され得る。別の例では、パラメータ取得コンポーネント６０６は、（たとえばターゲットセル識別ＩＥにおいて）デバイスにより示されるソース基地局に一部基づいて、周波数を推測することができる。たとえば、ターゲットフェムトノードの周波数は、示されたソース基地局の周波数と同一であってよい。一例では、パラメータ取得コンポーネント６０６は、ＣＮまたは関連するコンポーネント（たとえばフェムトノード管理システム）からＮＣＬまたは１つもしくは複数の他のメッセージを受信したこと、ＮＬＭを介してソース基地局を検出したことなどに一部基づいて、ソース基地局の周波数を知ることができる。さらに別の例では、パラメータ取得コンポーネント６０６は、デバイスが測定する際に使うべき周波数を含む周波数を、デバイスに与えられる測定設定メッセージ（たとえば、ＲＲＣ測定設定メッセージ）から取得することができ、その周波数から、（たとえば、リスト中にない、可能性のある動作周波数を見つけることによって）デバイスがとどまっている周波数を導出することができる。
【０１１３】
ある例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してアクセス制御フィルタ６１６を適用して、デバイスがフェムトノードにアクセスできるかどうかに基づいて、１つまたは複数のターゲットフェムトノードを決定することができる。たとえば、アクセス制御フィルタ６１６は、デバイスが、ＣＳＧ、またはフェムトノードにより通知される他の制限された接続のメンバーであるかどうかを、判定することができる。一例では、フェムトノード識別コンポーネント６０４は、１つまたは複数のフェムトノードのＣＳＧ識別子または他の制限された接続の情報を記憶することができ、パラメータ取得コンポーネント６０６は、デバイスに関連するＣＳＧ加入情報、デバイスがＣＳＧのメンバーかどうかの指示などを受信することができる。受信されたパラメータに基づいて、アクセス制御フィルタ６１６は、デバイスがアクセスを有するフェムトノードの１つまたは複数、および／または、デバイスがある特定のフェムトノードにアクセスできるかどうかの判定を、出力することができる。
【０１１４】
別の例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してＵＬ  ＲＳＳＩフィルタ６１８を適用して、フェムトノードにおけるＵＬ  ＲＳＳＩの変化がデバイスの存在により引き起こされ得るかどうか基づいて、１つまたは複数のターゲットフェムトノードを決定することができる。たとえば、フェムトノード識別コンポーネント６０４は、１つまたは複数のフェムトノードに関連する、またはそれにより報告される、ＵＬ  ＲＳＳＩを記憶することができ、これは、あるタイムスケジュールまたは他のイベント（たとえば、ＵＬ  ＲＳＳＩの変化の検出）に従って更新され得る。この例では、パラメータ取得コンポーネント６０６は、ハンドオーバーメッセージを取得することができ、フィルタ適用コンポーネント６０８は、ハンドオーバーメッセージを受信したことに基づいてＵＬ  ＲＳＳＩフィルタ６１８を適用して、デバイスの存在と関連付けられ得るＵＬ  ＲＳＳＩの上昇を有する１つまたは複数のフェムトノード（たとえば、または、ある特定のフェムトノードがＵＬ  ＲＳＳＩにおける対応する上昇を有するかどうか）を判定することができる。たとえば、ＵＬ  ＲＳＳＩフィルタ６１８は、フェムトノードの平均のＵＬ  ＲＳＳＩと現在のＵＬ  ＲＳＳＩとを比較して、差が閾値を満たすかどうかを判定することができる。満たす場合、説明されるように、ＵＬ  ＲＳＳＩフィルタ６１８は、可能性のあるターゲットフェムトノードとしてフェムトノードを出力し、かつ／または、ある特定のフェムトノードが可能性のあるターゲットフェムトノードかどうかに関する判定を出力することができる。さらにある例では、ＵＬ  ＲＳＳＩの差の閾値は、フェムトノードのＣＩＯに一部基づき得る。
【０１１５】
別の例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してハンドイン適格性フィルタ６２０を適用して、フェムトノードがハンドインに適しているかどうかに基づいて、１つまたは複数のターゲットフェムトノードを決定することができる。たとえば、いくつかのフェムトノードは、マクロセル基地局からのハンドインを許可しなくてもよく、これは、フェムトゲートウェイおよび／またはＣＮの１つもしくは複数のコンポーネントによって設定され得る。一例では、マクロセル基地局からのハンドインに適したフェムトノードは、ハイブリッドアクセスモードまたはオープンアクセスモードで動作することができ、ビーコンを送信することなどができるが、適していないフェムトノードはそれが行えない。いずれの場合でも、フェムトノード識別コンポーネント６０４は、フェムトノードのハンドインの適格性に関するパラメータを、したがってハンドインの適格性をＣＮ  コンポーネントから取得でき、ハンドイン適格性フィルタ６２０は、そのパラメータに基づいて、フェムトノードが可能性のあるターゲットフェムトノードであり得るかどうか（かつ／または、ある特定のフェムトノードがターゲットフェムトノードであり得るかどうか）を判定することができる。
【０１１６】
別の例では、フィルタ適用コンポーネント６０８は、フェムトノード識別コンポーネント６０４により識別されるフェムトノード（および／または、フェムトノード曖昧性解消コンポーネント６０２を利用するフェムトノード）に対してタイミングフィルタ６２２を適用して、１つまたは複数のタイミングパラメータに基づいて、１つまたは複数のターゲットフェムトノードを決定することができる。たとえば、タイミングパラメータは、デバイスにより報告される、計算された送信／受信タイミング差に相当し得る。この例では、フェムトノード識別コンポーネント６０４は、１つまたは複数の基地局から１つまたは複数のフェムトノードにおいて受信される信号のタイミングパラメータ、および／または、１つまたは複数のフェムトノードにより送信される信号のタイミングを記憶することができる。この例では、パラメータ取得コンポーネント６０６は、信号がデバイスにおいて１つまたは複数のフェムトノードから（たとえばセル同期情報ＩＥの中で）受信される、時間Ｔmを取得することができる。タイミングフィルタ６２２は、１つまたは複数のフェムトノードが可能性のあるターゲットフェムトノードかどうかを、および／または、ある特定のフェムトノードがターゲットフェムトノードかどうかを判定することができ、ΔｓｐｒｅａｄSHO＞ｔｈｒｅｓｈｏｌｄspreadである。この例では、ΔｓｐｒｅａｄSHO＝Ｔm−［ＴRx@HNB,MNB-SFN−ＴTx,HNB-SFN］ｍｏｄ２５６チップである。ＴRx@HNB,MNB-SFNは、フェムトノードで受信されるソース基地局フレーム（たとえば、主要共通制御物理チャネル（Ｐ−ＣＣＰＣＨ））のタイミングである。ＴTx@HNB-SFNは、フェムトノードにおいて送信されるフェムトノードフレーム（主要共通制御チャネル（Ｐ−ＣＣＣＨ））のタイミングである。
【０１１７】
一例では、フェムトノード識別コンポーネント６０４は、デバイスに従って、ハードコーディングされ、設定され、または測定されたソース基地局のタイミングに基づいて、所与のフェムトノードのｔｈｒｅｓｈｏｌｄspreadを調整することができる。一例によれば、ｔｈｒｅｓｈｏｌｄspread＝ｔｈｒｅｓｈｏｌｄSHO＋ｔｈｒｅｓｈｏｌｄpropagationであり、ｔｈｒｅｓｈｏｌｄSHO＝ｍａｘ{i,k}（ＴTX,SFN,macro{i}−ＴTX,SFN,macro{k}）である。この例では、ｉおよびｋは、デバイスが現在のセッションにおいてアクティブセット中に有する、すべてのマクロセル基地局にわたって付されるインデックスであってよく、ＴTX,SFN,macro{x}は、マクロセル基地局ｘのＰ−ＣＣＰＣＨのタイミングである。さらに、ｔｈｒｅｓｈｏｌｄpropagation＝ｍａｘj（ｍａｃｒｏj→ＵＥ伝搬遅延であり、ｊも、アクティブセット中のすべてのマクロセル基地局にわたって付されるインデックスである。パラメータ取得コンポーネント６０６は、１つまたは複数のデバイスからそのようなパラメータを受信することができ、それに従って１つまたは複数のフェムトノードの閾値を調整することができ、フェムトノード識別コンポーネント６０４は、その後で使うためにその閾値を記憶することができる。
【０１１８】
さらに、たとえば、タイミングフィルタ６２２は、可能性のあるターゲットフェムトノードとして１つまたは複数のフェムトノードを出力することができ、または、デバイスにより報告されるフレームのタイミングのオフセットがフェムトノードのタイミング差と相互に関連があるかどうかを判定することに基づいて、ある特定のフェムトノードがターゲットフェムトノードかどうかを示すことができる。たとえば、デバイスは、接続フレーム番号（ＣＦＮ）オフセット、サブフレーム番号（ＳＦＮ）オフセットなどを（たとえば、セル同期情報ＩＥ中のＯＦＦ  ＩＥにおいて）報告することができ、これらは、パラメータ取得コンポーネント６０６において受信され得る。タイミングフィルタ６２２は、可能性のあるターゲットフェムトノードの識別子、および／または、関連するフェムトノードが可能性のあるターゲットフェムトノードかどうかの判定を出力することができ、フレーム番号のオフセットはフェムトノードのＳＦＮに相当せず、フェムトノードのＳＦＮは、マクロセル基地局のＳＦＮから差し引かれる１つまたは複数のフェムトノードに関連するものとして、フェムトノード識別コンポーネント６０４に記憶され得る。
【０１１９】
フィルタ適用コンポーネント６０８は、前述のフィルタの１つまたは複数を適用して、識別されたフェムトノードを、１つまたは複数の可能性のあるターゲットフェムトノードへと絞り込めることを理解されたい。説明されるように、フェムトノード曖昧性解消コンポーネント６０２により出力されるフェムトノードは、デバイスのハンドインを受信するために準備され得る。さらに、説明されたように、フェムトノードおよびフェムトゲートウェイは、１つまたは複数のフィルタとともに用いられ得る他の曖昧性解消技法（たとえば、複数のＰＳＣ、複数の準備など）を実施して、デバイスが意図するターゲットフェムトノードを決定するのを支援することができる。
【０１２０】
図７は、ビーコンの送信に基づいてアクティブなハンドインのシグナリングを引き起こすための、ある例示的なシステム７００を示す。システム７００は、フェムトノード１０２と、デバイス１０６と、マクロセル基地局１１０と、ＲＮＣ  １２０と、ＣＮ  １２２と、任意選択のフェムトゲートウェイ１２４とを含み、これらは上で説明されたように通信することができる。
【０１２１】
ある具体的な例（たとえば、Ｗ−ＣＤＭＡのプレリリース９であるデバイスの例）では、ＲＮＣ  １２０は、ＲＲＣ測定制御メッセージ７０２をデバイス１０６に送信して、フェムトノード１０２のようなフェムトノードに属し得るＰＳＣに遭遇した時に報告するように、デバイス１０６のイベント１ａ／１ｄを設定することができる。一例では、ＲＲＣ測定制御メッセージ７０２は、測定されたフェムトノードと１つまたは複数の他の基地局との間のタイミングの差を（たとえばＳＦＮに基づいて）報告するように、デバイス１０６に指示することができる。デバイス１０６は次いで、フェムトノード１０２からビーコン７０４を検出することができ、ビーコン７０４は、説明されたように、マクロセル基地局１１０の動作周波数でブロードキャストされ得る。一例では、デバイス１０６は、フェムトノード１０２が、ＣＮ  １２２の１つまたは複数のコンポーネントから受信されるリスト中のＣＳＧと関連付けられると、判定することができる。たとえば、デバイス１０６は、ビーコン７０４、ビーコン７０４中のＣＳＧの識別子などに関連するＰＳＣからＣＳＧを決定することに基づいて、フェムトノード１０２のＣＳＧを決定することができる。さらに、たとえば、デバイス１０６は、ブロードキャストチャネル（ＢＣＣＨ）を読み取り、ＳＦＮを復号することができる。
【０１２２】
たとえば、デバイス１０６は、ＣＳＧの識別子、ＰＳＣなどのようなフェムトノード１０２の識別情報、および／または、マクロセル基地局１１０に対するタイミングの差（たとえばＳＦＮに基づく）を含み得る、測定結果報告を生成することができる。デバイス１０６は、ＲＲＣ測定結果報告メッセージ７０６において、（たとえばマクロセル基地局１１０を介して）測定結果報告をＲＮＣ  １２０に送信することができる。ある例では、イベント１ａ／１ｄは、ビーコン７０４の測定結果に基づいてデバイス１０６においてトリガされてよく、デバイス１０６は、イベントに基づいて測定結果報告を伝えることができる。ＲＮＣ  １２０は次いで、ＲＡＮＡＰ再配置必要メッセージ７０８をＣＮ  １２２に送信することができ、ＲＡＮＡＰ再配置必要メッセージ７０８は、フェムトノード１０２のＰＳＣ（たとえば、またはＰＳＣに対応する識別子）、タイミングの差などのような、ＲＲＣ測定結果報告メッセージ７０６で受け取られる情報を含み得る。
【０１２３】
一例では、ＲＮＣ  １２０は、ＲＡＮＡＰ再配置必要メッセージのセル識別子ＩＥを、ＰＳＣによって、またはＰＳＣの関数として計算される値によって埋めることができる。１つの具体的な関数では、ｆａｋｅ−ＵＣ−Ｉｄは以下のような２８ビットの整数であってよい。ｉ）  ｆａｋｅ−ＵＣ−Ｉｄ［２８：１７］＝フェムトゲートウェイ１２４のＲＮＣ−ｉｄ（１２ビット、ＲＮＣ動作支援システム（ＯＳＳ）において設定される）ｉｉ）  ｆａｋｅ−ＵＣ−Ｉｄ［９：１］＝ｇ（ＰＳＣ）（９ビット、ＲＮＣ  ＯＳＳにおいて設定される）であり、ｇは１対１の９ビットの関数であるｉｉｉ）  ｆａｋｅ−ＵＣ−Ｉｄ［１６：１０］＝０００００００b
これに関して、ＲＡＮＡＰ再配置必要メッセージの中でセル識別子として使われるｆａｋｅ−ＵＣ−Ｉｄは、関数によってエンコードされる特性を通知するフェムトノード１０２に対して、フェムトゲートウェイ１２４によって一致させられ得る。たとえば、フェムトゲートウェイ１２４は、（たとえばビーコンがｆａｋｅ−ＵＤ−Ｉｄ［９：１］におけるＰＳＣインデックスを含む場合）自身のビーコンがトリガされている可能性のあるフェムトノードと、ｆａｋｅ−ＵＣ−Ｉｄを一致させることができる。
【０１２４】
さらに、一例では、ＲＡＮＡＰ再配置必要メッセージ７０８は、ＲＲＣ測定結果報告メッセージ７０６の少なくとも一部を含んでよく、ＲＲＣ測定結果報告メッセージ７０６は、フェムトノード１０２が、ハンドインに続いてデバイス１０６と通信するための初期出力を設定できるようにし得る。ＣＮ  １２２は、対応するＲＡＮＡＰ再配置要求メッセージ７１０を、フェムトノード１０２に、任意選択でフェムトゲートウェイ１２４を通じて伝えることができ、フェムトゲートウェイ１２４は、説明されるように、ＲＡＮＡＰ再配置要求メッセージ７１０中の情報に基づいてフェムトノード１０２を決定することができる。たとえば、ＲＡＮＡＰ再配置要求メッセージ７１０は、受信されたＲＡＮＡＰ再配置必要メッセージ７０８からのパラメータを含み得る。この例では、フェムトノード１０２は、ＲＡＮＡＰ再配置要求メッセージ７１０に基づいてハンドオーバー命令７１２を構築することができ、７１４において示されるように、ハンドオーバー命令７１２をＲＮＣ  １２０に伝え、デバイス１０６へと戻して、フェムトノード１０２へのハンドインを支援することができる。
【０１２５】
説明されるように、フェムトノード１０２は、ハンドオーバー命令７１２を構築するかどうか、またはＣＮ  １２２からのＲＡＮＡＰ再配置要求を拒否する（たとえば、ＲＡＮＡＰ再配置失敗メッセージまたは同様のメッセージを送信することによって）かどうかを判定するために、追加の関数を実行することができる。たとえば、ＲＡＮＡＰ再配置要求メッセージ７１０を受信すると、フェムトノード１０２は、フェムトノード１０２がハンドインのターゲットであるべきかどうかを判定するものとしてデバイス１０６が検出されるかどうかを、判定することができる。ＲＲＣ測定結果報告メッセージが、ＲＡＮＡＰ再配置要求メッセージ７１０において受信される場合、フェムトノード１０２は、フェムトノード１０２および／またはＲＮＣ  １２０について報告されるＲＲＣ測定結果報告メッセージのセル同期情報要素において報告される、ＯＦＦとタイミング測定結果（Ｔm）とを求めることができる。たとえば、ＯＦＦ＝（ＳＦＮ−ＣＦＮTx）  ｍｏｄ  ２５６であり、ＳＦＮ−ＣＦＮは、ＯＦＦ×３８４００＋Tm、かつＴm＝（ＴUETx−Ｔ0）−ＴRxSFNとして定義される、マクロセル基地局１１０に対する観測された時間差である。上記の報告の対象であるノードの各ペアについて、フェムトノード１０２は、ＴRxSFN＝｛（ＯＦＦCELL1−ＯＦＦCELL2）×３８４００＋（Ｔm,CELL1−Ｔm,CELL2）｝  ｍｏｄ  （３８４００×２５６）を計算することができる。計算されたＴRxSFNが、フェムトノード１０２を示す閾値を超える確率を有する場合、この例では、フェムトノード１０２は、ハンドオーバー命令７１２を構築して、デバイス１０６をフェムトノード１０２へハンドインすることができる。
【０１２６】
Ｗ−ＣＤＭＡでは、フェムトノード１０２およびＲＮＣ  １２０のクロックには、１秒ごとに最大で１．３４チップだけのずれが生じ得る。加えて、デバイス１０６は、複数の経路を通じてフェムトノード１０２からの信号を受信することがあり、これは多くの場合、最大で±４０チップの遅延を生じ得る。以下の表は、タイミングを同期するためにフェムトノード１０２によって実行される１時間当たりのリフレッシュの数が与えられた場合の、計算されたＴRxSFNがたとえばフェムトノード１０２に一致する不確かさを示す。
【表１】
2015208034.tif 000003
【０１２７】
したがって、フェムトノード１０２は、上の表に基づいてフェムトノード１０２がターゲットであるかどうかを判定することができ、リフレッシュの頻度に基づいてＴRxSFNの測定された差が確かさの範囲内にあるかどうかを判定することができる。別の例では、フェムトノード１０２は、ＴRxSFN（たとえば、実際の、予測された、または不確かさ）をハンドオーバー命令の中でフェムトゲートウェイ１２４に伝えることができるので、フェムトゲートウェイ１２４は、フェムトノード１０２がターゲットになるべきかどうかを判定することができる。ターゲットになるべきである場合、フェムトゲートウェイ１２４は、様々なノードを通じて、ハンドオーバー命令をデバイス１０６に転送することができる。ターゲットであるべきではない場合、フェムトゲートウェイ１２４は、別のフェムトノードがターゲットフェムトノードを決定するための同様の値によって応答するかどうかを、判定することができる。別の例では、複数のハンドオーバー命令が受信される場合、フェムトゲートウェイ１２４は、ＴRxSFNの最も望ましい値に基づいて、ターゲットである確率の最も高いフェムトノード１０２を選択することができる。
【０１２８】
さらに、たとえば、デバイス１０６が、圧縮モードの測定期間の間に、フェムトノード１０２からのパイロット（たとえば、デバイス１０６によるＲＲＣ測定結果報告メッセージ７０６において、かつ／またはＲＮＣ  １２０からのＲＡＮＡＰ再配置必要メッセージ７０８において示され得る）とともにビーコン７０４を測定する場合、フェムトノード１０２は、ビーコン７０４とパイロットとの間でＴmを一致させることができる。
【０１２９】
別の特定の例（たとえば、Ｗ−ＣＤＭＡのリリース９であるデバイスに対する例）では、ＲＮＣ  １２０は、ＲＲＣ測定制御メッセージ７０２を使って、ある時間間隔の間に、周波数内のシステム情報を取得するようにデバイス１０６を構成することができる。説明されたように、デバイス１０６はこうして、ビーコン７０４を検出することができ、ビーコン７０４中のＣＳＧの識別子、ＰＳＣなどを備える近接表示７０６をＲＮＣ  １２０に送信することができる。近接表示が実行されるかどうかに関係なく、デバイス１０６、ＲＮＣ  １２０、およびＣＮ  １２２は、ハンドインのためのリリース９による周波数内の手順を利用することができるが、フェムトノード１０２は、異周波数の手順を使って、ビーコン７０４に対応する周波数ではなくフェムトノード１０２の動作周波数でデバイス１０６にハンドインさせる。したがって、デバイス１０６は、他のフェムトノードの異周波数のパイロット信号を測定するのに、圧縮モードで通信する必要はない。
【０１３０】
加えて、説明されるように、フェムトノード１０２、ＲＮＣ  １２０、および／またはフェムトゲートウェイ１２４は、デバイス１０６から受信された情報に一部基づいて、フェムトノード１０２の曖昧さを解消するように構成され得る。一例では、フェムトノード１０２および／またはフェムトゲートウェイ１２４は、デバイス１０６から受信された情報とともに１つまたは複数のフィルタを適用して、フェムトノード１０２が可能性のあるターゲットフェムトノードかどうかを判定することができる。たとえば、説明されるように、デバイス１０６は、測定結果報告においてマクロセル基地局１１０の識別子を示すことができ、この識別子は、ＣＮ  １２２、フェムトゲートウェイ１２４、および／またはフェムトノード１０２に与えられ得る。識別子は、フェムトノード１０２が、マクロセル基地局１１０、または、フェムトノード１０２の近くにあり得るが直接隣接してはいない他のマクロセル基地局（または関連するセル）の、閾値の近傍内にあるかどうかを判定するために、ソースフィルタとともに使われ得る。別の例では、デバイス１０６は、マクロセル基地局１１０とフェムトノード１０２との間の測定されたタイミング差を提供することができ、このタイミング差は、適用されるＯＴＤフィルタとともに使われて、フェムトノード１０２とマクロセル基地局１１０との間で保たれているタイミング差が、デバイス１０６により報告されるタイミング差と同様であるかどうかなどを判定することができる。
【０１３１】
他の例では、フェムトノード１０２は、異なるＰＳＣによって複数のビーコン７０４を（たとえば、所与の送信の機会において複数のビーコン７０４を、ＰＳＣを順に変える異なる送信の機会を通じて複数のビーコンを）送信することによって、他のフェムトノードから自身を区別しようと試みることができる。いずれの場合でも、上で説明されたように、デバイス１０６は、１つまたは複数の測定結果報告においてＰＳＣを報告することができる。さらに、フェムトノード１０２および少なくとも別のフェムトノード（図示せず）がデバイス１０６の意図するターゲットフェムトノードであり得ると、フェムトゲートウェイ１２４が判定する場合、上で説明されたように、フェムトゲートウェイ１２４は、ハンドインのためのフェムトノードを同時にまたは連続的に準備することができる。さらに、フェムトゲートウェイ１２４は、フェムトノードの１つに、ビーコンの送信の１つまたは複数の特性を再構成させて、今後の曖昧さを回避することができる。加えて、ＲＮＣ  １２０は、ハンドインが成功するまで、デバイス１０６に与えられているリソースを保持して、ハンドインが失敗した場合にデバイス１０６がＲＮＣ  １２０との通信に戻れるようにすることができる。
【０１３２】
加えて、曖昧性解消の特性の組合せは、曖昧性解消の改善を実現するために組み合わされてよい。一例では、フェムトノード１０２および／またはフェムトゲートウェイ１２４は、ソースおよびＯＴＤフィルタを適用して、ターゲットフェムトノードを決定することができる。一例では、このことは、ＣＮ  １２２からのＲＡＮＡＰ再配置要求メッセージにおいて規定されるＰＳＣに関連する、１つまたは複数のフェムトノードを最初に決定することを含み得る。いずれの場合でも、フェムトノード１０２および／またはフェムトゲートウェイ１２４は、フェムトノード１０２が示されたマクロセル基地局１１０の閾値の近傍内にあるかどうかを判定し、デバイスにより報告されるフェムトノードとマクロセル基地局１１０との間のタイミング差が、フェムトノード１０２またはフェムトゲートウェイ１２４により保持される閾値のタイミング差の中にあるかどうかを判定することに一部基づいて、フェムトノード１０２がデバイス１０６の意図するターゲットフェムトノードであるかどうかを判定することができる。同時の準備、フェムトノードの再構成、マクロセル基地局１１０へ戻る能力などのような他の様々な特性とともに、追加のフィルタも適用され得る。
【０１３３】
別の例では、フェムトノード１０２は、ＣＳＧを提供し、非公開のアクセスモード（たとえば、メンバーデバイスにアクセスを提供し非メンバーデバイスには提供しない）で動作することができるが、マクロセル基地局１１０は、ハンドインが失敗するとマクロセル基地局１１０へと戻る能力を提供することができる。この例では、フェムトノード１０２および／またはフェムトゲートウェイ１２４は、ターゲットフェムトノードを決定する際にアクセス制御フィルタとＯＴＤフィルタとを適用することができ、かつ／または、ＰＳＣフィルタ、ＵＬ  ＲＳＳＩフィルタ、ハンドイン適格性フィルタなどを任意選択で適用することができる。したがって、曖昧さの解消によってフェムトノード１０２を選択することになった場合でも、デバイス１０６はアクセスを有さないが、デバイス１０６はマクロセル基地局１１０との通信に戻ることができる。さらに別の例では、フェムトノード１０２は、ハイブリッドアクセスモードで動作することができ、ターゲットフェムトノードを決定する際にソースフィルタを提供することができる。この例では、フェムトノード１０２および／またはフェムトゲートウェイ１２４は任意選択で、ＯＴＤフィルタ、ＰＳＣフィルタ、アクセス制御フィルタ、ＵＬ  ＲＳＳＩフィルタ、および／またはハンドイン適格性フィルタを適用することができる。さらに、この例では、フェムトゲートウェイ１２４は、同時の準備およびフェムトノードの再構成を実施することができるが、マクロセル基地局１１０は、復帰する能力を提供することができる。前述のことは、本明細書で説明される曖昧性解消の態様を用いた、実質的に無制限の構成の一部であることを理解されたい。
【０１３４】
図８〜図１６を参照すると、フェムトノードへのアクティブなハンドインを支援することに関する例示的な方法が示されている。説明を簡単にするために、方法を一連の行為として示し説明するが、いくつかの行為は、１つまたは複数の実施形態によれば、本明細書で示し説明する順序とは異なる順序で、かつ／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、示されるすべての行為が必要とされるとは限らない。
【０１３５】
図８を参照すると、アクティブなハンドインを支援するためにビーコンをブロードキャストするのを支援する、例示的な方法８００が示されている。８０２において、パイロット信号が、フェムトノード動作周波数を通じて送信され得る。たとえば、パイロット信号は、システムへのアクセス権の取得および／またはパイロット信号の源の特定のための、パラメータを含み得る。８０４において、１つまたは複数のマクロセル基地局と通信する１つまたは複数のデバイスのアクティブなハンドインを支援するために、ビーコンが生成され得る。たとえば、ビーコンは、ワイヤレスネットワークの中のセルによるダウンリンク送信（たとえば同様のチャネルなどを含む）を模倣するように生成され得る。加えて、ある例では、ビーコンは、ビーコンの源の特定を支援するためにＰＳＣを含み得る。ＰＳＣは、一例では、フェムトゲートウェイまたは他のワイヤレスネットワークコンポーネントにおけるビーコンの源の特定を支援するために、フェムトゲートウェイによって割り当てられていてよい。任意選択で、８０６において、ビーコンを送信するための出力が求められ得る。たとえば、その出力は、初期出力、最大出力、および／または現在の出力であってよい。
【０１３６】
出力は、存在を感知すること、または、１つまたは複数のデバイスへの潜在的な干渉に基づいて、求められ得る。たとえば、説明されるように、このことは、１つまたは複数のパラメータまたは測定、たとえば、マクロセルの動作周波数を通じて測定されたＲＳＳＩ（たとえば、前のＲＳＳＩと比較されたＲＳＳＩ、他の周波数へのデバイスのハンドインを検出するために別の周波数のＲＳＳＩと比較されたＲＳＳＩなど）、１つまたは複数の他の基地局の測定された信号強度などに、基づき得る。８０８において、フェムトノード動作周波数とは異なる１つまたは複数のマクロセル基地局のマクロセル動作周波数を通じて、ビーコンがブロードキャストされ得る。したがって、ビーコンは、マクロセル動作周波数を通じてマクロセルと通信する１つまたは複数のデバイスの、アクティブモードのハンドインを支援することができる。さらにある例では、説明されるように、８０４において、複数のビーコンが、１つまたは複数の周波数にわたって様々なＰＳＣを用いて生成され得る。この例では、８０６において、ビーコンの１つまたは複数の出力が、１つまたは複数のデバイスへの干渉を最小にするように決定され、または場合によっては制御され得る。
【０１３７】
図９を見ると、ビーコンのブロードキャストを調整すべきかどうかを判定するのを支援する、例示的な方法９００が示されている。９０２において、ビーコンが、マクロセル動作周波数を通じてブロードキャストされ得る。説明されるように、ビーコンは、マクロセル基地局のダウンリンク送信を模倣して、１つまたは複数のデバイスのアクティブなハンドインを支援することができる。９０４において、出力測定が、マクロセルの動作周波数を通じて実行され得る。たとえば、出力測定は、ＲＳＳＩまたは同様の測定であってよい。９０６において、デバイスが検出されるかどうかが判定され得る。たとえば、このことは、上で説明されたように、ＲＳＳＩの上昇に一部基づいて推測され得る。デバイスが検出される場合、９０８において、デバイスが通信を許可されていないかどうかが判定され得る。たとえば、この判定は、デバイスのための、通信を許可されているかどうかを示すものを取得すること、デバイスの認証を試みること、デバイスがアクセスを許可されるＣＳＧのホワイトリストを取得すること、およびホワイトリスト中のＣＳＧの識別子を見つけようと試みることなどを含み得る。デバイスが検出されない（たとえば、デバイスが通信を許可され得ない）場合、９１０において、より大きな出力でビーコンがブロードキャストされ得る。説明されるように、ビーコンの出力は、確定的な出力レベルに基づいて、ハンドインが検出されるまで段階的に、かつ／またはその他の方式で上げられ得る。
【０１３８】
いずれの場合でも、ビーコンをより大きな出力でブロードキャストしたことに続いて、他の出力測定を９０４において実行して、ビーコンの出力の動的な調整を支援することができる。９０８においてデバイスが（たとえばＣＳＧにおいて）通信を許可されない場合、９１２においてビーコンの出力が下げられ得る。たとえば、ビーコンの出力は、デバイスへの干渉を軽減するように、測定されたＲＳＳＩの関数、測定されたＲＳＳＩと前のＲＳＳＩの差などとして、下げられ得る。この例では、追加の出力測定が次いで９０４において実行され、ビーコンの出力の動的な調整を支援することができる。デバイスが９０６において検出されない場合、９１４において、ビーコンの送信が控えられ得る。この例でも、９０４において出力測定が実行され得る。
【０１３９】
図１０を参照すると、フェムトノードへのデバイスの異周波数のハンドインを実行するための、ハンドオーバー要求メッセージを通信するための例示的な方法１０００が示されている。１００２において、マクロセル動作周波数でビーコンをブロードキャストするためにフェムトノードによって利用されるＰＳＣを備える、ハンドオーバー要求メッセージが受信され得る。たとえば、ＰＳＣは、フェムトゲートウェイによってフェムトノードに割り当てられてよく、またはそうではない場合には、少なくともフェムトノードに対するＰＳＣの既知の関連付けが存在し得る。１００４において、フェムトノードが、ＰＳＣに一部基づいて決定され得る。したがって、たとえば、関連するパイロット信号の別のＰＳＣ、フェムトノードと１つまたは複数のマクロセル基地局との間で観測されるタイミングの差、アップリンクのＲＳＳＩ、デバイス、フェムトノードの報告された位置などのような、追加の受信されたパラメータまたは測定されたパラメータを利用して、フェムトノードの曖昧さを解消することができる。１００６において、ハンドオーバー要求メッセージがフェムトノードに伝えられ得る。したがって、フェムトノードは、デバイスのハンドインを受け入れる準備を行うことができる。
【０１４０】
図１１を見ると、フェムトノードに対する近接を示すための、例示的な方法１１００が示されている。１１０２において、ＣＳＧの識別子を備えるビーコンが、デバイスにおいてフェムトノードから受信され得る。たとえば、ＣＳＧの識別子を使って、フェムトノードにおける制限された接続を実施し、説明されるように、ＣＳＧのメンバーへアクセス権を許可することができる。１１０４において、デバイスがフェムトノードのメンバーであるかどうかが、ＣＳＧの識別子に一部基づいて判定され得る。たとえば、このことは、ＣＳＧの識別子をアクセス可能なＣＳＧの識別子のホワイトリストと比較すること、フェムトノードがハイブリッドアクセスモードで動作していると判定することなどを含み得る。１１０６において、フェムトノードの近傍に入ったことが、上記の判定とビーコンの測定結果とに少なくとも一部基づいて、ＲＮＣに示され得る。たとえば、近接インジケータ（たとえば、近接インジケータ情報要素を有するシステム情報）とビーコンの測定結果（たとえばビーコンのＳＮＲ）とを備える測定結果報告が、ＲＮＣに送信され得る。したがって、フェムトノードから信号を受信するための、１つまたは複数の測定設定パラメータが受信され得る。たとえば、このパラメータは、圧縮モードで動作することに対応し得る。加えて、ＣＳＧの識別子を伴わないビーコンを受信すると、またはビーコンを受信しないと、たとえば、フェムトノードの近傍から出たことが示され得る。
【０１４１】
図１２を参照すると、デバイスのための測定設定パラメータを設定するための、例示的な方法１２００が示されている。１２０２において、ＣＳＧの識別子と、デバイスがＣＳＧのメンバーであることの指示とを備える、測定結果報告がデバイスから受信され得る。一例では、その識別子は、測定結果報告の一部であってよい。１２０４において、１つまたは複数の測定設定パラメータが、上記の指示に基づいて、デバイスに対して設定され得る。たとえば、測定設定パラメータは、圧縮モードで動作することに関連してよく、たとえば、デバイスが他の基地局を測定できる時間間隔を含み得る。加えて、デバイスからＣＳＧの識別子を含まない第２の測定結果報告を受信すると、測定設定パラメータは、設定を解除され得る。
【０１４２】
図１３は、デバイスのハンドインのためのフェムトノードを準備するための例示的な方法１３００を示す。１３０２において、フェムトノードに関連するＰＳＣを含む１つまたは複数のパラメータを備える、デバイスのためのハンドオーバーメッセージが受信され得る。このことは、メッセージの１つまたは複数のＩＥにおいて識別されるデバイスのソース基地局とのメッセージ、メッセージの１つまたは複数のＩＥの中の、デバイスにより測定されるようなフェムトノードとソース基地局との間のタイミング差、フェムトノードからデバイスにおいて受信されるビーコンの１つまたは複数のＰＳＣなどを受信することを含み得る。さらに、説明されたように、ハンドオーバーメッセージは、１つまたは複数のパラメータを備え得る、デバイスから受信される測定結果報告に基づいてよく、かつ／または、パラメータは、デバイスから後で請求されてもよい。一例では、ハンドオーバーメッセージは、ＲＡＮＡＰ再配置要求メッセージであってよい。加えて、たとえば説明されたように、ＲＡＮＡＰ再配置要求メッセージ中のセル識別ＩＥを使って、１つまたは複数のパラメータを搬送することができる。
【０１４３】
１３０４において、１つまたは複数のフィルタは、１つまたは複数のパラメータに基づいて、ＰＳＣを利用する１つまたは複数のフェムトノードに適用され、１つまたは複数のフェムトノードの少なくとも１つがターゲットフェムトノードに相当するかどうかを判定することができる。たとえば、説明されたように、このことは、１つまたは複数のパラメータに基づいて、ソースフィルタ、ＯＴＤフィルタ、ＰＳＣフィルタ、アクセス制御フィルタ、ＵＬ  ＲＳＳＩフィルタ、ハンドイン適格性フィルタ、タイミングフィルタなどのうちの１つまたは複数を適用することを含み得る。したがって、一例では、ソース基地局は、１つまたは複数のパラメータから決定されてよく、ソースフィルタは、フェムトノードがソース基地局の閾値の近傍内にあるかどうかを判定するために適用され得る。
【０１４４】
１３０６において、少なくとも１つのフェムトノードが、デバイスのハンドインを受け入れるために準備され得る。たとえば、このことは、ハンドインを受け入れるためにリソースを確立することと、様々なネットワークノードを介してリソースをデバイスに示す（たとえば、ＲＡＮＡＰ再配置応答メッセージにおいて）こととを含み得る。別の例では、このことは、ＲＡＮＡＰ再配置要求メッセージのような１つまたは複数のハンドオーバーメッセージを、１つまたは複数のフェムトノードに伝えることを含み得る。一例では、メッセージが複数のフェムトノードに送信される場合、リソースのセットは、デバイスのハンドインの受け入れを確立するために、フェムトノードのセットに示され得る。他の例では、フェムトノードは、リソースのセットを示すことができ共通のリソースを使用できるので、共通のリソースはデバイスに対して指定され得る。
【０１４５】
図１４は、デバイスのハンドインを受け入れるようにフェムトノードを準備するための例示的な方法１４００を示す。１４０２において、複数のＰＳＣが、１つまたは複数の測定結果報告においてデバイスから受信され得る。たとえば、説明されたように、フェムトノードは、所与の送信の機会において複数のビーコンを送信すること、複数の送信の機会にわたりＰＳＣを順に変えることなどによって、複数のＰＳＣを用いてビーコンを送信することができる。こうして、複数のＰＳＣは、単一の測定結果報告または複数の測定結果報告において受信され得る。
【０１４６】
１４０４において、フェムトノードがビーコンを送信するために複数のＰＳＣを使用するかどうかに一部基づいて、フェムトノードがターゲットフェムトノードかどうかが判定され得る。たとえば、フェムトノードが用いるＰＳＣは記憶されていてよく、または場合によっては知られていてよいので、フェムトノードが複数のＰＳＣを使うかどうかを判定することは、受信されたＰＳＣを、フェムトノードにより利用されることが知られているＰＳＣと比較することを含み得る。さらに、このことは、ビーコンが受信される報告されたタイミング差を、ビーコンを送信するための既知のタイミング差と比較して、この差が閾値以内にあるかどうかを判定することを含み得る。
【０１４７】
１４０６において、フェムトノードがターゲットフェムトノードであると判定された場合に、フェムトノードがデバイスのハンドインを受け入れるため準備され得る。説明されるように、このことは、ハンドインを受け入れるためのリソースを確立すること、１つまたは複数のメッセージをフェムトノードに送信することなどを含み得る。
【０１４８】
図１５を見ると、複数のフェムトノードの曖昧さを解消してターゲットフェムトノードを決定するための例示的な方法１５００が示される。１５０２において、フェムトノードがデバイスの意図するターゲットフェムトノードかどうかが判定され得る。たとえば、説明されるように、このことは、１つまたは複数のフィルタを、フェムトノードに関して受信されたパラメータに適用すること、フェムトノードのために受信される１つまたは複数のＰＳＣに基づいて上記のように判定することなどを含み得る。
【０１４９】
１５０４において、追加のフェムトノードもターゲットフェムトノードであり得るかどうかが判定され得る。一例では、このことは、１つまたは複数のフィルタを適用した後に、追加のフェムトノードを決定することを含み得る。別の例では、方法１５００がフェムトノードによって実行される場合、このことは、フェムトノードがターゲットフェムトノードではないと判定することに基づき得る。前者の例では、１５０６において、任意選択で、フェムトノードおよび追加のフェムトノードが、デバイスのハンドインを受け入れるために準備され得る。このことは、フェムトノードにハンドオーバーメッセージを送信すること、ハンドインを受け入れるためのリソースを指定することなどを含み得る。任意選択で、いずれの例でも、１５０８において、ビーコン信号の１つまたは複数の特性が、追加のフェムトノードを決定することに基づいて再構成され得る。説明されるように、これによって、フェムトノードと追加のフェムトノードとの間で今後曖昧さが生じるのを防ぐことができる。
【０１５０】
図１６を参照すると、ハンドオーバーメッセージとともにデバイス固有のパラメータを伝えてフェムトノードの曖昧さの解消を支援するのを容易にする、例示的な方法１６００が示される。１６０２において、測定結果報告が、フェムトノードの１つまたは複数の他のパラメータとともに、デバイスから受信され得る。たとえば、このことは、フェムトノードにより使用されるＰＳＣ、ソース基地局の識別子、フェムトノードとソース基地局との間の測定されたタイミング差などを受信することを含み得る。一例では、１つまたは複数のパラメータは、測定結果報告において、または、異なる請求されたメッセージもしくは請求されていないメッセージにおいて、提供され得る。
【０１５１】
１６０４において、フェムトノードの識別子を備えるハンドオーバーメッセージが、１つまたは複数の他のパラメータとともに生成され得る。たとえば、このことは、ＲＡＮＡＰ再配置必要メッセージを生成して、１つまたは複数の他のパラメータ、関連するパラメータ、および／または、１つまたは複数の他のパラメータの関数（たとえばハッシュ関数）を、セル識別ＩＥにおいて指定することを含み得る。
【０１５２】
１６０６において、ハンドオーバーメッセージが、フェムトノードまたはフェムトゲートウェイに送信され、デバイスのハンドインを支援することができる。説明されるように、フェムトノードまたはフェムトゲートウェイは、１つまたは複数のパラメータを利用して、ターゲットフェムトノードとしてフェムトノードの曖昧さを解消することができる。このことは、説明されたフィルタの１つまたは複数をパラメータに適用すること、デバイスによって報告される複数のＰＳＣを決定することなどを含み得る。
【０１５３】
本明細書で説明される１つまたは複数の態様によれば、説明されるように、異周波数のアクティブなハンドインを支援するためにビーコンを送信すること、ビーコンの出力を求めること、ビーコンを所与の期間に送信するかどうかを判定すること、ビーコンに関連するフェムトノードを決定すること、１つまたは複数のフィルタに基づいてフェムトノードがターゲットフェムトノードかどうかを判定すること、関連するパラメータなどに関する、推測が行われ得る。本明細書で使用する「推測する」または「推測」という用語は、概して、事象および／またはデータを介して捕捉された観測結果のセットから、システム、環境、および／またはユーザの状態について推理する、またはその状態を推測するプロセスを指す。推測は、特定の状況または動作を識別するために利用されてよく、または、たとえば、状態の確率分布を生成してよい。推測は、確率的であってよく、すなわち、データおよび事象の考察に基づく当該の状態の確率分布の計算であってよい。推測は、事象および／またはデータのセットからより高いレベルの事象を構成するために利用される技法を指すこともある。そのような推測から、イベントが時間的に近接して相関するか否かにかかわらず、かつ、イベントおよびデータが１つまたは複数のイベントおよびデータの発生源に由来するかどうかにかかわらず、観測されたイベントおよび／または記憶されたイベントデータのセットから新しいイベントまたは動作が構築される。
【０１５４】
図１７を参照すると、１つまたは複数のデバイスのアクティブなハンドインを引き起こすためのビーコンを生成するための、システム１７００が示されている。たとえば、システム１７００は、少なくとも部分的にフェムトノードの中に存在し得る。システム１７００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１７００は、連携して動作することができる電気的コンポーネントの論理的な集団１７０２を含む。たとえば、論理的な集団１７０２は、フェムトノード動作周波数を通じてパイロット信号を送信するための電気的コンポーネント１７０４を含み得る。一例では、フェムトゲートウェイから割り当てられた、またはそうでなければ受信されもしくは決定された第１のＰＳＣは、パイロット信号の送信に利用され得る。
【０１５５】
さらに、論理的な集団１７０２は、１つまたは複数のマクロセル基地局１７０６と通信する１つまたは複数のデバイスのアクティブなハンドインを支援するためのビーコンを生成するための、電気的コンポーネントを備え得る。電気的コンポーネント１７０４は、たとえば、説明されたように、マクロセルの周波数を通じてビーコンを送信することができる。加えて、論理的な集団１７０２は、ビーコン１７０８を送信するための出力を求めるための、電気的コンポーネントを任意選択で含み得る。これは、説明されたように、ＲＳＳＩまたは他の測定に基づき得る。たとえば、電気的コンポーネント１７０４は、上で説明されたように、通信コンポーネント２０６を含み得る。加えて、たとえば、電気的コンポーネント１７０６は、一態様では、上で説明されたように、ビーコン生成コンポーネント２１２を含み得る。さらに、説明されたように、電気的コンポーネント１７０８は、ビーコン出力決定コンポーネント２１６を含み得る。
【０１５６】
加えて、システム１７００は、電気的コンポーネント１７０４、１７０６、および１７０８と関連付けられる機能を実行するための命令を保持する、メモリ１７１０を含み得る。メモリ１７１０の外部にあるものとして示されているが、電気的コンポーネント１７０４、１７０６、および１７０８のうちの１つまたは複数は、メモリ１７１０の内部に存在していてよいことを理解されたい。一例では、電気的コンポーネント１７０４、１７０６、および１７０８は、少なくとも１つのプロセッサを備えてよく、または、各電気的コンポーネント１７０４、１７０６、および１７０８は、少なくとも１つのプロセッサの対応するモジュールであってよい。さらに、追加または代替の例では、電気的コンポーネント１７０４、１７０６、および１７０８は、コンピュータ可読媒体を備えるコンピュータプログラム製品であってよく、各電気的コンポーネント１７０４、１７０６、および１７０８は、対応するコードであってよい。
【０１５７】
図１８を参照すると、フェムトノードのビーコンから、報告された測定結果に関連するフェムトノードを決定するための、システム１８００が示される。たとえば、システム１８００は、少なくとも部分的に、ＲＮＣ、フェムトゲートウェイなどの中に存在し得る。システム１８００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１８００は、連携して動作することができる電気的コンポーネントの論理的な集団１８０２を含む。たとえば、論理的な集団１８０２は、マクロセル動作周波数１８０４でビーコンをブロードキャストするためにフェムトノードによって利用されるＰＳＣを備える、ハンドオーバー要求メッセージを受信するための電気的コンポーネントを含み得る。一例では、システム１８００は、ＰＳＣを割り当てていてよく、かつ／またはそうでなければ、（たとえば、パイロット信号に対するＰＳＣ、位置などのような、１つまたは複数の他のパラメータとともに）フェムトノードに対するＰＳＣの関連付けを有してよい。
【０１５８】
さらに、論理的な集団１８０２は、ＰＳＣ  １８０６に一部基づいてフェムトノードを決定するための、電気的コンポーネントを備え得る。さらに、たとえば、電気的コンポーネント１８０４は、決定されたフェムトノードにハンドオーバー要求メッセージを送信することができる。たとえば、電気的コンポーネント１８０４は、上で説明されたように、通信コンポーネント４０６または５０６を含み得る。さらに、たとえば、電気的コンポーネント１８０６は、一態様では、上で説明されたように、フェムトノード曖昧性解消コンポーネント４１４または５１６を含み得る。
【０１５９】
加えて、システム１８００は、電気的コンポーネント１８０４および１８０６と関連付けられる機能を実行するための命令を保持する、メモリ１８０８を含み得る。メモリ１８０８の外部にあるものとして示されているが、電気的コンポーネント１８０４および１８０６のうちの１つまたは複数は、メモリ１８０８の内部に存在してよいことを理解されたい。一例では、電気的コンポーネント１８０４および１８０６は、少なくとも１つのプロセッサを備えてよく、または、各電気的コンポーネント１８０４および１８０６は、少なくとも１つのプロセッサの対応するモジュールであってよい。さらに、追加または代替の例では、電気的コンポーネント１８０４および１８０６は、コンピュータ可読媒体を備えるコンピュータプログラム製品であってよく、各電気的コンポーネント１８０４および１８０６は、対応するコードであってよい。
【０１６０】
図１９を参照すると、フェムトノードへの近接を示すための、システム１９００が示されている。たとえば、システム１９００は、少なくとも部分的に、デバイス内に存在し得る。システム１９００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム１９００は、連携して動作することができる電気的コンポーネントの論理的な集団１９０２を含む。たとえば、論理的な集団１９０２は、ＣＳＧの識別子１９０４を備えるビーコンをフェムトノードから受信するための、電気的コンポーネントを含み得る。一例では、ビーコンは、マクロセルの周波数を通じて受信され得る。論理的な集団１９０２はさらに、ＣＳＧの識別子１９０６に一部基づいてフェムトノードにおけるメンバーシップを判定するための、電気的コンポーネントを含み得る。たとえば、このことは、システム１９００がフェムトノードのメンバーであるかどうかを判定すること（たとえば、ＣＳＧがシステム１９００のホワイトリストの中にあるかどうか、フェムトノードがハイブリッドアクセスモードで動作しているかどうかなど）を含み得る。
【０１６１】
さらに、論理的な集団１９０２は、上記の判定することと、ビーコン１９０８の測定結果とに少なくとも一部基づいて、フェムトノードの近傍に入ったことをＲＮＣに示すための電気的コンポーネントを備え得る。この点について、マクロセルは、規定された時間間隔の間でのフェムトノードの測定を可能にするように、１つまたは複数の測定設定パラメータ（たとえば圧縮モードのパラメータ）を、デバイスに対してスケジューリングすることができる。加えて、電気的コンポーネント１９０４は、その後の期間にビーコンを測定することができ、電気的コンポーネント１９０６は、システム１９００がフェムトノードの近傍から去っていることを検出することができ（たとえば、ビーコンの信号品質が落ちていることに基づいて）、電気的コンポーネント１９０８は、マクロセル基地局に同様に通知することができる。たとえば、上で説明したように、電気的コンポーネント１９０４は通信コンポーネント３０６を含んでよく、電気的コンポーネント１９０６は近接判定コンポーネント３１８を含んでよい。加えて、たとえば、上で説明したように、電気的コンポーネント１９０８は、一態様では、パラメータ通信コンポーネント３１６を含み得る。
【０１６２】
加えて、システム１９００は、電気的コンポーネント１９０４、１９０６、および１９０８と関連付けられる機能を実行するための命令を保持する、メモリ１９１０を含み得る。メモリ１９１０の外部にあるものとして示されているが、電気的コンポーネント１９０４、１９０６、および１９０８のうちの１つまたは複数は、メモリ１９１０の内部に存在してよいことを理解されたい。一例では、電気的コンポーネント１９０４、１９０６、および１９０８は、少なくとも１つのプロセッサを備えてよく、または、各電気的コンポーネント１９０４、１９０６、および１９０８は、少なくとも１つのプロセッサの対応するモジュールであってよい。さらに、追加または代替の例では、電気的コンポーネント１９０４、１９０６、および１９０８は、コンピュータ可読媒体を備えるコンピュータプログラム製品であってよく、各電気的コンポーネント１９０４、１９０６、および１９０８は、対応するコードであってよい。
【０１６３】
図２０を参照すると、測定設定パラメータによってデバイスを設定するためのシステム２０００が示されている。たとえば、システム２０００は、少なくとも部分的に、ＲＮＣ内に存在し得る。システム２０００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム２０００は、連携して動作することができる電気的コンポーネントの論理的な集団２００２を含む。たとえば、論理的な集団２００２は、ＣＳＧの識別子と、デバイスがＣＳＧのメンバーであることの指示とを備える、測定結果報告をデバイスから受信するための電気的コンポーネント２００４を含み得る。
【０１６４】
さらに、論理的な集団２００２は、上記の指示に少なくとも一部基づいて、デバイスのための１つまたは複数の測定設定パラメータを設定するための、電気的コンポーネント２００６を備え得る。たとえば、測定設定パラメータは、他のアクセスポイントを測定できる１つまたは複数の測定期間のような、圧縮モードのパラメータに対応し得る。加えて、電気的コンポーネント２００４は、デバイスがフェムトノードの近傍から去っていることを示すものを取得することができ、またはそうでなければ、デバイスからのその後の測定結果報告に基づいてそのように判定することができ、電気的コンポーネント２００６はそれに従って、圧縮モードのパラメータの設定を解除して、デバイスにおいてリソースを節減することができる。たとえば、電気的コンポーネント２００４は、上で説明したように、近接受信コンポーネント４２０を含み得る。加えて、たとえば、上で説明したように、電気的コンポーネント２００６は、一態様では、ハンドインコンポーネント４１６を含み得る。
【０１６５】
加えて、システム２０００は、電気的コンポーネント２００４および２００６と関連付けられる機能を実行するための命令を保持する、メモリ２００８を含み得る。メモリ２００８の外部にあるものとして示されているが、電気的コンポーネント２００４および２００６のうちの１つまたは複数は、メモリ２００８の内部に存在してよいことを理解されたい。一例では、電気的コンポーネント２００４および２００６は、少なくとも１つのプロセッサを備えてよく、または、各電気的コンポーネント２００４および２００６は、少なくとも１つのプロセッサの対応するモジュールであってよい。さらに、追加または代替の例では、電気的コンポーネント２００４および２００６は、コンピュータ可読媒体を備えるコンピュータプログラム製品であってよく、各電気的コンポーネント２００４および２００６は、対応するコードであってよい。
【０１６６】
図２１を参照すると、デバイスのハンドインのために１つまたは複数のターゲットフェムトノードを準備するためのシステム２１００が示される。たとえば、システム２１００は、フェムトノードまたはフェムトゲートウェイ内に少なくとも部分的に存在していてよい。システム２１００は機能ブロックを含むものとして表されており、その機能ブロックは、プロセッサ、ソフトウェア、またはそれらの組合せ（たとえば、ファームウェア）によって実装される機能を表す機能ブロックであってよいことを諒解されたい。システム２１００は、連携して動作することができる電気的コンポーネントの論理的な集団２１０２を含む。たとえば、論理的な集団２１０２は、ターゲットフェムトノード２１０４に関連するＰＳＣを含む１つまたは複数のパラメータを備える、デバイスのためのハンドオーバーメッセージを受信するための電気的コンポーネントを含み得る。一例では、説明されるように、１つまたは複数のパラメータは、ハンドオーバーメッセージのセル識別情報フィールドに含まれてよく、デバイスのソース基地局の識別子、フェムトノードとソース基地局との間のタイミングの測定された差などを含み得る。
【０１６７】
さらに、論理的な集団２１０２は、１つまたは複数のパラメータに一部基づいて、ＰＳＣを利用する１つまたは複数のフェムトノードに１つまたは複数のフィルタを適用し、１つまたは複数のフェムトノードの少なくとも１つがターゲットフェムトノード２１０６に相当するかどうかを判定するための、電気的コンポーネントを備え得る。たとえば、説明されたように、このことは、ソースフィルタ、ＯＴＤフィルタ、ＰＳＣフィルタなどを適用することを含み得る。加えて、論理的な集団２１０２は、デバイス２１０８のハンドインを受け入れるために、少なくとも１つのフェムトノードを準備するための電気的コンポーネントを含み得る。このことは、複数のフェムトノードを準備すること、ハンドインのためのリソースを確立することなどを含み得る。たとえば、上で説明されたように、電気的コンポーネント２１０４は、通信コンポーネント２０６、３０６、４０６、５０６など、パラメータ取得コンポーネント６０６などを含んでよい。加えて、たとえば、電気的コンポーネント２１０６は、一態様では、上で説明したように、フェムトノード曖昧性解消コンポーネント２１８、４１４、５１６、６０２などを含み得る。さらに、説明されたように、電気的コンポーネント２１０８は、ハンドオーバー管理コンポーネント２１４、ハンドインコンポーネント４１６または５１４などを含み得る。
【０１６８】
加えて、システム２１００は、電気的コンポーネント２１０４、２１０６、および２１０８と関連付けられる機能を実行するための命令を保持する、メモリ２１１０を含み得る。メモリ２１１０の外部にあるものとして示されているが、電気的コンポーネント２１０４、２１０６、および２１０８のうちの１つまたは複数は、メモリ２１１０の内部に存在してよいことを理解されたい。一例では、電気的コンポーネント２１０４、２１０６、および２１０８は、少なくとも１つのプロセッサを備えてよく、または、各電気的コンポーネント２１０４、２１０６、および２１０８は、少なくとも１つのプロセッサの対応するモジュールであってよい。さらに、追加または代替の例では、電気的コンポーネント２１０４、２１０６、および２１０８は、コンピュータ可読媒体を備えるコンピュータプログラム製品であってよく、各電気的コンポーネント２１０４、２１０６、および２１０８は、対応するコードであってよい。
【０１６９】
次に図２２を参照すると、本明細書で提示される様々な実施形態によるワイヤレス通信システム２２００が示されている。システム２２００は、複数のアンテナグループを含み得る基地局２２０２を備える。たとえば、１つのアンテナグループはアンテナ２２０４と２２０６とを含んでよく、別のグループはアンテナ２２０８と２２１０とを備えてよく、さらなるグループはアンテナ２２１２と２２１４とを含んでよい。アンテナグループごとに２つのアンテナが示されているが、グループごとにより多いまたはより少ないアンテナが利用されてよい。基地局２２０２はさらに、送信機チェーンと受信機チェーンとを含んでよく、そして送信機チェーンおよび受信機チェーンの各々は、諒解されるように、信号の送信および受信に関連する複数のコンポーネント（たとえば、プロセッサ、変調器、マルチプレクサ、復調器、デマルチプレクサ、アンテナなど）を備え得る。
【０１７０】
基地局２２０２は、モバイルデバイス２２１６およびモバイルデバイス２２２２など１つまたは複数のモバイルデバイスと通信することができるが、基地局２２０２は、モバイルデバイス２２１６および２２２２と同様の実質的にいかなる数のモバイルデバイスとも通信できることを諒解されたい。モバイルデバイス２２１６および２２２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム２２００を介して通信するための他の適切なデバイスであってよい。図示のように、モバイルデバイス２２１６は、アンテナ２２１２および２２１４と通信しており、アンテナ２２１２および２２１４は、順方向リンク２２１８を通じて情報をモバイルデバイス２２１６に送信し、逆方向リンク２２２０を通じてモバイルデバイス２２１６から情報を受信する。さらに、モバイルデバイス２２２２は、アンテナ２２０４および２２０６と通信しており、アンテナ２２０４および２２０６は、順方向リンク２２２４を介して情報をモバイルデバイス２２２２に送信し、逆方向リンク２２２６を介してモバイルデバイス２２２２から情報を受信する。周波数分割複信（ＦＤＤ）システムでは、たとえば、順方向リンク２２１８は、逆方向リンク２２２０によって使用される周波数帯とは異なる周波数帯を利用し、順方向リンク２２２４は、逆方向リンク２２２６によって使用される周波数帯とは異なる周波数帯を使用することができる。さらに、時分割複信（ＴＤＤ）システムでは、順方向リンク２２１８および逆方向リンク２２２０は共通の周波数帯を利用し、順方向リンク２２２４および逆方向リンク２２２６は共通の周波数帯を利用することができる。
【０１７１】
アンテナの各グループおよび／またはそれらが通信するように指定されたエリアは、基地局２２０２のセクタと呼ばれ得る。たとえば、アンテナグループは、基地局２２０２によってカバーされるエリアのセクタ中のモバイルデバイスと通信するように設計され得る。順方向リンク２２１８および２２２４を介した通信では、基地局２２０２の送信アンテナは、モバイルデバイス２２１６および２２２２の順方向リンク２２１８および２２２４の信号対雑音比を向上させるために、ビームフォーミングを利用することができる。さらに、基地局２２０２が、関連するカバレージ中に不規則に散在するモバイルデバイス２２１６および２２２２に送信するためにビームフォーミングを利用する間は、基地局が単一のアンテナを介してその基地局のすべてのモバイルデバイスに送信する場合と比較して、隣接セル内のモバイルデバイスは干渉を受けにくい。さらに、モバイルデバイス２２１６および２２２２は、図示のようにピアツーピアまたはアドホック技術を使用して、互いに直接通信することができる。一例によれば、システム２２００は、多入力多出力（ＭＩＭＯ）通信システムであってよい。加えて、たとえば、基地局２２０２は、フェムトノード（図示せず）から受信されたビーコンに関連する測定結果報告を、デバイス２２１６および／または２２２２から受信することができ、フェムトノードへのハンドインを開始するためにフェムトノードの曖昧さを解消することができる。
【０１７２】
図２３は、例示的なワイヤレス通信システム２３００を示す。ワイヤレス通信システム２３００は、簡潔のために、１つの基地局２３１０（たとえば、マクロセル基地局、フェムトノードなどであってよい）と１つのモバイルデバイス２３５０とを示す。ただし、システム２３００は、２つ以上の基地局および／または２つ以上のモバイルデバイスを含んでよく、追加の基地局および／またはモバイルデバイスは、以下で説明する例示的な基地局２３１０およびモバイルデバイス２３５０と実質的に同様であっても異なっていてもよいことを諒解されたい。加えて、基地局２３１０および／またはモバイルデバイス２３５０は、それらの間のワイヤレス通信を容易にするために、本明細書で説明されるシステム（図１〜図７および図１７〜図２２）および／または方法（図８〜図１６）を利用できることを諒解されたい。たとえば、本明細書で説明されるシステムのコンポーネントもしくは機能、および／または方法は、メモリ２３３２および／もしくは２３７２の一部、または以下で説明されるプロセッサ２３３０および／もしくは２３７０であってよく、かつ／または、開示される機能を実行するために、プロセッサ２３３０および／もしくは２３７０によって実行されてよい。
【０１７３】
基地局２３１０において、いくつかのデータストリームのトラフィックデータがデータソース２３１２から送信（ＴＸ）データプロセッサ２３１４に供給される。一例によれば、各データストリームは、それぞれのアンテナを介して送信できる。ＴＸデータプロセッサ２３１４は、トラフィックデータストリーム用に選択された特定の符号化方式に基づいて、そのデータストリームをフォーマット化し、符号化し、インタリーブして、符号化データを与える。
【０１７４】
各データストリームの符号化データは、直交周波数分割多重（ＯＦＤＭ）技法を使用してパイロットデータと多重化され得る。追加で、または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理され知られているデータパターンであり、チャネル応答を推定するためにモバイルデバイス２３５０において使用され得る。各データストリームの多重化されたパイロットデータおよび符号化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）されて、変調シンボルを与えることができる。各データストリームのデータレート、符号化、および変調は、プロセッサ２３３０によって実行または提供される命令によって決定され得る。
【０１７５】
データストリームの変調シンボルはＴＸ  ＭＩＭＯプロセッサ２３２０に与えられてよく、ＴＸ  ＭＩＭＯプロセッサ２３２０は、（たとえば、ＯＦＤＭ用に）変調シンボルをさらに処理することができる。次いで、ＴＸ  ＭＩＭＯプロセッサ２３２０は、ＮT個の変調シンボルストリームをＮT個の送信機（ＴＭＴＲ）２３２２ａ〜２３２２ｔに供給する。様々な実施形態では、ＴＸ  ＭＩＭＯプロセッサ２３２０は、データストリームのシンボルと、シンボルの送信元のアンテナとに、ビームフォーミング重みを適用する。
【０１７６】
各送信機２３２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを通じて送信するのに適した変調信号を供給する。さらに、送信機２３２２ａ〜２３２２ｔからのＮT個の被変調信号は、ＮT個のアンテナ２３２４ａ〜２３２４ｔからそれぞれ送信される。
【０１７７】
モバイルデバイス２３５０において、送信された被変調信号はＮR個のアンテナ２３５２ａ〜２３５２ｒによって受信され、各アンテナ２３５２からの受信信号は、それぞれの受信機（ＲＣＶＲ）２３５４ａ〜２３５４ｒに供給される。各受信機２３５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１７８】
ＲＸデータプロセッサ２３６０は、特定の受信機処理技法に基づいてＮR個の受信機２３５４からＮR個の受信シンボルストリームを受信し、処理して、ＮT個の「検出」シンボルストリームを与えることができる。ＲＸデータプロセッサ２３６０は、各検出シンボルストリームを復調し、デインタリーブし、復号して、データストリームのトラフィックデータを復元することができる。ＲＸデータプロセッサ２３６０による処理は、基地局２３１０においてＴＸ  ＭＩＭＯプロセッサ２３２０およびＴＸデータプロセッサ２３１４によって実行される処理を補足するものである。
【０１７９】
逆方向リンクメッセージは、通信リンクおよび／または受信データストリームに関する様々なタイプの情報を備え得る。逆方向リンクメッセージは、データソース２３３６からいくつかのデータストリームのトラフィックデータをも受信するＴＸデータプロセッサ２３３８によって処理され、変調器２３８０によって変調され、送信機２３５４ａ〜２３５４ｒによって調整され、基地局２３１０に戻され得る。
【０１８０】
基地局２３１０において、モバイルデバイス２３５０からの変調信号は、アンテナ２３２４によって受信され、受信機２３２２によって調整され、復調器２３４０によって復調され、ＲＸデータプロセッサ２３４２によって処理されて、モバイルデバイス２３５０によって送信された逆方向リンクメッセージが抽出される。さらに、プロセッサ２３３０は、抽出されたメッセージを処理して、ビームフォーミング重みを判断するためにどのプリコーディング行列を使用すべきかを判断することができる。
【０１８１】
プロセッサ２３３０および２３７０は、それぞれ基地局２３１０およびモバイルデバイス２３５０における動作を指示（たとえば、制御、調整、管理など）することができる。それぞれのプロセッサ２３３０および２３７０は、プログラムコードとデータとを記憶するメモリ２３３２および２３７２に関連付けられ得る。プロセッサ２３３０および２３７０は、受信されたビーコンに関連するパラメータを報告し、ビーコンに関連するフェムトノードを決定し、フェムトノードへのハンドインを開始し、ターゲットフェムトノードとしてフェムトノードの曖昧さを解消し、または他のことなどを行うことができる。
【０１８２】
図２４は、本明細書の教示が実装され得る、何人かのユーザをサポートするように構成されたワイヤレス通信システム２４００を示す。システム２４００は、たとえば、マクロセル２４０２Ａ〜２４０２Ｇのような、複数のセル２４０２のための通信を実現し、各セルは、対応するアクセスノード２４０４（たとえば、アクセスノード２４０４Ａ〜２４０４Ｇ）によってサービスされる。図２４に示されるように、アクセス端末２４０６（たとえば、アクセス端末２４０６Ａ〜２４０６Ｌ）は、時間とともにシステム全体にわたって様々な場所に分散し得る。各アクセス端末２４０６は、たとえば、アクセス端末２４０６がアクティブかどうか、およびアクセス端末２４０６がソフトハンドオフ中かどうかに応じて、所与の瞬間に順方向リンク（ＦＬ）および／または逆方向リンク（ＲＬ）上で１つまたは複数のアクセスノード２４０４と通信することができる。ワイヤレス通信システム２４００は、広い地理的領域にわたってサービスを提供することができる。
【０１８３】
図２５は、１つまたは複数のフェムトノードがネットワーク環境内に展開された、例示的な通信システム２５００を示す。具体的には、システム２５００は、比較的小規模のネットワーク環境中に（たとえば、１つまたは複数のユーザの住居２５３０中に）設置された複数のフェムトノード２５１０Ａと２５１０Ｂと（たとえば、フェムトセルノードまたはＨ（ｅ）ＮＢ）を含む。各フェムトノード２５１０は、デジタル加入者回線（ＤＳＬ）ルータ、ケーブルモデム、ワイヤレスリンク、または他の接続手段（図示せず）を介して、ワイドエリアネットワーク２５４０（たとえば、インターネット）とモバイル事業者コアネットワーク２５５０とに結合され得る。以下で説明されるように、各フェムトノード２５１０は、関連するアクセス端末２５２０（たとえば、アクセス端末２５２０Ａ）と、任意選択で、外来アクセス端末２５２０（たとえば、アクセス端末２５２０Ｂ）とをサービスするように構成され得る。言い換えれば、フェムトノード２５１０へのアクセスは、所与のアクセス端末２５２０が、指定された（１つまたは複数の）（たとえば、ホーム）フェムトノード２５１０のセットによってサービスされ得るが、いかなる指定されていないフェムトノード２５１０（たとえば、近隣のフェムトノード）によってもサービスされ得ないように制限され得る。
【０１８４】
図２６は、いくつかのトラッキングエリア２６０２（またはルーティングエリアまたはロケーションエリア）が定義されたカバレッジマップ２６００の例を示し、そのエリアの各々はいくつかのマクロカバレッジエリア２６０４を含む。ここで、トラッキングエリア２６０２Ａ、２６０２Ｂ、および２６０２Ｃに関連するカバレッジのエリアは太線によって示され、マクロカバレッジエリア２６０４は六角形によって表される。トラッキングエリア２６０２は、フェムトカバレッジエリア２６０６も含む。この例では、フェムトカバレッジエリア２６０６（たとえば、フェムトカバレッジエリア２６０６Ｃ）の各々は、マクロカバレッジエリア２６０４（たとえば、マクロカバレッジエリア２６０４Ｂ）内に示される。ただし、フェムトカバレッジエリア２６０６は、完全にマクロカバレッジエリア２６０４内にあるとは限らないことを諒解されたい。実際には、多数のフェムトカバレッジエリア２６０６が、所与のトラッキングエリア２６０２またはマクロカバレッジエリア２６０４とともに定義され得る。また、１つまたは複数のピコカバレッジエリア（図示せず）が、所与のトラッキングエリア２６０２またはマクロカバレッジエリア２６０４内で定義され得る。
【０１８５】
再び図２５を参照すると、フェムトノード２５１０の所有者は、たとえば、３Ｇモバイルサービスのような、モバイル事業者コアネットワーク２５５０を介して提供されるモバイルサービスに加入することができる。加えて、アクセス端末２５２０は、マクロ環境と、より小規模の（たとえば、宅内）ネットワーク環境の両方で動作することが可能であり得る。したがって、たとえば、アクセス端末２５２０の現在の場所に応じて、アクセス端末２５２０は、アクセスノード２５６０によって、または、フェムトノード２５１０のセットのうちのいずれか１つ（たとえば、対応するユーザ住居２５３０内に存在するフェムトノード２５１０Ａおよび２５１０Ｂ）によってサービスされ得る。たとえば、加入者は、自宅の外にいるときは標準のマクロセルアクセスノード（たとえば、ノード２５６０）によってサービスされ、自宅にいるときはフェムトノード（たとえば、ノード２５１０Ａ）によってサービスされる。ここで、フェムトノード２５１０は既存のアクセス端末２５２０と後方互換性があり得ることを諒解されたい。
【０１８６】
フェムトノード２５１０は、単一の周波数で展開され、または代替として、複数の周波数で展開され得る。具体的な構成に応じて、単一の周波数、または、複数の周波数のうちの１つまたは複数は、マクロセルアクセスノード（たとえば、ノード２５６０）によって使用される１つまたは複数の周波数と重複することがある。いくつかの態様では、アクセス端末２５２０は、そのような接続が可能であるときはいつでも、好ましいフェムトノード（たとえば、アクセス端末２５２０のホームフェムトノード）に接続するように構成され得る。たとえば、アクセス端末２５２０は、ユーザの住居２５３０内にあるときはいつでも、ホームフェムトノード２５１０と通信することができる。
【０１８７】
いくつかの態様では、アクセス端末２５２０がモバイル事業者コアネットワーク２５５０内で動作しているが、（たとえば、好適なローミングリスト中で定義された）その最も好適なネットワーク上には存在していない場合、アクセス端末２５２０は、ベターシステムリセレクション（ＢＳＲ：Better System Reselection）を使用して、最も好適なネットワーク（たとえば、フェムトノード２５１０）を探索し続けることができ、ベターシステムリセレクションでは、利用可能なシステムの定期的なスキャンを行って、より良好なシステムが現在利用可能であるかどうかを判定し、その後、そのような好適なシステムと接続しようとすることができる。一例では、アクセス端末２５２０は、（たとえば、好適なローミングリスト中の）収集テーブルエントリを使用して、特定の帯域およびチャネルについて探索を制限することができる。たとえば、最も好適なシステムの探索は、定期的に繰り返され得る。フェムトノード２５１０のような好適なフェムトノードが発見されると、アクセス端末２５２０は、そのカバレッジエリア内に留まるためのフェムトノード２５１０を選択する。
【０１８８】
いくつかの態様では、フェムトノードは制限され得る。たとえば、所与のフェムトノードが、いくつかのサービスをいくつかのアクセス端末のみに提供し得る。いわゆる制限（または限定）された接続を用いた展開では、所与のアクセス端末が、マクロセルモバイルネットワークと、フェムトノードの定義されたセット（たとえば、対応するユーザ住居２５３０内に存在するフェムトノード２５１０）とによってのみ、サービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１８９】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１９０】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、接続および／または登録について制限された）フェムトノードを指すことがある。ホームフェムトノードは、アクセス端末がアクセスしその上で動作することを許可される、フェムトノードを指し得る。ゲストフェムトノードは、アクセス端末がアクセスするかまたはその上で動作することを一時的に許可される、フェムトノードを指し得る。外来フェムトノードは、おそらく非常事態（たとえば、９１１番）を除いて、アクセス端末がアクセスまたはその上で動作することを許可されない、フェムトノードを指し得る。
【０１９１】
制限フェムトノードの観点から、ホームアクセス端末は、制限されたフェムトノードへのアクセスを許可されるアクセス端末を指し得る。ゲストアクセス端末は、制限されたフェムトノードへの一時的なアクセス権をもつアクセス端末を指し得る。外来アクセス端末は、おそらく非常事態、たとえば、９１１番を除いて、制限されたフェムトノードにアクセスする許可を有さないアクセス端末（たとえば、制限されたフェムトノードに登録するための証明書または許可を有さないアクセス端末）を指し得る。
【０１９２】
便宜上、本明細書の開示では、フェムトノードの文脈で様々な機能を説明する。ただし、ピコノードは、フェムトノードと同じまたは同様の機能をより大きいカバレッジエリアに提供できることを諒解されたい。たとえば、所与のアクセス端末に対して、ピコノードを制限すること、ホームピコノードを定義することなどが行われ得る。
【０１９３】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１９４】
本明細書で開示された実施形態に関して説明された様々な例示的な論理、論理ブロック、モジュール、コンポーネント、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェアコンポーネント、または、本明細書で説明した機能を実行するように設計されたそれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。加えて、少なくとも１つのプロセッサは、上述のステップおよび／または動作の１つまたは複数を実行するように動作可能な、１つまたは複数のモジュールを備え得る。例示的な記憶媒体は、プロセッサが記憶媒体から情報を読み取り、記憶媒体に情報を書き込むことができるように、プロセッサに結合され得る。代替として、記憶媒体はプロセッサと一体であってよい。さらに、いくつかの態様では、プロセッサおよび記憶媒体はＡＳＩＣ中に存在してよい。加えて、ＡＳＩＣはユーザ端末中に存在してよい。代替として、プロセッサおよび記憶媒体は、ユーザ端末内に個別のコンポーネントとして存在してよい。
【０１９５】
１つまたは複数の態様では、説明された機能、方法またはアルゴリズムは、ハードウェア、ソフトウェア、ファームウェア、またはそれらの任意の組合せで実装され得る。ソフトウェアで実装される場合、機能は、コンピュータプログラム製品に組み込まれ得るコンピュータ可読媒体上の１つまたは複数の命令またはコードとして、記憶または送信され得る。コンピュータ可読媒体は、ある場所から別の場所へのコンピュータプログラムの転送を支援する任意の媒体を含む、コンピュータ記憶媒体とコンピュータ通信媒体の両方を含む。記憶媒体は、コンピュータによってアクセスできる任意の利用可能な媒体であってよい。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶装置、または、命令もしくはデータ構造の形態の所望のプログラムコードを運搬または記憶するために使用でき、コンピュータによってアクセスできる他の任意の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せも、コンピュータ可読媒体の範囲内に含めるべきである。
【０１９６】
上記の開示は、例示的な態様および／または実施形態について論じたが、添付の特許請求の範囲によって定義されるような、記述される態様および／または実施形態の範囲から逸脱することなく、様々な変更および改変を本明細書で行えることに留意されたい。さらに、記述される態様および／または実施形態の要素は、単数形で説明または請求されていることがあるが、単数形に限定することが明示的に述べられていない限り、複数形が企図される。加えて、任意の態様および／または実施形態の全部または一部は、別段の規定がない限り、任意の他の態様および／または実施形態の全部または一部とともに利用され得る。
【図１】
2015208034.tif 000004
【図２】
2015208034.tif 000005
【図３】
2015208034.tif 000006
【図４】
2015208034.tif 000007
【図５】
2015208034.tif 000008
【図６】
2015208034.tif 000009
【図７】
2015208034.tif 000010
【図８】
2015208034.tif 000011
【図９】
2015208034.tif 000012
【図１０】
2015208034.tif 000013
【図１１】
2015208034.tif 000014
【図１２】
2015208034.tif 000015
【図１３】
2015208034.tif 000016
【図１４】
2015208034.tif 000017
【図１５】
2015208034.tif 000018
【図１６】
2015208034.tif 000019
【図１７】
2015208034.tif 000020
【図１８】
2015208034.tif 000021
【図１９】
2015208034.tif 000022
【図２０】
2015208034.tif 000023
【図２１】
2015208034.tif 000024
【図２２】
2015208034.tif 000025
【図２３】
2015208034.tif 000026
【図２４】
2015208034.tif 000027
【図２５】
2015208034.tif 000028
【図２６】
2015208034.tif 000029
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ターゲットフェムトノードに関連するプライマリスクランブリングコード（ＰＳＣ）を含む１つまたは複数のパラメータを備える、デバイスのためのハンドオーバーメッセージを受信することと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定することと、
前記デバイスのハンドインを受け入れるために、前記少なくとも１つのフェムトノードを準備することと、
を備え、
前記１つまたは複数のフィルタを前記適用することは、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ
ＲＳＳＩの上昇を引き起こすかどうかを判定することを備える、
方法。
【請求項２】
前記１つまたは複数のフィルタを前記適用することは、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定することを備える、請求項１に記載の方法。
【請求項３】
前記１つまたは複数のフィルタを前記適用することは、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定することを備える、請求項１に記載の方法。
【請求項４】
前記１つまたは複数のフィルタを前記適用することは、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定することを備える、請求項１に記載の方法。
【請求項５】
様々なＰＳＣを用いて複数のビーコンを送信することをさらに備え、前記ＰＳＣフィルタを前記適用することは、複数の報告されたＰＳＣが前記複数のビーコンを送信するのに使われる前記様々なＰＳＣの少なくとも一部と同一かどうかを判定することを備える、請求項４に記載の方法。
【請求項６】
ビーコンを送信するために前記１つまたは複数のフェムトノードの少なくとも１つにより使われる複数のＰＳＣを判定することをさらに備え、前記ＰＳＣフィルタを前記適用することは、複数の報告されたＰＳＣが前記複数のＰＳＣの少なくとも一部と同一かどうかを判定することを備える、請求項４に記載の方法。
【請求項７】
前記１つまたは複数のパラメータにおいて示される前記デバイスのソース基地局を決定することに一部基づいて、前記報告された周波数を決定することをさらに備える、請求項４に記載の方法。
【請求項８】
前記１つまたは複数のフィルタを前記適用することは、アクセス制御フィルタを前記１つまたは複数のフェムトノードに適用して、前記デバイスが前記１つまたは複数のフェムトノードにアクセスできるかどうかを判定することを備える、請求項１に記載の方法。
【請求項９】
前記１つまたは複数のフィルタを前記適用することは、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定することを備える、請求項１に記載の方法。
【請求項１０】
前記１つまたは複数のフィルタを前記適用することは、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを判定することを備える、請求項１に記載の方法。
【請求項１１】
前記１つまたは複数のフィルタを前記適用することは、前記１つまたは複数のフェムトノードの少なくとも２つのフェムトノードが前記ターゲットフェムトノードに相当すると判定する結果をもたらし、前記準備することは、前記デバイスのハンドインのために前記少なくとも２つのフェムトノードを準備することを備える、請求項１に記載の方法。
【請求項１２】
前記準備することは、前記少なくとも２つのフェムトノードの一方への前記デバイスのハンドインが失敗した後に、前記デバイスのハンドインのために、前記少なくとも２つのフェムトノードのもう一方を準備することを備える、請求項１１に記載の方法。
【請求項１３】
ハンドインのために前記デバイスを割り当てるための共通のリソースのセットからの選択についての指示を、前記少なくとも２つのフェムトノードの少なくとも１つから受信することと、
共通のリソースの前記セットからの前記選択を前記デバイスに示すことと、
をさらに備える、請求項１１に記載の方法。
【請求項１４】
前記少なくとも２つのフェムトノードが前記ターゲットフェムトノードに相当すると判定されたことに基づいて、前記少なくとも２つのフェムトノードの１つに、ビーコンの送信に関する１つまたは複数の特性を再構成させることをさらに備える、請求項１１に記載の方法。
【請求項１５】
フェムトゲートウェイから複数のフェムトノードの準備の指示を受信することと、
前記デバイスのハンドインのために、共通のリソースのセットの選択を確立することと、をさらに備える、請求項１に記載の方法。
【請求項１６】
共通のリソースの前記セットの前記選択を前記フェムトゲートウェイに示すことをさらに備える、請求項１５に記載の方法。
【請求項１７】
前記少なくとも１つのフェムトノードを前記準備することが、前記１つまたは複数のパラメータを備える再配置要求メッセージを、前記少なくとも１つのフェムトノードに送信することを備える、請求項１に記載の方法。
【請求項１８】
前記デバイスのハンドインのためのリソースの指示を備える再配置応答メッセージをコアネットワークの１つまたは複数のコンポーネントに送信することをさらに備え、前記少なくとも１つのフェムトノードを前記準備することは、前記デバイスのハンドインのために前記リソースを確立することを備える、請求項１に記載の方法。
【請求項１９】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信し、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定し、
前記デバイスのハンドインを受け入れるために、前記少なくとも１つのフェムトノードを準備するように構成される、少なくとも１つのプロセッサと、
前記少なくとも１つのプロセッサに結合されたメモリと、
を備え、
前記少なくとも１つのプロセッサは、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、
装置。
【請求項２０】
前記少なくとも１つのプロセッサは、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項１９に記載の装置。
【請求項２１】
前記少なくとも１つのプロセッサは、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項１９に記載の装置。
【請求項２２】
前記少なくとも１つのプロセッサは、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項１９に記載の装置。
【請求項２３】
前記少なくとも１つのプロセッサはさらに、前記１つまたは複数のフィルタを適用する時に、前記１つまたは複数のフェムトノードの少なくとも２つのフェムトノードが前記ターゲットフェムトノードに相当すると判定するように構成され、前記少なくとも１つのプロセッサは、前記デバイスのハンドインのために前記少なくとも２つのフェムトノードを準備する、請求項１９に記載の装置。
【請求項２４】
前記少なくとも１つのプロセッサはさらに、前記少なくとも２つのフェムトノードが前記ターゲットフェムトノードに相当すると前記少なくとも１つのプロセッサが判定したことに基づいて、前記少なくとも２つのフェムトノードの１つに、ビーコンの送信に関する１つまたは複数の特性を再構成させるように構成される、請求項２３に記載の装置。
【請求項２５】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための手段と、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための手段と、
前記デバイスのハンドインを受け入れるために、前記少なくとも１つのフェムトノードを準備するための手段と、
を備え、
前記適用するための手段は、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、
装置。
【請求項２６】
前記適用するための手段は、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項２５に記載の装置。
【請求項２７】
前記適用するための手段は、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項２５に記載の装置。
【請求項２８】
前記適用するための手段は、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項２５に記載の装置。
【請求項２９】
前記適用するための手段は、前記１つまたは複数のフィルタを適用したことに一部基づいて、前記１つまたは複数のフェムトノードの少なくとも２つのフェムトノードが前記ターゲットフェムトノードに相当すると判定し、前記準備するための手段は、前記デバイスのハンドインのために前記少なくとも２つのフェムトノードを準備する、請求項２５に記載の装置。
【請求項３０】
前記適用するための手段は、前記少なくとも２つのフェムトノードが前記ターゲットフェムトノードに相当すると判定したことに基づいて、前記少なくとも２つのフェムトノードの１つに、ビーコンの送信に関する１つまたは複数の特性を再構成させる、請求項２９に記載の装置。
【請求項３１】
ターゲットフェムトノードの曖昧さを解消するためのコンピュータプログラムであって、
少なくとも１つのコンピュータに、ターゲットフェムトノードに関連するプライマリスクランブリングコード（ＰＳＣ）を含む１つまたは複数のパラメータを備える、デバイスのためのハンドオーバーメッセージを受信させるためのコードと、
前記少なくとも１つのコンピュータに、前記１つまたは複数のパラメータに一部基づいて、前記ＰＳＣを利用する１つまたは複数のフェムトノードへ１つまたは複数のフィルタを適用させ、前記１つまたは複数のフェムトノードの少なくとも１つのフェムトノードが前記ターゲットフェムトノードに相当するかどうかを判定させるためのコードと、
前記少なくとも１つのコンピュータに、前記デバイスのハンドインを受け入れるために前記少なくとも１つのフェムトノードを準備させるためのコードと、
を備え、
前記少なくとも１つのコンピュータに適用させるための前記コードは、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、
コンピュータプログラム。
【請求項３２】
前記少なくとも１つのコンピュータに適用させるための前記コードは、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項３１に記載のコンピュータプログラム。
【請求項３３】
前記少なくとも１つのコンピュータに適用させるための前記コードは、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項３１に記載のコンピュータプログラム。
【請求項３４】
前記少なくとも１つのコンピュータに適用させるための前記コードは、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項３１に記載のコンピュータプログラム。
【請求項３５】
前記少なくとも１つのコンピュータに、前記１つまたは複数のフィルタを適用する時に、前記１つまたは複数のフェムトノードの少なくとも２つのフェムトノードが前記ターゲットフェムトノードに相当すると判定させるためのコードをさらに備え、前記少なくとも１つのコンピュータに準備させるための前記コードは、前記デバイスのハンドインのために前記少なくとも２つのフェムトノードを準備する、請求項３１に記載のコンピュータプログラム。
【請求項３６】
前記少なくとも２つのフェムトノードが前記ターゲットフェムトノードに相当すると前記少なくとも１つのコンピュータに判定させるためのコードに基づいて、前記少なくとも１つのコンピュータに、前記少なくとも２つのフェムトノードの１つにビーコンの送信に関する１つまたは複数の特性を再構成させるように、前記少なくとも１つのコンピュータを動作させるためのコードをさらに備える、請求項３５記載のコンピュータプログラム。
【請求項３７】
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための、通信コンポーネントと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための、フェムトノード曖昧性解消コンポーネントと、
前記デバイスのハンドインを受け入れるために、前記少なくとも１つのフェムトノードを準備するためのコンポーネントと、
を備え、
前記フェムトノード曖昧性解消コンポーネントは、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、
装置。
【請求項３８】
前記フェムトノード曖昧性解消コンポーネントは、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、請求項３７に記載の装置。
【請求項３９】
前記フェムトノード曖昧性解消コンポーネントは、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、請求項３７に記載の装置。
【請求項４０】
前記フェムトノード曖昧性解消コンポーネントは、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、請求項３７に記載の装置。
【請求項４１】
前記通信コンポーネントは、様々なＰＳＣを用いて複数のビーコンを送信し、前記フェムトノード曖昧性解消コンポーネントが、複数の報告されたＰＳＣが前記複数のビーコンを送信するのに使われる前記様々なＰＳＣの少なくとも一部と同一かどうかを判定する、請求項４０に記載の装置。
【請求項４２】
ビーコンを送信するために前記１つまたは複数のフェムトノードの少なくとも１つにより使われる複数のＰＳＣを判定するためのＰＳＣコンポーネントをさらに備え、前記フェムトノード曖昧性解消コンポーネントは、複数の報告されたＰＳＣが前記複数のＰＳＣと同一かどうかを判定する、請求項４０に記載の装置。
【請求項４３】
前記フェムトノード曖昧性解消コンポーネントは、前記１つまたは複数のパラメータにおいて示される前記デバイスのソース基地局を決定することに一部基づいて、前記報告された周波数を決定する、請求項４０に記載の装置。
【請求項４４】
前記フェムトノード曖昧性解消コンポーネントは、アクセス制御フィルタを前記１つまたは複数のフェムトノードに適用して、前記デバイスが前記１つまたは複数のフェムトノードにアクセスできるかどうかを判定する、請求項３７に記載の装置。
【請求項４５】
前記フェムトノード曖昧性解消コンポーネントは、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定する、請求項３７に記載の装置。
【請求項４６】
前記フェムトノード曖昧性解消コンポーネントは、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを判定する、請求項３７に記載の装置。
【請求項４７】
前記フェムトノード曖昧性解消コンポーネントは、前記１つまたは複数のフィルタを適用したことに一部基づいて、前記１つまたは複数のフェムトノードの少なくとも２つのフェムトノードが前記ターゲットフェムトノードに相当すると判定し、前記準備するためのコンポーネントが、前記デバイスのハンドインのために前記少なくとも２つのフェムトノードを準備する、請求項３７に記載の装置。
【請求項４８】
前記準備するためのコンポーネントは、前記少なくとも２つのフェムトノードの一方への前記デバイスのハンドインが失敗した後に前記デバイスのハンドインのために前記少なくとも２つのフェムトノードのもう一方を準備するハンドインコンポーネントを備える、請求項４７に記載の装置。
【請求項４９】
前記準備するためのコンポーネントは、ハンドインのために前記デバイスを割り当てるための共通のリソースのセットからの選択についての指示を、前記少なくとも２つのフェムトノードの少なくとも１つから受信し、共通のリソースの前記セットからの前記選択を前記デバイスに示す、ハンドインコンポーネントである、請求項４７に記載の装置。
【請求項５０】
前記フェムトノード曖昧性解消コンポーネントは、前記少なくとも２つのフェムトノードが前記ターゲットフェムトノードに相当すると前記準備するためのコンポーネントが判定したことに基づいて、前記少なくとも２つのフェムトノードの１つに、ビーコンの送信に関する１つまたは複数の特性を再構成させる、請求項４７に記載の装置。
【請求項５１】
前記準備するためのコンポーネントは、フェムトゲートウェイから複数のフェムトノードの準備の指示を受信し前記デバイスのハンドインのために共通のリソースのセットの選択を確立するハンドオーバー管理コンポーネントを備える、請求項３７に記載の装置。
【請求項５２】
前記ハンドオーバー管理コンポーネントはさらに、共通のリソースの前記セットの前記選択を前記フェムトゲートウェイに示す、請求項５１に記載の装置。
【請求項５３】
前記準備するためのコンポーネントは、前記１つまたは複数のパラメータを備える再配置要求メッセージを前記少なくとも１つのフェムトノードに送信するハンドインコンポーネントを備える、請求項３７に記載の装置。
【請求項５４】
前記準備するためのコンポーネントは、前記デバイスのハンドインのためのリソースの指示を備える再配置応答メッセージをコアネットワークの１つまたは複数のコンポーネントに送信するハンドオーバー管理コンポーネントを備え、前記ハンドオーバー管理コンポーネントは、前記デバイスのハンドインのために前記リソースをさらに確立する、請求項３７に記載の装置。
【手続補正２】
【補正対象書類名】明細書
【補正対象項目名】０１９６
【補正方法】変更
【補正の内容】
【０１９６】
上記の開示は、例示的な態様および／または実施形態について論じたが、添付の特許請求の範囲によって定義されるような、記述される態様および／または実施形態の範囲から逸脱することなく、様々な変更および改変を本明細書で行えることに留意されたい。さらに、記述される態様および／または実施形態の要素は、単数形で説明または請求されていることがあるが、単数形に限定することが明示的に述べられていない限り、複数形が企図される。加えて、任意の態様および／または実施形態の全部または一部は、別段の規定がない限り、任意の他の態様および／または実施形態の全部または一部とともに利用され得る。
以下に、本願の当初の特許請求の範囲に記載された発明を付記する。
［１］
ワイヤレス通信のための方法であって、
ターゲットフェムトノードに関連するプライマリスクランブリングコード（ＰＳＣ）を含む１つまたは複数のパラメータを備える、デバイスのためのハンドオーバーメッセージを受信することと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定することと、
前記デバイスのハンドインを受け入れるために、前記少なくとも１つのフェムトノードを準備することとを備える、方法。
［２］
前記１つまたは複数のフィルタを前記適用することが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定することを備える、［１］に記載の方法。
［３］
前記１つまたは複数のフィルタを前記適用することが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定することを備える、［１］に記載の方法。
［４］
前記１つまたは複数のフィルタを前記適用することが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定することを備える、［１］に記載の方法。
［５］
様々なＰＳＣを用いて複数のビーコンを送信することをさらに備え、前記ＰＳＣフィルタを前記適用することが、複数の報告されたＰＳＣが前記複数のビーコンを送信するのに使われる前記様々なＰＳＣの少なくとも一部と同一かどうかを判定することを備える、［４］に記載の方法。
［６］
ビーコンを送信するために前記１つまたは複数のフェムトノードの少なくとも１つにより使われる複数のＰＳＣを判定することをさらに備え、前記ＰＳＣフィルタを前記適用することが、複数の報告されたＰＳＣが前記複数のＰＳＣの少なくとも一部と同一かどうかを判定することを備える、［４］に記載の方法。
［７］
前記１つまたは複数のパラメータにおいて示される前記デバイスのソース基地局を決定することに一部基づいて、前記報告された周波数を決定することをさらに備える、［４］に記載の方法。
［８］
前記１つまたは複数のフィルタを前記適用することが、アクセス制御フィルタを前記１つまたは複数のフェムトノードに適用して、前記デバイスが前記１つまたは複数のフェムトノードにアクセスできるかどうかを判定することを備える、［１］に記載の方法。
［９］
前記１つまたは複数のフィルタを前記適用することが、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ
ＲＳＳＩの上昇を引き起こすかどうかを判定することを備える、［１］に記載の方法。
［１０］
前記１つまたは複数のフィルタを前記適用することが、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定することを備える、［１］に記載の方法。
［１１］
前記１つまたは複数のフィルタを前記適用することが、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを、判定することを備える、［１］に記載の方法。
［１２］
前記１つまたは複数のフィルタを前記適用した結果、前記１つまたは複数のフェムトノードの少なくとも２つのフェムトノードが前記ターゲットフェムトノードに相当すると判定され、前記準備することが、前記デバイスのハンドインのために前記少なくとも２つのフェムトノードを準備することを備える、［１］に記載の方法。
［１３］
前記準備することが、前記少なくとも２つのフェムトノードの一方への前記デバイスのハンドインが失敗した後に、前記デバイスのハンドインのために、前記少なくとも２つのフェムトノードのもう一方を準備することを備える、［１２］に記載の方法。
［１４］
ハンドインのために前記デバイスを割り当てるための、共通のリソースのセットからの選択についての指示を、前記少なくとも２つのフェムトノードの少なくとも１つから受信することと、
共通のリソースの前記セットからの前記選択を前記デバイスに示すこととをさらに備える、［１２］に記載の方法。
［１５］
前記少なくとも２つのフェムトノードが前記ターゲットフェムトノードに相当すると判定されたことに基づいて、前記少なくとも２つのフェムトノードの１つに、ビーコンの送信に関する１つまたは複数の特性を再構成させることをさらに備える、［１２］に記載の方法。
［１６］
フェムトゲートウェイから複数のフェムトノードの準備の指示を受信することと、
前記デバイスのハンドインのために、共通のリソースのセットの選択を確立することとをさらに備える、［１］に記載の方法。
［１７］
共通のリソースの前記セットの前記選択を前記フェムトゲートウェイに示すことをさらに備える、［１６］に記載の方法。
［１８］
前記少なくとも１つのフェムトノードを前記準備することが、前記１つまたは複数のパラメータを備える再配置要求メッセージを、前記少なくとも１つのフェムトノードに送信することを備える、［１］に記載の方法。
［１９］
前記デバイスのハンドインのためのリソースの指示を備える再配置応答メッセージを、コアネットワークの１つまたは複数のコンポーネントに送信することをさらに備え、前記少なくとも１つのフェムトノードを前記準備することが、前記デバイスのハンドインのために前記リソースを確立することを備える、［１］に記載の方法。
［２０］
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信し、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定し、
前記デバイスのハンドインを受け入れるために、前記少なくとも１つのフェムトノードを準備するように構成される、少なくとも１つのプロセッサと、
前記少なくとも１つのプロセッサに結合されたメモリとを備える、装置。
［２１］
前記少なくとも１つのプロセッサが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、［２０］に記載の装置。
［２２］
前記少なくとも１つのプロセッサが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、［２０］に記載の装置。
［２３］
前記少なくとも１つのプロセッサが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、［２０］に記載の装置。
［２４］
前記少なくとも１つのプロセッサがさらに、前記１つまたは複数のフィルタを適用する時に、前記１つまたは複数のフェムトノードの少なくとも２つのフェムトノードが前記ターゲットフェムトノードに相当すると判定するように構成され、前記少なくとも１つのプロセッサが、前記デバイスのハンドインのために前記少なくとも２つのフェムトノードを準備する、［２０］に記載の装置。
［２５］
前記少なくとも１つのプロセッサがさらに、前記少なくとも２つのフェムトノードが前記ターゲットフェムトノードに相当すると前記少なくとも１つのプロセッサが判定したことに基づいて、前記少なくとも２つのフェムトノードの１つに、ビーコンの送信に関する１つまたは複数の特性を再構成させるように構成される、［２４］に記載の装置。
［２６］
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための手段と、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための手段と、
前記デバイスのハンドインを受け入れるために、前記少なくとも１つのフェムトノードを準備するための手段とを備える、装置。
［２７］
前記適用するための手段が、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、［２６］に記載の装置。
［２８］
前記適用するための手段が、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、［２６］に記載の装置。
［２９］
前記適用するための手段が、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、［２６］に記載の装置。
［３０］
前記適用するための手段が、前記１つまたは複数のフィルタを適用したことに一部基づいて、前記１つまたは複数のフェムトノードの少なくとも２つのフェムトノードが前記ターゲットフェムトノードに相当すると判定し、前記準備するための手段が、前記デバイスのハンドインのために前記少なくとも２つのフェムトノードを準備する、［２６］に記載の装置。
［３１］
前記適用するための手段が、前記少なくとも２つのフェムトノードが前記ターゲットフェムトノードに相当すると判定したことに基づいて、前記少なくとも２つのフェムトノードの１つに、ビーコンの送信に関する１つまたは複数の特性を再構成させる、［３０］に記載の装置。
［３２］
ターゲットフェムトノードの曖昧さを解消するためのコンピュータプログラム製品であって、
ターゲットフェムトノードに関連するプライマリスクランブリングコード（ＰＳＣ）を含む１つまたは複数のパラメータを備える、デバイスのためのハンドオーバーメッセージを、少なくとも１つのコンピュータに受信させるためのコードと、
前記少なくとも１つのコンピュータに、前記１つまたは複数のパラメータに一部基づいて、前記ＰＳＣを利用する１つまたは複数のフェムトノードへ１つまたは複数のフィルタを適用させ、前記１つまたは複数のフェムトノードの少なくとも１つのフェムトノードが前記ターゲットフェムトノードに相当するかどうかを判定させるためのコードと、
前記少なくとも１つのコンピュータに、前記デバイスのハンドインを受け入れるために前記少なくとも１つのフェムトノードを準備させるためのコードとを備える非一時的コンピュータ可読媒体を備える、コンピュータプログラム製品。
［３３］
前記少なくとも１つのコンピュータに適用させるための前記コードが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、［３２］に記載のコンピュータプログラム製品。
［３４］
前記少なくとも１つのコンピュータに適用させるための前記コードが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、［３２］に記載のコンピュータプログラム製品。
［３５］
前記少なくとも１つのコンピュータに適用させるための前記コードが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、［３２］に記載のコンピュータプログラム製品。
［３６］
前記コンピュータ可読媒体がさらに、前記少なくとも１つのコンピュータに、前記１つまたは複数のフィルタを適用する時に、前記１つまたは複数のフェムトノードの少なくとも２つのフェムトノードが前記ターゲットフェムトノードに相当すると判定させるためのコードを備え、前記少なくとも１つのコンピュータに準備させるための前記コードが、前記デバイスのハンドインのために前記少なくとも２つのフェムトノードを準備する、［３２］に記載のコンピュータプログラム製品。
［３７］
前記コンピュータ可読媒体がさらに、前記少なくとも２つのフェムトノードが前記ターゲットフェムトノードに相当すると前記少なくとも１つのコンピュータに判定させるためのコードに基づいて、前記少なくとも２つのフェムトノードの１つに、ビーコンの送信に関する１つまたは複数の特性を再構成させるように、前記少なくとも１つのコンピュータを動作させるためのコードを備える、［３６］に記載のコンピュータプログラム製品。
［３８］
ターゲットフェムトノードの曖昧さを解消するための装置であって、
ターゲットフェムトノードに関連するプライマリスクランブリングコード（ＰＳＣ）を含む１つまたは複数のパラメータを備える、デバイスのためのハンドオーバーメッセージを受信するための、通信コンポーネントと、
前記１つまたは複数のパラメータに一部基づいて、前記ＰＳＣを利用する１つまたは複数のフェムトノードに１つまたは複数のフィルタを適用し、前記１つまたは複数のフェムトノードの少なくとも１つのフェムトノードが前記ターゲットフェムトノードに相当するかどうかを判定するための、フェムトノード曖昧性解消コンポーネントと、
前記デバイスのハンドインを受け入れるために、前記少なくとも１つのフェムトノードを準備するためのコンポーネントとを備える、装置。
［３９］
前記フェムトノード曖昧性解消コンポーネントが、ソースフィルタを前記１つまたは複数のフェムトノードに適用して、前記１つまたは複数のパラメータにおいて指定される前記デバイスのソース基地局が前記１つまたは複数のフェムトノードの閾値の近傍内にあるかどうかを判定する、［３８］に記載の装置。
［４０］
前記フェムトノード曖昧性解消コンポーネントが、観測時間差（ＯＴＤ）フィルタを前記１つまたは複数のフェムトノードに適用して、前記１つまたは複数のパラメータ中の、前記１つまたは複数のフェムトノードとソース基地局との間の報告されたＯＴＤが、少なくとも、前記１つまたは複数のフェムトノードと前記ソース基地局との間で維持されるタイミング差の閾値差以内にあるかどうかを判定する、［３８］に記載の装置。
［４１］
前記フェムトノード曖昧性解消コンポーネントが、プライマリスクランブリングコード（ＰＳＣ）フィルタを前記１つまたは複数のフェムトノードに適用して、前記１つまたは複数のパラメータの中の前記１つまたは複数のフェムトノードの報告された周波数上での報告されたＰＳＣが、１つまたは複数のビーコンを送信するために前記１つまたは複数のフェムトノードにより使われる周波数上のＰＳＣと同一であるかどうかを判定する、［３８］に記載の装置。
［４２］
前記通信コンポーネントが、様々なＰＳＣを用いて複数のビーコンを送信し、前記フェムトノード曖昧性解消コンポーネントが、複数の報告されたＰＳＣが前記複数のビーコンを送信するのに使われる前記様々なＰＳＣの少なくとも一部と同一かどうかを判定する、［４１］に記載の装置。
［４３］
ビーコンを送信するために前記１つまたは複数のフェムトノードの少なくとも１つにより使われる複数のＰＳＣを判定するためのＰＳＣコンポーネントをさらに備え、前記フェムトノード曖昧性解消コンポーネントが、複数の報告されたＰＳＣが前記複数のＰＳＣと同一かどうかを判定する、［４１］に記載の装置。
［４４］
前記フェムトノード曖昧性解消コンポーネントが、前記１つまたは複数のパラメータにおいて示される前記デバイスのソース基地局を決定することに一部基づいて、前記報告された周波数を決定する、［４１］に記載の装置。
［４５］
前記フェムトノード曖昧性解消コンポーネントが、アクセス制御フィルタを前記１つまたは複数のフェムトノードに適用して、前記デバイスが前記１つまたは複数のフェムトノードにアクセスできるかどうかを判定する、［３８］に記載の装置。
［４６］
前記フェムトノード曖昧性解消コンポーネントが、アップリンク（ＵＬ）受信信号強度インジケータ（ＲＳＳＩ）フィルタを前記１つまたは複数のフェムトノードに適用して、前記デバイスの存在が前記１つまたは複数のフェムトノードにおいて測定されるＵＬ  ＲＳＳＩの上昇を引き起こすかどうかを判定する、［３８］に記載の装置。
［４７］
前記フェムトノード曖昧性解消コンポーネントが、ハンドイン適格性フィルタを前記１つまたは複数のフェムトノードに適用して、コアネットワークから受信された１つまたは複数のパラメータに一部基づき、前記１つまたは複数のフェムトノードが前記デバイスのハンドインを受け入れるのに適しているかどうかを判定する、［３８］に記載の装置。
［４８］
前記フェムトノード曖昧性解消コンポーネントが、タイミングフィルタを前記１つまたは複数のフェムトノードに適用して、前記１つまたは複数のパラメータ中の前記１つまたは複数のフェムトノードの測定された送信／受信タイミング差が、前記１つまたは複数のフェムトノードにおいて求められた送信／受信タイミング差の閾値差以内にあるかどうかを判定する、［３８］に記載の装置。
［４９］
前記フェムトノード曖昧性解消コンポーネントが、前記１つまたは複数のフィルタを適用したことに一部基づいて、前記１つまたは複数のフェムトノードの少なくとも２つのフェムトノードが前記ターゲットフェムトノードに相当すると判定し、前記準備するためのコンポーネントが、前記デバイスのハンドインのために前記少なくとも２つのフェムトノードを準備する、［３８］に記載の装置。
［５０］
前記準備するためのコンポーネントが、前記少なくとも２つのフェムトノードの一方への前記デバイスのハンドインが失敗した後に前記デバイスのハンドインのために前記少なくとも２つのフェムトノードのもう一方を準備するハンドインコンポーネントを備える、［４９］に記載の装置。
［５１］
前記準備するためのコンポーネントが、ハンドインのために前記デバイスを割り当てるための、共通のリソースのセットからの選択についての指示を、前記少なくとも２つのフェムトノードの少なくとも１つから受信し、共通のリソースの前記セットからの前記選択を前記デバイスに示す、ハンドインコンポーネントである、［４９］に記載の装置。
［５２］
前記フェムトノード曖昧性解消コンポーネントが、前記少なくとも２つのフェムトノードが前記ターゲットフェムトノードに相当すると前記準備するためのコンポーネントが判定したことに基づいて、前記少なくとも２つのフェムトノードの１つに、ビーコンの送信に関する１つまたは複数の特性を再構成させる、［４９］に記載の装置。
［５３］
前記準備するためのコンポーネントが、フェムトゲートウェイから複数のフェムトノードの準備の指示を受信し前記デバイスのハンドインのために共通のリソースのセットの選択を確立するハンドオーバー管理コンポーネントを備える、［３８］に記載の装置。
［５４］
前記ハンドオーバー管理コンポーネントがさらに、共通のリソースの前記セットの前記選択を前記フェムトゲートウェイに示す、［５３］に記載の装置。
［５５］
前記準備するためのコンポーネントが、前記１つまたは複数のパラメータを備える再配置要求メッセージを前記少なくとも１つのフェムトノードに送信するハンドインコンポーネントを備える、［３８］に記載の装置。
［５６］
前記準備するためのコンポーネントが、前記デバイスのハンドインのためのリソースの指示を備える再配置応答メッセージをコアネットワークの１つまたは複数のコンポーネントに送信する、ハンドオーバー管理コンポーネントを備え、前記ハンドオーバー管理コンポーネントが、前記デバイスのハンドインのために前記リソースをさらに確立する、［３８］に記載の装置。